(57)【要約】本明細書では、ユーザーの個人的な遺伝子プロファイルに基づいて、ユーザーへの購入（アプリ内購入など）を自動的に識別して推奨するシステムと方法を紹介します。特定の実施形態において、そのような購入の申し出は、ユーザが自分の個人化された遺伝子プロファイル検査結果に安全にアクセスする同じソフトウェアアプリケーション（例えば、スマートフォンアプリまたは他のコンピューティングデバイスアプリケーション）で便利に提示される。また、コンピューターアプリケーション開発者がユーザーの個人的な遺伝プロファイルに基づいて推奨される購入を提示するためにアプリをカスタマイズするためのシステムと方法もここに提示します。特定の実施形態では、本明細書に記載のシステムおよび方法は、個人の遺伝子プロファイルの評価に基づいて、個人の1つまたは複数のモバイルヘルスデバイスに遺伝子的に調整された通知の発行を提供する。
2020506477.tif 000002
【特許請求の範囲】
【請求項１】
自動的に確認する方法、そして、グラフィカル・ユーザ・インタフェース（ＧＵＩ）を介してユーザにグラフィック翻訳およびプレゼンテーションを提供すること、個人の遺伝子のプロフィールの評価に基づく購入勧告、上記の方法は、以下を備える。
(a)受信（および／または接近している）、コンピュータのプロセッサによって、ユーザの生体試料に対応する遺伝子タイピング・データ、(b)自動的に確認すること、プロセッサによって、ユーザのための遺伝子タイピング・データに基づく一つ以上の推奨された購入品、そして、（ｃ）生じる、プロセッサによって、グラフィック翻訳、ユーザに対するプレゼンテーションのために、推奨された購入に対応する一つ以上のアイコンおよび／または英数字ストリング。
【請求項２】
請求項１の方法、そこにおいて、：受信遺伝子タイピング・データは、一つ以上のＳＮＰの一つ以上の遺伝子タイピング測定値の結果を備える。
（ｂ）が測定されたＳＮＰの最少の一つで関係しているステップで確認される購入品を推薦される一つ以上の少なくとも１つ、方法は、引き起こすことを備える。
プロセッサによって、少なくとも一つの推奨された購入が関連する少なくとも一つの測定されたＳＮＰのグラフ図から成る評価ＧＵＩ図のグラフィック表現、そして、ステップ（ｃ）は、アイコンのグラフィック表現を引き起こすことおよび／またはアイコンおよび／または英数字ストリングを少なくとも一つの測定されたＳＮＰの遺伝子タイピング測定の結果のグラフ図と視覚的に関連させる方法の評価ＧＵＩ一覧の範囲内の少なくとも一つの推奨された購入に対応する英数字ストリングを備える。
【請求項３】
請求項１または２のどちらかの方法、上記は、以下を備える。
ステップ（ｃ）で、特定の推奨された購入に対応する選択可能なボタンとして一つ以上のアイコンおよび／または英数字ストリングの少なくとも１つのグラフィック翻訳を引き起こすこと、そして、結びつくこと、プロセッサによって、特定の推奨された購入を購入するための特定の小売商の所定のサイトへのリンクを有する選択可能なボタン、選択可能なボタンのユーザ選択が特定の小売商から特定の推奨された購入品のそれらの購入を開始するようであるもの。
【請求項４】
請求項３の方法、上記は、以下を備える。
受信、プロセッサによって、特定の推奨された購入に対応する選択可能なボタンのユーザ選択の徴候、自動的に検索すること、プロセッサによって、支払いデータベースから、ユーザのための支払情報、そして、提供すること、プロセッサによって、特定のベンダーに対するユーザ支払情報。
【請求項５】
前の請求項のいずれか一つの方法、そこにおいて、一つ以上の推奨された購入品は、一つ以上の補助食品から成る。
【請求項６】
前の請求項のいずれか一つの方法、そこにおいて、一つ以上の推奨された購入品は、食事プログラムからなる群から選択される一つ以上の部材から成る、適合性プログラム、脳波フィードバック・プログラム、行動のプログラム、そして、個別的治療。
【請求項７】
請求項６の方法、そこにおいて、一つ以上の部材は、遺伝子タイピング・データに基づく個別的プログラムまたは治療法である。
【請求項８】
前の請求項のいずれか一つの方法、そこにおいて、自動的に確認しているステップは、自動的に確認することを備える。
プロセッサによって、ユーザのゲノムのＳＮＰの異型に基づく一つ以上の推奨された購入品。
【請求項９】
前の請求項のいずれか一つの方法、そこにおいて、：（ａ）が含むステップで受け取られる遺伝子タイピング・データ、遺伝子タイピング測定を経て測定される一つ以上のＳＮＰの各々のために、ユーザが有する測定されたＳＮＰの特定の異型を確認しておよび／または分類するユーザに特有の異型目的、そして、ステップ（ｂ）は、以下を備える。
複数の購入勧告目的から成る購入勧告データベースにアクセスすること、特定の可能性が購入を推薦されることを各々表すこと、そこにおいて、勧告目的が一つ以上の格納された異型目的に関連している各購入、購入品を推薦される一組の一つ以上の可能性を決定する格納された異型目的の一つ以上に対するユーザに特有の異型目的のマッチしている一つ以上、一つ以上のマッチしている格納された異型目的の少なくとも１つと関連した購入勧告目的により表されるセットの購入を推薦される各可能性、そして、確認すること、購入品を推薦される可能性の決定されたセットから、購入品を推薦される一つ以上。
【請求項１０】
請求項９の方法、そこにおいて、：遺伝子タイピング測定を経て測定される一つ以上のＳＮＰの各々のために、ユーザが有する測定されたＳＮＰの特定の異型を確認しておよび／または分類するユーザに特有の異型目的は、関連される(i)測定されたＳＮＰを確認するＳＮＰ参照および／または測定されたＳＮＰが関連する遺伝子を確認する遺伝子識別子、そして、(ii)ユーザが有する測定されたＳＮＰの特定の異型を確認する測定結果および／またはユーザが有する測定されたＳＮＰの特定の異型を分類する有資格者、格納された異型が関連されると反対する一つ以上の各々(i)格納された異型目的が表す特定の異型を有する特定のＳＮＰを、確認するＳＮＰ参照および／または特定のＳＮＰが関連する遺伝子を確認する遺伝子識別子、そして、(ii)異型目的が表す特定のＳＮＰの特定の異型を確認する測定結果および／または格納された異型目的が表す特定のＳＮＰの特定の異型を分類する有資格者、そして、格納された異型目的の一つ以上に対するユーザに特有の異型目的の一つ以上が成るマッチング、格納された異型目的と合うユーザに特有の異型目的から成るマッチしている対ごとに：(A)マッチしている少なくとも一つ(i)マッチしている一対の格納された異型目的と関連したＳＮＰ参照のマッチしている片方のユーザに特有の異型目的と関連したＳＮＰ参照、そして、(ii)マッチしている一対の格納された異型目的と関連した遺伝子識別子のマッチしている片方のユーザに特有の異型目的と関連した遺伝子識別子、そして、(B)マッチしている少なくとも一つ(i)マッチしている一対の格納された異型目的と関連した測定結果のマッチしている片方のユーザに特有の異型目的と関連した測定結果、そして、(ii)マッチしている一対の格納された異型目的と関連した有資格者のマッチしている片方のユーザに特有の異型目的と関連した有資格者。
【請求項１１】
前の請求項のいずれか一つの方法、そこにおいて、購入品を推薦される一つ以上は、以下を備える。
ユーザの一つ以上の推奨されたレシピから成るカスタム食事プログラム、そこにおいて、方法は、以下を備える。
決定すること、プロセッサによって、ユーザのための遺伝子タイピング・データに基づいて、ユーザのための食事のガイドラインおよび／または味覚選択を代表するユーザの食事のプロフィール、そして、決定すること、プロセッサによって、ユーザ食事のプロフィールに基づくカスタムメイドの食事計画。
【請求項１２】
請求項１１の方法、そこにおいて、：食事のプロフィールは、以下を備える。
決定されていた特殊な一般の食餌療法および／またはアレルゲンを確認する一組のユーザに特有の食事のタグ、プロセッサによって、それらの遺伝子タイピング・データに基づくユーザと関連するものとして、そして、決定、カスタムメイドの食事計画は、以下を有する：複数の所定の食事プログラムから成る食事データベースにアクセスすること、一つ以上の製法の所定のセットから成る各々、そこにおいて、プログラムが特殊な一般の食餌療法および／またはアレルゲンを確認する一つ以上のプログラムに特有の食事のタグに関連している各食事、そして、食事データベースの範囲内で食事のプロフィールのユーザに特有の食事のタグを食事プログラムのプログラム食事のタグと適合させること。
【請求項１３】
請求項１１または１２のどちらかの方法、そこにおいて、：食事のプロフィールは、以下を備える。
それらの遺伝子タイピング・データに基づいてユーザと関連するように、決定される特殊な一般の食餌療法および／またはアレルゲンを確認する一組のユーザに特有の食事のタグ、そして、決定、カスタムメイドの食事計画は、以下を有する：複数の格納された製法から成る食事データベースにアクセスすること、そこにおいて、各格納された製法は、特殊な一般の食餌療法および／またはアレルゲンを確認する一つ以上の製法に特有の食事のタグと関係している、そして、格納された製法のサブセットを決定するために食事データベースの範囲内で食事のプロフィールのユーザに特有の食事のタグを格納された製法の製法に特有の食事のタグと適合させること、そして、選択すること、格納された製法のサブセットから、カスタム食事プログラムの製法を推薦される一つ以上。
【請求項１４】
請求項１１〜１３のいずれか一つの方法、そこにおいて、：食事のプロフィールは、以下を備える。
それらの遺伝子タイピング・データに基づいてユーザと関連するように、決定される特殊な一般の食餌療法および／またはアレルゲンを確認する一組のユーザに特有の食事のタグ、そして、決定、カスタムメイドの食事計画は、以下を有する：(A)複数の格納された製法から成る食事データベースにアクセスすること、格納された製法で使用する複数の成分を確認している成分リストから成る各格納された製法、そして、決定（Ｂ）、複数の格納された製法の一つ以上の製法のサブセットの各々のために、格納された製法が含む成分リストに基づいて、それ(i)ユーザに特有の食事のタグの一つ以上だけ確認される一つ以上の一般の食事に、格納された製法は、従うおよび／または(ii)格納された製法は、ユーザに特有の食事タグの一つ以上だけ確認されるいかなるアレルゲンも含まない、そして、ステップ（Ｂ）で決定ものに応答する（Ｃ）、ステップ（Ｂ）で決定される格納された製法のサブセットから選択すること、カスタムメイドの食事計画の製法を推薦される一つ以上。
【請求項１５】
成り立っている請求項１１〜１４のいずれか一つの方法、引き起こすこと、プロセッサによって、グラフィック翻訳、ユーザに対するプレゼンテーションのために、カスタムメイドの食事計画の製法を推薦される一つ以上の表現。
【請求項１６】
請求項１１〜１５のいずれか一つの方法、そこにおいて、カスタムメイドの食事計画は、以下を備える。
一つ以上の特定のレストランの識別および／またはユーザが推奨された製法の少なくとも一つの製法を得ることができる食品デリバリ・サービス。
【請求項１７】
前の請求項のいずれか一つの方法、そこにおいて、購入品を推薦される一つ以上は、以下を備える。
一つ以上の推奨されたトレーニング・クラスから成るカスタム適合性プログラム、一つ以上の特定のＳＮＰの一つ以上の特定の異型および／または有資格者と関係している各々。
【請求項１８】
前の請求項のいずれか一つの方法、そこにおいて、購入品を推薦される一つ以上は、以下を備える。
一つ以上の推奨されたトレーニング・クラスから成るユーザのためのカスタム適合性プログラム、そこにおいて、方法は、以下を備える。
決定すること、プロセッサによって、ユーザのための遺伝子タイピング・データに基づいて、ユーザが強調しなければならなくておよび／またはそれらの固有の適合性ニーズに基づいてそれを回避しなければならない運動および／または特定のタイプの損傷に対する素因の特定のタイプを、代表するユーザの体育学プロフィール、そして、決定すること、プロセッサによって、ユーザ体育学プロフィールに基づいてトレーニング・クラスを推薦される一つ以上。
【請求項１９】
請求項１８の方法、そこにおいて、：体育学プロフィールは、以下を備える。
決定されていた特定のトレーニング分類を確認する一組のユーザに特有の適合性タグ、プロセッサによって、それらの遺伝子タイピング・データに基づくユーザと関連するものとして、そして、決定、トレーニング・クラスを推薦される一つ以上は、以下を有する：各々トレーニング・クラスが該当する特定の分類を確認する一つ以上のプログラムに特有の適合性タグと関連した複数の格納されたトレーニング・クラスから成るトレーニング・クラス・データベースにアクセスすること、そして、データベースの範囲内で体育学プロフィールのユーザに特有の適合性タグをトレーニング・クラスのプログラムに特有の適合性タグと適合させること。
【請求項２０】
成り立っている請求項１７〜１９のいずれか一つの方法、引き起こすこと、プロセッサによって、グラフィック翻訳、ユーザに対するプレゼンテーションのために、トレーニング・クラスと関連したグラフィックスおよび／またはテキストを表している付加的情報。
【請求項２１】
前の請求項のいずれか一つの方法、更なる上記は、受信（および／または接近している）を備える。
プロセッサによって、ユーザの移動健康装置により記録される移動健康データ、そして、そこにおいて、方法は、自動的に確認することを備える。
プロセッサによって、ユーザおよび受信移動健康データのための遺伝子タイピング・データに基づく一つ以上の推奨された購入品。
【請求項２２】
前の請求項のいずれか一つの方法、そこにおいて、購入品を推薦される一つ以上は、一つ以上の移動健康装置（および／または移動健康装置に作用している一つ以上のソフトウェア・アプリ）を備える。
【請求項２３】
前の請求項のいずれか一つの方法、そこにおいて、購入品を推薦される一つ以上は、以下を備える。
第１の推奨された購入と関連した第１の推奨された購入および少なくとも一つの一つ以上移動健康装置。
【請求項２４】
自動的に確認するシステム、そして、グラフィカル・ユーザ・インタフェース（ＧＵＩ）を介してユーザにグラフィック翻訳およびプレゼンテーションを提供すること、個人の遺伝子のプロフィールの評価に基づく購入勧告、上記のシステムは、以下を備える。
プロセッサ、そして、その上に格納される指示を有するメモリ、そこにおいて、指示、プロセッサにより実行されるときに、以下にプロセッサを生じさせる：(a)ユーザの生体試料に対応する遺伝子タイピング・データを（および／または接近する）受信する、(b)自動的に、ユーザのための遺伝子タイピング・データに基づいて、一つ以上の推奨された購入品を確認する、そして、グラフィック翻訳が生じる（ｃ）、ユーザに対するプレゼンテーションのために、推奨された購入に対応する一つ以上のアイコンおよび／または英数字ストリング。
【請求項２５】
請求項２４のシステム、そこにおいて、：受信遺伝子タイピング・データは、一つ以上のＳＮＰの一つ以上の遺伝子タイピング測定値の結果を備える。
（ｂ）が測定されたＳＮＰの最少の一つで関係しているステップで確認される購入品を推薦される一つ以上の少なくとも１つ、指示は、プロセッサに少なくとも一つの推奨された購入が関連する少なくとも一つの測定されたＳＮＰのグラフ図から成る評価ＧＵＩ図のグラフィック表現が生じさせる、そして、アイコンおよび／または英数字ストリングを少なくとも一つの測定されたＳＮＰの遺伝子タイピング測定の結果のグラフ図と視覚的に関連させる方法の評価ＧＵＩ一覧の範囲内でアイコンのグラフィック表現および／または少なくとも一つの推奨された購入に対応する英数字ストリングを引き起こすために、指示がプロセッサに生じさせるステップ（ｃ）で。
【請求項２６】
請求項２４―２５のいずれか一つのシステム、そこにおいて、指示は、以下にプロセッサを生じさせる：ステップ（ｃ）で、一つ以上のアイコンの少なくとも１つの原因グラフィック表現または特定の推奨された購入に対応する選択可能なボタンとしての英数字ストリング、そして、特定の推奨された購入を購入するための特定の小売商の所定のサイトへのリンクによって、選択可能なものはボタンを掛ける付随物、選択可能なボタンのユーザ選択が特定の小売商から特定の推奨された購入品のそれらの購入を開始するようであるもの。
【請求項２７】
請求項２６のシステム、そこにおいて、指示は、以下にプロセッサを生じさせる：特定の推奨された購入に対応する選択可能なボタンのユーザ選択の徴候を受信する、自動的に、支払いからデータベースを検索する、ユーザのための支払情報、そして、ユーザ支払情報を特定のベンダーに提供する。
【請求項２８】
請求項２４―２７のいずれか一つのシステム、そこにおいて、一つ以上の推奨された購入品は、一つ以上の補助食品から成る。
【請求項２９】
請求項２４―２８のいずれか一つのシステム、そこにおいて、一つ以上の推奨された購入品は、食事プログラムからなる群から選択される一つ以上の部材から成る、適合性プログラム、脳波フィードバック・プログラム、行動のプログラム、そして、個別的治療。
【請求項３０】
請求項２９のシステム、そこにおいて、一つ以上の部材は、遺伝子タイピング・データに基づく個別的プログラムまたは治療法である。
【請求項３１】
請求項２４＝３０のいずれか一つのシステム、そこにおいて、指示、プロセッサにより実行されるときに、以下にプロセッサを生じさせる：自動的に、ユーザのゲノムのＳＮＰの異型に基づいて購入品を推薦される一つ以上を確認する。
【請求項３２】
請求項２４―３１のいずれか一つのシステム、そこにおいて、：（ａ）が含むステップで受け取られる遺伝子タイピング・データ、遺伝子タイピング測定を経て測定される一つ以上のＳＮＰの各々のために、ユーザが有する測定されたＳＮＰの特定の異型を確認しておよび／または分類するユーザに特有の異型目的、そして、指示が以下にプロセッサに生じさせるステップ（ｂ）で：複数の購入勧告目的から成る購入勧告データベースにアクセスする、特定の可能性が購入を推薦されることを各々表すこと、そこにおいて、勧告目的が一つ以上の格納された異型目的に関連している各購入、購入品を推薦される一組の一つ以上の可能性を決定する格納された異型目的の一つ以上に対するユーザに特有の異型目的のマッチ一つ以上、一つ以上のマッチしている格納された異型目的の少なくとも１つと関連した購入勧告目的により表されるセットの購入を推薦される各可能性、そして、確認する、購入品を推薦される可能性の決定されたセットから、購入品を推薦される一つ以上。
【請求項３３】
請求項３２のシステム、そこにおいて、：遺伝子タイピング測定を経て測定される一つ以上のＳＮＰの各々のために、ユーザが有する測定されたＳＮＰの特定の異型を確認しておよび／または分類するユーザに特有の異型目的は、関連される(i)測定されたＳＮＰを確認するＳＮＰ参照および／または測定されたＳＮＰが関連する遺伝子を確認する遺伝子識別子、そして、(ii)ユーザが有する測定されたＳＮＰの特定の異型を確認する測定結果および／またはユーザが有する測定されたＳＮＰの特定の異型を分類する有資格者、格納された異型が関連されると反対する一つ以上の各々(i)格納された異型目的が表す特定の異型を有する特定のＳＮＰを、確認するＳＮＰ参照および／または特定のＳＮＰが関連する遺伝子を確認する遺伝子識別子、そして、(ii)異型目的が表す特定のＳＮＰの特定の異型を確認する測定結果および／または格納された異型目的が表す特定のＳＮＰの特定の異型を分類する有資格者、そして、ユーザに特有の異型目的の一つ以上を一方と合わせるプロセッサまたは格納された異型のより多くが反対するインストラクション原因、格納された異型目的と合うユーザに特有の異型目的から成るマッチしている対ごとに：(A)マッチしている少なくとも一つ(i)マッチしている一対の格納された異型目的と関連したＳＮＰ参照のマッチしている片方のユーザに特有の異型目的と関連したＳＮＰ参照、そして、(ii)マッチしている一対の格納された異型目的と関連した遺伝子識別子のマッチしている片方のユーザに特有の異型目的と関連した遺伝子識別子、そして、(B)マッチしている少なくとも一つ(i)マッチしている一対の格納された異型目的と関連した測定結果のマッチしている片方のユーザに特有の異型目的と関連した測定結果、そして、(ii)マッチしている一対の格納された異型目的と関連した有資格者のマッチしている片方のユーザに特有の異型目的と関連した有資格者。
【請求項３４】
請求項２４―３３のいずれか一つのシステム、そこにおいて、購入品を推薦される一つ以上は、以下を備える。
ユーザの一つ以上の推奨されたレシピから成るカスタム食事プログラム、そこにおいて、指示は、以下にプロセッサを生じさせる：決定する、ユーザのための遺伝子タイピング・データに基づいて、ユーザのための食事のガイドラインおよび／または味覚選択を代表するユーザの食事のプロフィール、ユーザ食事のプロフィールに基づいてカスタムメイドの食事計画を決定する。
【請求項３５】
請求項３４のシステム、そこにおいて、：食事のプロフィールは、以下を備える。
特殊な一般の食餌療法を確認する一組のユーザに特有の食事のタグ［例えば、それにユーザが従わなければならないことおよび／または、あったアレルゲンは、決定した、プロセッサによって、それらの遺伝子タイピング・データに基づくユーザと関連するものとして、そして、指示は、プロセッサに以下でカスタムメイドの食事計画を測定させる：複数の所定の食事プログラムから成る食事データベースにアクセスすること、一つ以上の製法の所定のセットから成る各々、そこにおいて、プログラムが特殊な一般の食餌療法および／またはアレルゲンを確認する一つ以上のプログラムに特有の食事のタグに関連している各食事、そして、食事データベースの範囲内で食事のプロフィールのユーザに特有の食事のタグを食事プログラムのプログラム食事のタグと適合させること。
【請求項３６】
請求項３４または３５のどちらかのシステム、そこにおいて、：食事のプロフィールは、以下を備える。
それらの遺伝子タイピング・データに基づいてユーザと関連するように、決定される特殊な一般の食餌療法および／またはアレルゲンを確認する一組のユーザに特有の食事のタグ、そして、指示は、プロセッサに以下でカスタムメイドの食事計画を測定させる：複数の格納された製法から成る食事データベースにアクセスすること、そこにおいて、各格納された製法は、特殊な一般の食餌療法および／またはアレルゲンを確認する一つ以上の製法に特有の食事のタグと関係している、そして、格納された製法のサブセットを決定するために食事データベースの範囲内で食事のプロフィールのユーザに特有の食事のタグを格納された製法の製法に特有の食事のタグと適合させること、そして、選択すること、格納された製法のサブセットから、カスタム食事プログラムの製法を推薦される一つ以上。
【請求項３７】
請求項３４〜３６のいずれか一つのシステム、そこにおいて、：食事のプロフィールは、以下を備える。
それらの遺伝子タイピング・データに基づいてユーザと関連するように、決定される特殊な一般の食餌療法および／またはアレルゲンを確認する一組のユーザに特有の食事のタグ、そして、指示は、プロセッサに以下でカスタムメイドの食事計画を測定させる：(A)複数の格納された製法から成る食事データベースにアクセスすること、格納された製法で使用する複数の成分を確認している成分リストから成る各格納された製法、そして、決定（Ｂ）、複数の格納された製法の一つ以上の製法のサブセットの各々のために、格納された製法が含む成分リストに基づいて、それ(i)ユーザに特有の食事のタグの一つ以上だけ確認される一つ以上の一般の食事に、格納された製法は、従うおよび／または(ii)格納された製法は、ユーザに特有の食事タグの一つ以上だけ確認されるいかなるアレルゲンも含まない、そして、ステップ（Ｂ）で決定ものに応答する（Ｃ）、ステップ（Ｂ）で決定される格納された製法のサブセットから選択すること、カスタムメイドの食事計画の製法を推薦される一つ以上。
【請求項３８】
指示によって、グラフィック翻訳が生じるプロセッサが生じる請求項３４〜３７のいずれか一つのシステム、ユーザに対するプレゼンテーションのために、カスタムメイドの食事計画の製法を推薦される一つ以上の表現。
【請求項３９】
請求項３４〜３８のいずれか一つのシステム、そこにおいて、カスタムメイドの食事計画は、以下を備える。
一つ以上の特定のレストランの識別および／またはユーザが推奨された製法の少なくとも一つの製法を得ることができる食品デリバリ・サービス。
【請求項４０】
前の請求項のいずれか一つのシステム、そこにおいて、購入品を推薦される一つ以上は、以下を備える。
一つ以上の推奨されたトレーニング・クラスから成るカスタム適合性プログラム、一つ以上の特定のＳＮＰの一つ以上の特定の異型および／または有資格者と関係している各々。
【請求項４１】
請求項２４―４０のいずれか一つのシステム、そこにおいて、購入品を推薦される一つ以上は、以下を備える。
一つ以上の推奨されたトレーニング・クラスから成るユーザのためのカスタム適合性プログラム、そこにおいて、指示は、以下にプロセッサを生じさせる：遺伝子タイピングに基づいてユーザのためのデータを決定する、ユーザが強調しなければならなくておよび／またはそれらの固有の適合性ニーズに基づいてそれを回避しなければならない運動および／または特定のタイプの損傷に対する素因の特定のタイプを、代表するユーザの体育学プロフィール、そして、ユーザ体育学プロフィールに基づいてトレーニング・クラスを推薦される一つ以上を決定する。
【請求項４２】
請求項４１のシステム、そこにおいて、：体育学プロフィールは、以下を備える。
決定されていた特定のトレーニング分類を確認する一組のユーザに特有の適合性タグ、プロセッサによって、それらの遺伝子タイピング・データに基づくユーザと関連するものとして、そして、ものを決定するプロセッサまたはより多くが以下によって、トレーニング・クラスに推薦したインストラクション原因：各々トレーニング・クラスが該当する特定の分類を確認する一つ以上のプログラムに特有の適合性タグと関連した複数の格納されたトレーニング・クラスから成るトレーニング・クラス・データベースにアクセスすること、そして、データベースの範囲内で体育学プロフィールのユーザに特有の適合性タグをトレーニング・クラスのプログラムに特有の適合性タグと適合させること。
【請求項４３】
指示によって、グラフィック翻訳が生じるプロセッサが生じる請求項４０〜４２のいずれか一つのシステム、ユーザに対するプレゼンテーションのために、トレーニング・クラスと関連した付加的情報の表現。
【請求項４４】
請求項２４＝４３のいずれか一つのシステム、そこにおいて、指示、プロセッサにより実行されるときに、以下にプロセッサを生じさせる：ユーザの移動健康装置により記録される（および／またはアクセス）移動健康データを受信する、そして、自動的に、ものを確認する、さもなければ、より推奨された購入品はユーザおよび受け取ったもののための遺伝子タイピング・データに移動健康データの基礎をおいた。
【請求項４５】
請求項２４＝４４のいずれか一つのシステム、そこにおいて、購入品を推薦される一つ以上は、一つ以上の移動健康装置（および／または移動健康装置に作用している一つ以上のソフトウェア・アプリ）を備える。
【請求項４６】
請求項２４＝４５のいずれかのシステム、そこにおいて、購入品を推薦される一つ以上は、以下を備える。
第１の推奨された購入と関連した第１の推奨された購入および一つ以上の移動健康装置。
【請求項４７】
購入勧告オブジェクトを作成する方法、上記の方法は、以下を備える。
(a)現れること、コンピュータのプロセッサによって、それらの遺伝子タイピング・データに基づいて個人用に推奨される推奨された購入に、対応する購入勧告目的の作成のためのグラフィック・ユーザ・インターフェース・エレメント、そこにおいて、購入勧告目的は、推奨された購入を記載する一つ以上のアイコンおよび／または英数字ストリングを備える。
(b)受信、プロセッサによって、グラフィック・ユーザ・インターフェース・エレメントを介して、購入勧告目的、(c)受信、プロセッサによって、グラフィック・ユーザ・インターフェース・エレメントを介して、推奨された購入が推奨される１人以上のゲノム有権者に、対応する一つ以上の格納されたゲノム・オブジェクトの開発者選択、(d)結びつくこと、プロセッサによって、一つ以上の格納されたゲノム・オブジェクトを有する購入勧告目的、そして、(e)格納すること、プロセッサによって、購入勧告目的および購入勧告目的と更に更新することおよび／または検索の一つ以上の格納されたゲノム・オブジェクトの間の関連。
【請求項４８】
請求項４７の方法、そこにおいて、購入勧告目的は、推奨された購入を購入するための関連を備える。
【請求項４９】
請求項４７または４８の方法、そこにおいて、推奨された購入は、一つ以上の栄養補助食品および／または栄養剤を備える。
【請求項５０】
請求項４７＝４９のいずれか一つの方法、そこにおいて、推奨された購入は、以下を備える。
食事プログラムからなる群から選択される部材、適合性プログラム、脳波フィードバック・プログラム、行動のプログラム、そして、個別的治療。
【請求項５１】
請求項４７＝５０のいずれか一つの方法、そこにおいて、推奨された購入は、個人のための彼または彼女の遺伝子タイピング・データおよび健康データに基づいて個人用に推奨される。
【請求項５２】
購入勧告を個人遺伝子のプロフィール製品に連結するシステム、上記のシステムは、以下を備える。
プロセッサ、そして、その上に格納される指示を有する非一時的コンピュータ可読媒体、そこにおいて、指示、プロセッサにより実行されるときに、以下にプロセッサを生じさせる：推奨された購入に対応する購入勧告目的の作成のためのグラフィック・ユーザ・インターフェース・エレメントを示す、遺伝子の特定の異型をもつ個人用に推奨する、そこにおいて、購入勧告目的は、推奨された購入を記載する一つ以上のアイコンおよび／または英数字ストリングを備える。
受ける、グラフィック・ユーザ・インターフェース・エレメントを介して、購入勧告目的、受ける、グラフィック・ユーザ・インターフェース・エレメントを介して、推奨された購入が推奨される１人以上のゲノム有権者に、対応する一つ以上の格納されたゲノム・オブジェクトの開発者選択、購入勧告目的を一つ以上の格納されたゲノム・オブジェクトと関連させる、そして、購入勧告目的および購入勧告目的と一つ以上の間の関連が更新してより遠くにゲノム・オブジェクトを格納したストアおよび／または検索。
【請求項５３】
請求項５２のシステム、そこにおいて、購入勧告目的は、推奨された購入を購入するための関連を備える。
【請求項５４】
請求項５２または５３のシステム、そこにおいて、推奨された購入は、一つ以上の栄養補助食品および／または栄養剤を備える。
【請求項５５】
請求項５２＝５４のいずれか一つのシステム、そこにおいて、推奨された購入は、以下を備える。
食事プログラムからなる群から選択される部材、適合性プログラム、脳波フィードバック・プログラム、行動のプログラム、そして、個別的治療。
【請求項５６】
請求項５２＝５５のいずれか一つのシステム、そこにおいて、推奨された購入は、個人のための彼または彼女の遺伝子タイピング・データおよび健康データに基づいて個人用に推奨される。
【請求項５７】
個人の遺伝子のプロフィールの評価に基づいて遺伝的に手直しされた通知を個人の一つ以上の移動健康装置に自動的に提供する方法、上記の方法は、以下を備える。
受信（および／または接近している）、コンピュータのプロセッサによって、ユーザの生体試料に対応する遺伝子タイピング・データ、自動的に決定すること、プロセッサによって、ユーザのための遺伝子タイピング・データに基づくフィードバック勧告、そして、引き起こすこと、プロセッサによって、作成、ユーザに対するプレゼンテーションのために、フィードバック勧告に対応する通知。
【請求項５８】
請求項５７の方法、上記は、以下を備える。
受信（および／または接近している）、プロセッサによって、ユーザの一つ以上の移動健康装置からの移動健康データ、一つ以上の移動健康装置により記録される一つ以上の測定値から成る移動健康データ、そして、自動的に決定すること、プロセッサによって、ユーザおよび受信移動健康データのための遺伝子タイピング・データに基づくフィードバック勧告。
【請求項５９】
請求項５７または請求項５８のどちらかの方法、そこにおいて、移動健康データは、以下からなる群から選択される一つ以上の測定値を備える。
(i)時間にわたる平均および／または総カロリー摂取量、(ii)ブドウ糖測定、(iii)身体活動レベルの測定基準、そして、(iv)脳波測定。
【請求項６０】
個人の遺伝子のプロフィールの評価に基づいて遺伝的に手直しされた通知を個人の一つ以上の移動健康装置に自動的に提供するシステム、上記のシステムは、以下を備える。
プロセッサ、そして、その上に格納される指示を有する非一時的コンピュータ可読媒体、そこにおいて、指示、プロセッサにより実行されるときに、以下にプロセッサを生じさせる：ユーザの生体試料に対応する遺伝子タイピング・データを（および／または接近する）受信する、自動的に、ユーザのための遺伝子タイピング・データに基づいて、フィードバックを決定する、そして、原因作成、ユーザに対するプレゼンテーションのために、フィードバック勧告に対応する通知。
【請求項６１】
請求項６０のシステム、そこにおいて、指示は、以下にプロセッサを更に生じさせる：ユーザの一つ以上の移動健康装置から、（および／またはアクセス）移動健康データを受け取る、一つ以上の移動健康装置により記録される一つ以上の測定値から成る移動健康データ、そして、自動的に、ユーザおよび受信移動健康データのための遺伝子タイピング・データに基づいて、フィードバック勧告を決定する。
【請求項６２】
請求項６０または請求項６１のどちらかのシステム、そこにおいて、移動健康データは、以下からなる群から選択される一つ以上の測定値を備える。
(i)時間にわたる平均および／または総カロリー摂取量、(ii)ブドウ糖測定、(iii)身体活動レベルの測定基準、そして、(iv)脳波測定。
【請求項６３】
グラフィカル・ユーザ・インタフェース（ＧＵＩ）を介してユーザにグラフィック翻訳およびプレゼンテーションを自動的に確認して、提供する方法、さまざまな参加している小売商への訪問に基づく報酬としてのそれらの個人遺伝子のプロフィール評価の部分、上記の方法は、以下を備える。
(a)受信、コンピュータのプロセッサによって、特定の参加している小売商へのユーザ訪問の徴候に対応するデータ、(b)接近すること、プロセッサによって、複数のマーチャント識別子から成る貿易データベース、特定の参加している小売商を同定する各々、そこにおいて、識別子がロックがかからない１セット以上関係している各小売商、一つ以上のＳＮＰおよび／または遺伝子の識別子から成る各々、(c)合うこと、プロセッサによって、貿易データベースの範囲内のマーチャント識別子に対する特定の参加している小売商、(d)選択すること、プロセッサによって、マッチしているマーチャント識別子と関連した一つ以上のロックがかからないセットの少なくとも１つ、(e)接近すること、プロセッサによって、ユーザのための遺伝子タイピング・データ、そこにおいて、：遺伝子タイピング・データは、ユーザのための複数のＳＮＰの遺伝子タイピング測定値の結果を備える。
一部の結果が係止されてまず最初にある最少で、そして、一部の初めに係止するものは選択されたロックがかからないセットに対応する結果になる最少で、そして、（ｆ）解錠する、プロセッサによって、選択されたロックがかからないセットに対応する初めに係止された結果の部分。
【請求項６４】
請求項６３の方法、上記は、引き起こすことを備える。
プロセッサによって、グラフィック翻訳、ユーザに対するプレゼンテーションのために、ロックがかかってない結果のグラフ図。
【請求項６５】
請求項６３または６４のどちらかの方法、上記は、出ることを備える。
プロセッサによって、ユーザに対する取引通知、特定の参加している小売商の識別および特定の参加している小売商を同定するマーチャント識別子と関連した一つ以上のロックがかからないセットの識別から成る取引通知。
【請求項６６】
請求項６５の方法、上記は、以下を備える。
受信、プロセッサによって、ユーザの位置を確認するユーザ位置データ、決定すること、プロセッサによって、ユーザ位置データを使用して、特定の参加している小売商の物理的な位置に近接しているユーザ、そして、それを決定することに応答して、ユーザは、特定の参加している小売商の物理的な位置に近接している、出ること、プロセッサによって、ユーザに対する取引通知。
【請求項６７】
請求項６３〜６６のいずれか一つの方法、そこにおいて、特定の参加している小売商にマッチすることがセットおよび方法を解錠して条件セットと関連するマーチャント識別子と関連した少なくとも一部の一つ以上のロックがかからないセットの各々は、出ることを備える。
プロセッサによって、ユーザに、成り立っている通知、少なくとも一つのロックがかからないセットのために、解錠するための関連する基準。
【請求項６８】
請求項６３〜６７のいずれか一つの方法、そこにおいて、ステップ（ｄ）は、特定の参加している小売商へのユーザ訪問の徴候に対応するデータが選択されたロックがかからないセットと関連した条件セットを満たすと決定することを備える。
【請求項６９】
作成して、格納すること間の方法、貿易データベースにおいて、参加している小売商と関連した遺伝子のプロフィール評価報酬、上記の方法は、以下を備える。
(a)現れること、コンピュータのプロセッサによって、特定の参加している小売商と関連した遺伝子のプロフィール評価報酬の作成のためのグラフィック・ユーザ・インターフェース・エレメント、(b)受信、プロセッサによって、ＧＵＩ要素を介して、特定の参加している小売商を同定するマーチャント識別子、(c)受信、プロセッサによって、ＧＵＩ要素を介して、一つ以上のＳＮＰの一組の識別子の中で選択、そして、または、懸賞金で解錠される一部の遺伝子タイピング・データ結果を確認するロックがかからないセットを作製する遺伝子、(d)結びつくこと、プロセッサによって、つくられたロックがかからないセットを有するマーチャント識別子、そして、格納（ｅ）、プロセッサによって、マーチャント識別子および貿易データベースのロックがかからないセットとの共同、更に更新することおよび／または接近することために。
【請求項７０】
請求項６９の方法、上記は、以下を備える。
受信、プロセッサによって、ＧＵＩ要素を介して、結果を解錠するための条件セット、結びつくこと、プロセッサによって、ロックがかからないセットを有する条件セット、そして、格納すること、プロセッサによって、貿易データベースのロックがかからないセットとの関連。
【請求項７１】
グラフィカル・ユーザ・インタフェース（ＧＵＩ）を介してユーザにグラフィック翻訳およびプレゼンテーションを自動的に確認して、提供するシステム、さまざまな参加している小売商への訪問に基づく報酬としてのそれらの個人遺伝子のプロフィール評価の部分、上記のシステムは、以下を備える。
コンピュータのプロセッサ、そして、その上に格納される指示を有するメモリ、そこにおいて、指示、プロセッサにより実行されるときに、以下にプロセッサを生じさせる：(a)特定の参加している小売商へのユーザ訪問の徴候に対応する受信データ、(b)複数のマーチャント識別子から成る貿易データベースにアクセスする、特定の参加している小売商を同定する各々、そこにおいて、識別子がロックがかからない１セット以上関係している各小売商、一つ以上のＳＮＰおよび／または遺伝子の識別子から成る各々、(c)貿易データベースの範囲内で特定の参加している小売商をマーチャント識別子と合わせる、(d)マッチしているマーチャント識別子と関連した一つ以上のロックがかからないセットの選択された少なくとも一つ、(e)ユーザのためのアクセス遺伝子タイピング・データ、そこにおいて、：遺伝子タイピング・データは、ユーザのための複数のＳＮＰの遺伝子タイピング測定値の結果を備える。
一部の結果が係止されてまず最初にある最少で、そして、一部の初めに係止するものは選択されたロックがかからないセットに対応する結果になる最少で、そして、（ｆ）は、選択されたロックがかからないセットに対応する初めに係止された結果の部分を解錠する。
【請求項７２】
請求項７１のシステム、そこにおいて、指示によって、グラフィック翻訳が生じるプロセッサが生じる、ユーザに対するプレゼンテーションのために、ロックがかかってない結果のグラフ図。
【請求項７３】
請求項７１または７２のどちらかのシステム、そこにおいて、指示は、プロセッサにユーザに取引通知書を交付させる、特定の参加している小売商の識別および特定の参加している小売商を同定するマーチャント識別子と関連した一つ以上のロックがかからないセットの識別から成る取引通知。
【請求項７４】
請求項７３のシステム、そこにおいて、指示は、以下にプロセッサを生じさせる：ユーザの位置を確認するユーザ位置データを受信する、決定する、ユーザ位置データを使用して、特定の参加している小売商の物理的な位置に近接しているユーザ、そして、問題、それを決定することに応答して、ユーザは、特定の参加している小売商の物理的な位置に近接している、ユーザに対する取引通知。
【請求項７５】
請求項７１〜７４のいずれか一つのシステム、そこにおいて、特定の参加している小売商にマッチすることがセットを解錠して条件セットと関連する。そして、指示がプロセッサにユーザに通知書を交付させるマーチャント識別子と関連した少なくとも一部の一つ以上のロックがかからないセットの各々、少なくとも一つのロックがかからないセットのために、解錠するための関連する基準。
【請求項７６】
請求項７１〜７５のいずれか一つのシステム、そこにおいて、特定の参加している小売商へのユーザ訪問の徴候に対応するデータが選択されたロックがかからないセットと関連した条件セットを満たすと決定するために、指示がプロセッサに生じさせるステップ（ｄ）で。
【請求項７７】
作成して、格納すること間のシステム、貿易データベースにおいて、参加している小売商と関連した遺伝子のプロフィール評価報酬、上記のシステムは、以下を備える。
コンピュータのプロセッサ、そして、その上に格納される指示を有するメモリ、そこにおいて、指示、プロセッサにより実行されるときに、以下にプロセッサを生じさせる：(a)現れること、コンピュータのプロセッサによって、特定の参加している小売商と関連した遺伝子のプロフィール評価報酬の作成のためのグラフィック・ユーザ・インターフェース・エレメント、(b)受信、プロセッサによって、ＧＵＩ要素を介して、特定の参加している小売商を同定するマーチャント識別子、(c)受信、プロセッサによって、ＧＵＩ要素を介して、一つ以上のＳＮＰの一組の識別子の中で選択、そして、または、懸賞金で解錠される一部の遺伝子タイピング・データ結果を確認するロックがかからないセットを作製する遺伝子、(d)結びつくこと、プロセッサによって、つくられたロックがかからないセットを有するマーチャント識別子、そして、格納（ｅ）、プロセッサによって、マーチャント識別子および貿易データベースのロックがかからないセットとの共同、更に更新することおよび／または接近することために。
【請求項７８】
請求項７７のシステム、そこにおいて、指示は、以下にプロセッサを生じさせる：受ける、ＧＵＩ要素を介して、結果を解錠するための条件セット、ロックがかからないものを有する条件セットがセットした付随物、そして、ロックがかからないものとの関連が貿易データベースでセットしたストア。
【発明の詳細な説明】
【技術分野】
【０００１】
関連出願についてのクロス・リファレンスこの出願は２０１７年１月２７日に出願の米国仮出願番号第６２／４５１,６４１号、２０１７年２月１４日に出願の米国仮出願番号第６２／４５８,９３３号、２０１７年２月２４日に出願の米国仮出願番号第６２／４６３,４７７号および２０１７年１１月２２日に出願の米国仮出願番号第６２／５８９,６７３号の利点を請求する。そして、それぞれの内容は完全に本願明細書において、本願明細書に引用したものとする個人遺伝子のプロフィールのユーザに対する購入勧告を容易にするためのシステム及び方法に、本発明は、一般に関した。
【背景技術】
【０００２】
ゲノムは、よりよく人間の生物学的特徴および特徴を理解するために用いることができる有益な情報を保つ。
【０００３】
特に、ヒトゲノムと生物学的特徴と特徴の関係を定めるために、多くの調査は、実施されている。
【０００４】
例えば、単一のヌクレオチド多形性（ＳＮＰ）は、個人の特定の多形性に応じて生物学的特徴および特徴に影響する特定の遺伝子において、確認される特定のサイトである。
【０００５】
特定のサイトのヌクレオチドの異なる多形性は、異なって関連した特徴または特徴に影響する。
【０００６】
ＳＮＰおよびそれらの対応する生物学的特徴および特徴の異型の関係は定められた、そして、多くのより可能性がある関係は現在発見されていないおよび調査中である。
【０００７】
個人的なことと取られた遺伝子のプロフィール（例えばＯｒｉｇ３ｎにより提供されるＬｉｆｅＰｒｏｆｉｌｅ＝、ボストンの会社、マサチューセッツ）はさまざまな特徴のＳＮＰベースの評価を提供する。そして、単純な頬を用いた特徴はサンプルを塗布して、ただし、ユーザーフレンドリーで、多機能電話アクセス可能な試験結果を固定する。
【０００８】
個人は、生体試料を提供して、それらの多機能電話上の再調査のために近づきやすいそれらの遺伝子の側面の評価を受信する。
【０００９】
それらのゲノムがどのようにそれらの個人健康特徴、適合性特徴および食事の特徴に影響を与えるかについて、個人は、学ぶことができる。
【００１０】
多くの個人は、それらのｗｅｌｌｂｅｉｎｇを強化するために、ビタミン、補助食品および他の店頭または処方薬を繰り返されている基礎へ持っていく。
【００１１】
しばしば、補助食品および薬物は、慢性の条件を楽にするために飲まれる。
【００１２】
例えば、一部の個人は、関節の痛みを取扱うために、グルコサミンをとる。
【００１３】
追加は、パフォーマンスを高めるかまたは機能するために、かかられることもできる。
【００１４】
例えば、体格および強さのそれらの改良を押し上げるために、ｗｅｉｇｈｔｌｉｆｔｉｎｇする（例えば一酸化窒素）ときに、一部の個人は補助食品をとる。
【００１５】
個人は、個人調査または医師勧告に基づいてこの種の補助食品をしばしば自動定める。
【００１６】
このように、個人がどのように感じるか、または、患者の状態が記載されているように、どのように医師に鳴り響くか質的な情報に、個人の決定は、主になされる。
【００１７】
同様に、個人は、この種の質的な情報に基づいて適合性プログラム（食事計画）および他の健康および適合性関連の療法を選ぶ。
【００１８】
システム及び方法が補助食品および健康および適合性プログラムの選択にあたり個人を支援する必要が、ある。
【発明の概要】
【課題を解決するための手段】
【００１９】
ユーザの個人遺伝子のプロフィールに基づいて購入品（例えば、アプリの購入品）をユーザに自動的に確認して、推薦するためのシステム及び方法が、本願明細書において、示す。
【００２０】
ある種の実施形態では、ユーザが彼または彼女の個人的なことと取られた遺伝子のプロフィール試験結果に確実に接近する同じソフトウェア・アプリケーション（例えば、多機能電話アプリまたは他のコンピューティング装置アプリケーション）で、この種の購入品の提案は、都合よく提示される。
【００２１】
また、ユーザの個人遺伝子のプロフィールに基づいて推奨された購入品の提出のためのアプリをカスタマイズするコンピュータアプリケーション開発者ためのシステムと方法は、本願明細書において、提示される。
【００２２】
ある種の実施形態では、補助食品の購入推奨は、個人のための遺伝子タイピング・データに基づいて確認される。
【００２３】
個人により提供される生体試料は、生物学的特徴の範囲のための遺伝子タイピング・データを生成するために用いる。
【００２４】
遺伝子タイピング・データは、個人遺伝子のプロフィール評価として格納されることができて、視覚的に評価グラフィカル・ユーザ・インタフェース（例えば、多機能電話アプリを介して）の個人に与えられることが可能である。
【００２５】
それらの個人ゲノムがどのようにそれらの生物学的特徴（例えば、健康関連の表現型）に影響を及ぼすかについて知るために、個人は、評価グラフィカル・ユーザ・インタフェースを使用する。
【００２６】
（ｉ）栄養的な特徴（例えば、個人の体が異なる食品および栄養分を加工する方法）を、実施例は、含む。
【００２７】
(ii)皮膚健康、(iii)体育学、そして、(iv)個人挙動傾向（例えば、感情移入、中毒の危険度および応力および痛みに対する抵抗力）。
【００２８】
個人の特定の生物学的特徴に基づいて、個人は、一つ以上の補助食品を利益を得ることができるかまたはとりたくなることができる。
【００２９】
例えば、それらの食品を加工するのに協力するいくつかの補助食品から特定の食品および従って利点を処理して、とることを望む彼（女）の能力上の彼（女）の遺伝学の影響について、個人は、知ることができる。
【００３０】
評価グラフィカル・ユーザ・インタフェースにおいて、補助食品の一つ以上の購入推奨または購入勧告との関連は、確認されて、個人の遺伝子タイピング・データに基づいて個人に提示される。
【００３１】
かくして、特定の実施例で、個人は、それらの表現型に基づいて購入して、直接能力で獲得する補助食品の推奨を容易に見ることができるかまたはグラフィカル・ユーザ・インタフェースから補助食品を購入にリダイレクトした。
【００３２】
ある種の実施形態では、終末過程に必要なグラフィカル・ユーザ・インタフェースは、購入勧告データを含むデータ構造を作成するために、開発者にインタフェースを提供する。
【００３３】
開発者は、購入勧告のためのデータを入力して、データを個人遺伝子のプロフィール製品と関連させる。
【００３４】
購入勧告データと個人遺伝子のプロフィール製品の間の関連は、個人の購入推奨を有する評価グラフィカル・ユーザ・インタフェースの人口を促進する。
【００３５】
一つの態様では、本発明は、グラフィカル・ユーザ・インタフェース（ＧＵＩ）（個人の遺伝子のプロフィールの評価に基づく購入勧告）を介してユーザにグラフィック翻訳およびプレゼンテーションを自動的に確認して、提供する方法に向けられる、上記の方法は、以下の新規事項を備える。
【００３６】
(a)コンピュータのプロセッサによって、遺伝子タイピング・データ（例えば、個人遺伝子のプロフィール評価）を受信する（および／または接近している）ことは、ユーザ（例えば、一つ以上のＳＮＰ（一つ以上の遺伝子と関連した各ＳＮＰ）の一つ以上の遺伝子タイピング測定値）の生体試料に対応する以下の通り(b)プロセッサによって、一つ以上を自動的に確認することは、ユーザ（例えば、個人遺伝子のプロフィール評価）のための遺伝子タイピング・データに基づいて、購入品を推奨した、そして、(c)プロセッサによって、推奨された購入品（例えば、例えば、遺伝子タイピング・データ結果の提出と同じアプリで、アプリの購入オプションとして推奨された購入を提示する）に対応する一つ以上のアイコンおよび／または英数字ストリングのグラフィック翻訳を引き起こすこと。（ユーザ（例えば、ユーザのモバイルコンピューティング装置上のプレゼンテーションのための）に対するプレゼンテーションのための）ある種の実施形態では、受信遺伝子タイピング・データは、一つ以上のＳＮＰの一つ以上の遺伝子タイピング測定値の結果から成る、ステップ（ｂ）で確認される購入品を推薦される一つ以上の少なくとも１つは、測定されたＳＮＰの少なくとも１つと関係している、少なくとも一つの推奨された購入が関連する［例えば、ユーザが有する（例えば、測定結果を経た）ＳＮＰの特定の異型および／または異型と関連した有資格者と一緒に、それが関連する少なくとも一つの測定されたＳＮＰ（例えば、ＳＮＰ参照を経た）および／または遺伝子（例えば、遺伝子識別子を経た）を、確認するグラフィックスおよび／またはテキストから、グラフ図は成る］、少なくとも一つの測定されたＳＮＰのグラフ図から成る評価ＧＵＩ図のグラフィック表現が生じることを、方法は、プロセッサによって、含む、そして、ステップ（ｃ）は、アイコンのグラフィック表現を引き起こすことおよび／またはアイコンおよび／または英数字ストリングを少なくとも一つの測定されたＳＮＰの遺伝子タイピング測定の結果のグラフ図と視覚的に関連させる方法の評価ＧＵＩ一覧の範囲内の少なくとも一つの推奨された購入に対応する英数字ストリングを備える。
【００３７】
ある種の実施形態では、方法は、以下を含む：特定の推奨された購入に対応する選択可能なボタンとして一つ以上のアイコンおよび／または英数字ストリングの少なくとも１つのグラフィック翻訳を引き起こして、ステップ（ｃ）で、そして、プロセッサによって、特定の推奨された購入（選択可能なボタンのユーザ選択が特定の小売商から特定の推奨された購入品のそれらの購入を開始するような）を購入するための特定の小売商の所定のサイトへのリンク（例えば、ウェブリンク）と選択可能なボタンを関連させること。
【００３８】
ある種の実施形態では、方法は、以下を含む：プロセッサによって、特定の推奨された購入に対応する選択可能なボタンのユーザ選択の徴候を受信すること、自動的に検索すること（例えば、クレジット・カード情報、（支払いデータベース（ユーザのための支払情報）から、プロセッサによる）例えば、オンライン支払いサービス・アカウント情報）、そして、プロセッサによって、特定のベンダー（例えば、選択可能なボタンの単一のクリックを越えたユーザ相互作用が特定の推奨された購入品のそれらの購入を完了することを必要としないように）にユーザ支払情報を提供すること。
【００３９】
ある種の実施形態では、一つ以上の推奨された購入品は、一つ以上の補助食品（例えば、栄養剤）から成る。
【００４０】
ある種の実施形態では、一つ以上の推奨された購入品は、食事プログラムからなる群から選択される一つ以上の部材から成る、適合性プログラム、脳波フィードバック・プログラム、行動のプログラム（例えば、焦点プログラムまたはＡＤＨＤ援助プログラム）、そして、個別的治療。
【００４１】
ある種の実施形態では、一つ以上の部材は、遺伝子タイピング・データに基づく個別的プログラムまたは治療法である。
【００４２】
ある種の実施形態では、自動的に確認しているステップは、プロセッサによって、ユーザのゲノムのＳＮＰの異型に基づいて一つ以上の推奨された購入品を自動的に確認することを含む。
【００４３】
ある種の実施形態では、遺伝子タイピング測定を経て測定される一つ以上のＳＮＰの各々のために、ユーザが有する測定されたＳＮＰの特定の異型を確認しておよび／または分類するユーザに特有の異型目的から、ステップ（ａ）で受け取られる遺伝子タイピング・データは、成る、そして、ステップ（ｂ）は、以下を備える。
【００４４】
複数の購入勧告目的から成っていて、特定の可能性が購入を推薦されることを各々表している購入勧告データベースにアクセスすることそこにおいて、各購入勧告目的は、一つ以上の格納された異型目的と関係している、購入品を推薦される一組の一つ以上の可能性を決定するためにユーザに特有の異型目的の一つ以上を格納された異型目的の一つ以上と合わせて、各可能性は、一つ以上のマッチしている格納された異型目的の少なくとも１つと関連した購入勧告目的により表されるセットの購入を推奨した、そして、購入品を推薦される可能性の決定されたセットから、一つ以上を確認することは、購入品を推奨した。
【００４５】
ある種の実施形態では、遺伝子タイピング測定を経て測定される一つ以上のＳＮＰの各々のために、ユーザが有する測定されたＳＮＰの特定の異型を確認しておよび／または分類するユーザに特有の異型目的は、関連される(i)測定されたＳＮＰを確認するＳＮＰ参照および／または測定されたＳＮＰが関連する遺伝子を確認する遺伝子識別子、そして、(ii)ユーザが有する測定されたＳＮＰの特定の異型を確認する測定結果および／またはユーザが有する測定されたＳＮＰの特定の異型を分類する有資格者以下の通り格納された異型が関連されると反対する一つ以上の各々(i)格納された異型目的が表す特定の異型を有する特定のＳＮＰを、確認するＳＮＰ参照および／または特定のＳＮＰが関連する遺伝子を確認する遺伝子識別子、そして、(ii)異型目的が表す特定のＳＮＰの特定の異型を確認する測定結果および／または格納された異型目的が表す特定のＳＮＰの特定の異型を分類する有資格者以下の通りそして、ユーザに特有の異型の一つ以上が格納された異型の一つ以上まで反対すると反対するマッチングは、格納された異型目的と合うユーザに特有の異型目的から成るマッチしている対ごとにを備える。
【００４６】
(A)マッチしている少なくとも一つ(i)マッチしている一対の格納された異型目的と関連したＳＮＰ参照のマッチしている片方のユーザに特有の異型目的と関連したＳＮＰ参照、そして、(ii)遺伝子識別子は、マッチしている一対の格納された異型目的と関連した遺伝子識別子のマッチしている片方のユーザに特有の異型目的と関連した、そして、(B)マッチしている少なくとも一つ(i)マッチしている一対の格納された異型目的と関連した測定結果のマッチしている片方のユーザに特有の異型目的と関連した測定結果、そして、(ii)マッチしている一対の格納された異型目的と関連した有資格者のマッチしている片方のユーザに特有の異型目的と関連した有資格者。
【００４７】
ある種の実施形態では、購入品を推薦される一つ以上は、以下を有する：ユーザの一つ以上の推奨されたレシピから成るカスタム食事プログラム、そこにおいて、方法は、以下を備える。
【００４８】
決定することは、プロセッサによって、遺伝子タイピングに、ユーザ（ユーザのための食事のガイドラインおよび／または味覚選択を代表するユーザの食事のプロフィール）のためのデータの基礎をおいた、そして、プロセッサによって、ユーザ食事のプロフィールに基づいてカスタムメイドの食事計画を決定すること。
【００４９】
ある種の実施形態では、食事のプロフィールは、以下を有する：それらの遺伝子タイピング・データに基づいてユーザと関連するように、プロセッサによって、特殊な一般の食餌療法［例えば、ユーザがいずれを従わせなければならないか（例えば、英数字ストリング（例えば「菜食主義者」、「絶対菜食主義者」、「ｐｅｓｃａｔａｒｉａｎ」、「乳製品を含まなくて」「低コレステロール」）は、「グルテンを含まなくて」「ｐａｌｅｏ」、「低糖」、などを「ラクトース解放する」）］を、確認する一組のユーザに特有の食事のタグおよび／またはアレルゲン［例えば、ユーザが回避しなければならない（例えば、英数字ストリング（例えば「酪農」、「南京豆」、「ナット」、「グルテン」、など）ために］は、決定された以下の通りそして、決定、カスタムメイドの食事計画は、以下を有する：複数の所定の食事プログラムから成っていて、一つ以上の製法の所定のセットから各々成っている食事データベースにアクセスすることそこにおいて、特殊な一般の食餌療法（例えば、食事プログラムがいずれを従わせるか）および／またはアレルゲンを、確認する一つ以上のプログラムに特有の食事のタグと、各食事プログラムは関係している（例えば、それは食事プログラムの一つ以上の製法に存在する、例えば、それは、食事プログラムのすべての製法には無い）、そして、食事データベースの範囲内で食事のプロフィールのユーザに特有の食事のタグを食事プログラムのプログラム食事のタグと適合させること。
【００５０】
ある種の実施形態では、食事のプロフィールは、以下を有する：それらの遺伝子タイピング・データに基づいてユーザと関連するように、決定される特殊な一般の食餌療法（例えば、ユーザがいずれを従わせなければならないか）および／またはアレルゲン（例えば、ユーザが回避しなければならないために）を、確認する一組のユーザに特有の食事のタグ以下の通りそして、決定、カスタムメイドの食事計画は、以下を有する：複数の格納された製法から成る食事データベースにアクセスすること、そこにおいて、特殊な一般の食餌療法（例えば、格納された製法がいずれを従わせるか）および／またはアレルゲンを、確認する一つ以上の製法に特有の食事のタグと、各格納された製法は関係している（例えば、それは格納された製法に存在する、例えば、それは、格納された製法には無い）、そして、格納された製法のサブセットを決定するために食事データベースの範囲内で食事のプロフィールのユーザに特有の食事のタグを格納された製法の製法に特有の食事のタグと適合させること、そして、格納された製法のサブセットから、一つ以上を選択することは、カスタム食事プログラムの製法を推奨した。
【００５１】
ある種の実施形態では、食事のプロフィールは、以下を有する：それらの遺伝子タイピング・データに基づいてユーザと関連するように、決定される特殊な一般の食餌療法（例えば、ユーザがいずれを従わせなければならないか）および／またはアレルゲン（例えば、ユーザが回避しなければならないために）を、確認する一組のユーザに特有の食事のタグ以下の通りそして、決定、カスタムメイドの食事計画は、以下を有する：(A)複数の格納された製法から成る食事データベースにアクセスして、各々は、格納された製法で使用する複数の成分を確認している成分リストから成る製法を格納した、そして、(B)成分リストに基づいて格納された製法（それ）が成り立つと、複数の格納された製法の一つ以上の製法のサブセットの各々のために、決定すること(i)ユーザに特有の食事のタグの一つ以上だけ確認される一つ以上の一般の食事に、格納された製法は、従うおよび／または(ii)格納された製法は、ユーザに特有の食事タグの一つ以上だけ確認されるいかなるアレルゲンも含まない、そして、(C)ステップ（Ｂ）で決定される格納された製法のサブセットから選択して、ステップ（Ｂ）で決定ものに応答して、一つ以上は、カスタムメイドの食事計画の製法を推奨した。
【００５２】
ある種の実施形態では、方法は成り立つ。そして、ユーザ（例えば、ユーザのモバイルコンピューティング装置上のプレゼンテーションのための）に対するプレゼンテーションのために、プロセッサによって、カスタムメイドの食事計画の製法を推薦される一つ以上の提出のグラフィック解釈を引き起こす、（例えば、以下のいずれかのグラフィック翻訳を引き起こして、製法を推薦される一つ以上の各々のために：(i)製法の表題、(ii)製法によって、できる皿の画像、(iii)製法の要素のリスト、(iv)製法の調理手順）。
【００５３】
ある種の実施形態では、カスタムメイドの食事計画は、以下を有する：一つ以上の特定のレストランの識別および／またはユーザが推奨された製法（例えば、製法情報を食事データベースの記憶に提供する参加しているレストランおよび／または参加している食品デリバリ・サービス）の少なくとも一つの製法を得ることができる食品デリバリ・サービス。
【００５４】
ある種の実施形態では、購入品を推薦される一つ以上は、以下を有する：一つ以上から成るカスタム適合性プログラムはトレーニング・クラスを推奨した。そして、それぞれは一つ以上の特定のＳＮＰの一つ以上の特定の異型および／または有資格者と関係している。
【００５５】
ある種の実施形態では、購入品を推薦される一つ以上は、以下を有する：一つ以上の推奨されたトレーニング・クラスから成るユーザのためのカスタム適合性プログラム、そこにおいて、方法は、以下を備える。
【００５６】
決定することは、プロセッサによって、遺伝子タイピングに、ユーザのためのデータ、ユーザが強調しなければならなくておよび／またはそれらの固有の適合性ニーズに基づいてそれを回避しなければならない特定のタイプの運動を、代表するユーザの体育学プロフィールおよび／または特定のタイプの損傷に対する素因の基礎をおいた、そして、プロセッサによって、一つ以上を決定することは、ユーザ体育学プロフィールに基づいてトレーニング・クラスを推奨した。
【００５７】
ある種の実施形態では、体育学プロフィールは、以下を有する：特定のトレーニング分類を確認する一組のユーザに特有の適合性タグ（例えば、それは、ユーザに推薦される、例えば、ユーザが回避しなければならないために）（例えば、「ＨＩＩＴ」（「好気性」）のような英数字ストリング、「ｃａｒｄｉｏ」、「高輝度」（「柔軟性」）、プロセッサによって、決定する関連する、（例えば、有益な）それらの遺伝子タイピング・データに基づくユーザ、そして、決定、トレーニング・クラスを推薦される一つ以上は、以下を有する：トレーニング・クラスが該当する特定の分類を確認する一つ以上のプログラムに特有の適合性タグと、各々複数の格納されたトレーニング・クラスから成るトレーニング・クラス・データベースにアクセスすることは、関連した、そして、データベースの範囲内で体育学プロフィールのユーザに特有の適合性タグをトレーニング・クラスのプログラムに特有の適合性タグと適合させること。
【００５８】
ある種の実施形態では、方法は成り立つ。そして、ユーザ（例えば、ユーザのモバイルコンピューティング装置上のプレゼンテーションのための）に対するプレゼンテーションのために、プロセッサによって、トレーニング・クラスと関連した付加的情報を表しているグラフィックスまたはテキストのグラフィック翻訳を引き起こす、（例えば、クラスが提供される一つ以上の時間、例えば、クラスが提供される一つ以上の位置（例えば、特定のジムのうち）、例えば、クラスのコスト、例えば、クラスの契約をする関連）。
【００５９】
ある種の実施形態では、方法は、プロセッサによって、ユーザの移動健康装置により記録される移動健康データを受信する（および／または接近している）ことを更に含む、そして、方法は、プロセッサによって、ユーザおよび受信移動健康データのための遺伝子タイピング・データに基づいて一つ以上の推奨された購入品を自動的に確認することを含む。
【００６０】
ある種の実施形態では、購入品を推薦される一つ以上は、一つ以上の移動健康装置（および／または移動健康装置に作用している一つ以上のソフトウェア・アプリ）から成る。
【００６１】
ある種の実施形態では、購入品を推薦される一つ以上は、以下を有する：第一の推奨された購入（例えば、食事プログラム、適合性プログラム、脳波フィードバック・プログラムまたは行動のプログラム）、そして、第１のと関連した少なくとも一つの一つ以上移動健康装置（および／または移動健康装置に作用している一つ以上のソフトウェア・アプリ）は、購入を推奨した、（例えば、それは、第１の推奨された購入のユーザによる使用を容易にする）。
【００６２】
別の態様においては、本発明は、グラフィカル・ユーザ・インタフェース（ＧＵＩ）（個人の遺伝子のプロフィールの評価に基づく購入勧告）を介してユーザにグラフィック翻訳およびプレゼンテーションを自動的に確認して、提供するシステムに向けられる、上記のシステムは、以下の新規事項を備える。
【００６３】
プロセッサ、そして、その上に格納される指示を有するメモリ、そこにおいて、プロセッサにより実行されるときに、指示は以下にプロセッサを生じさせる：(a)ユーザ（例えば、一つ以上のＳＮＰ（一つ以上の遺伝子と関連した各ＳＮＰ）の一つ以上の遺伝子タイピング測定値）の生体試料に対応する遺伝子タイピング・データを（および／または接近する）受信する、(b)自動的に、ユーザのための遺伝子タイピング・データに基づいて、一つ以上の推奨された購入品を確認する、そして、(c)ユーザ（例えば、ユーザのモバイルコンピューティング装置上のプレゼンテーションのための）に対するプレゼンテーションのために、推奨された購入品（例えば、例えば、遺伝子タイピング・データ結果の提出と同じアプリで、アプリの購入オプションとして推奨された購入を提示する）に対応する一つ以上のアイコンおよび／または英数字ストリングのグラフィック翻訳が生じる。
【００６４】
ある種の実施形態では、受信遺伝子タイピング・データは、一つ以上のＳＮＰの一つ以上の遺伝子タイピング測定値の結果から成る、ステップ（ｂ）で確認される購入品を推薦される一つ以上の少なくとも１つは、測定されたＳＮＰの少なくとも１つと関係している、指示は、プロセッサに少なくとも一つの推奨された購入が関連する［例えば、ユーザが有するＳＮＰの特定の異型および／または異型と関連した有資格者と一緒に、それが関連する少なくとも一つの測定されたＳＮＰおよび／または遺伝子を、確認するグラフィックスおよび／またはテキストから、グラフ図は成る］、少なくとも一つの測定されたＳＮＰのグラフ図から成る評価ＧＵＩ図のグラフィック表現が生じさせる、そして、ステップ（ｃ）で、指示は、プロセッサにアイコンおよび／または英数字ストリングを少なくとも一つの測定されたＳＮＰの遺伝子タイピング測定の結果のグラフ図と視覚的に関連させる方法の評価ＧＵＩ一覧の範囲内でアイコンのグラフィック表現および／または少なくとも一つの推奨された購入に対応する英数字ストリングが生じさせる。
【００６５】
ある種の実施形態では、指示は、以下にプロセッサを生じさせる：ステップ（ｃ）で、特定の推奨された購入に対応する選択可能なボタンとして、一つ以上のアイコンおよび／または英数字ストリングの少なくとも１つのグラフィック翻訳が生じる、そして、特定の推奨された購入を購入するための特定の小売商の所定のサイトへのリンク（例えば、ウェブリンク）と選択可能なボタンを関連させる。そうすると、選択可能なボタンのユーザ選択は特定の小売商から特定の推奨された購入品のそれらの購入を開始する。
【００６６】
ある種の実施形態では、指示は、以下にプロセッサを生じさせる：特定の推奨された購入に対応する選択可能なボタンのユーザ選択の徴候を受信する、自動的に、支払いからデータベース（ユーザのための支払情報）を検索する（例えば、クレジット・カード情報、例えば、オンライン支払いサービス・アカウント情報）、そして、特定のベンダー（例えば、選択可能なボタンの単一のクリックを越えたユーザ相互作用が特定の推奨された購入品のそれらの購入を完了することを必要としないように）に、ユーザ支払情報を提供する。
【００６７】
ある種の実施形態では、一つ以上の推奨された購入品は、一つ以上の補助食品（例えば、栄養剤）から成る。
【００６８】
ある種の実施形態では、一つ以上の推奨された購入品は、食事プログラムからなる群から選択される一つ以上の部材から成る、適合性プログラム、脳波フィードバック・プログラム、行動のプログラム（例えば、焦点プログラム、ＡＤＨＤ援助プログラム）、そして、個別的治療。
【００６９】
ある種の実施形態では、一つ以上の部材は、遺伝子タイピング・データに基づく個別的プログラムまたは治療法である。
【００７０】
ある種の実施形態では、プロセッサにより実行されるときに、指示は以下にプロセッサを生じさせる：自動的に、ユーザのゲノムのＳＮＰの異型に基づいて購入品を推薦される一つ以上を確認する。
【００７１】
ある種の実施形態では、遺伝子タイピング測定を経て測定される一つ以上のＳＮＰの各々のために、ユーザが有する測定されたＳＮＰの特定の異型を確認しておよび／または分類するユーザに特有の異型目的から、ステップ（ａ）で受け取られる遺伝子タイピング・データは、成る、そして、ステップ（ｂ）で、指示は、以下にプロセッサを生じさせる：複数の購入勧告目的から成っていて、特定の可能性が購入を推薦されることを各々表している購入勧告データベースにアクセスするそこにおいて、各購入勧告目的は、一つ以上の格納された異型目的と関係している、購入品を推薦される一組の一つ以上の可能性を決定するために、ユーザに特有の異型のマッチ一つ以上は格納された異型目的の一つ以上に反対する。そして、各可能性が一つ以上のマッチしている格納された異型目的の少なくとも１つと関連した購入勧告目的により表されるセットの購入を推薦される、そして、購入品を推薦される可能性の決定されたセットから、購入品を推薦される一つ以上を確認する。
【００７２】
ある種の実施形態では、遺伝子タイピング測定を経て測定される一つ以上のＳＮＰの各々のために、ユーザが有する測定されたＳＮＰの特定の異型を確認しておよび／または分類するユーザに特有の異型目的は、関連される(i)測定されたＳＮＰを確認するＳＮＰ参照および／または測定されたＳＮＰが関連する遺伝子を確認する遺伝子識別子、そして、(ii)ユーザが有する測定されたＳＮＰの特定の異型を確認する測定結果および／またはユーザが有する測定されたＳＮＰの特定の異型を分類する有資格者以下の通り格納された異型が関連されると反対する一つ以上の各々(i)格納された異型目的が表す特定の異型を有する特定のＳＮＰを、確認するＳＮＰ参照および／または特定のＳＮＰが関連する遺伝子を確認する遺伝子識別子、そして、(ii)異型目的が表す特定のＳＮＰの特定の異型を確認する測定結果および／または格納された異型目的が表す特定のＳＮＰの特定の異型を分類する有資格者以下の通りそして、指示によって、格納された異型目的と合うユーザに特有の異型目的から成るマッチしている対ごとに、ユーザに特有の異型目的の一つ以上を格納された異型目的の一つ以上と合わせるプロセッサが生じる：(A)マッチしている少なくとも一つ(i)マッチしている一対の格納された異型目的と関連したＳＮＰ参照のマッチしている片方のユーザに特有の異型目的と関連したＳＮＰ参照、そして、(ii)遺伝子識別子は、マッチしている一対の格納された異型目的と関連した遺伝子識別子のマッチしている片方のユーザに特有の異型目的と関連した、そして、(B)マッチしている少なくとも一つ(i)マッチしている一対の格納された異型目的と関連した測定結果のマッチしている片方のユーザに特有の異型目的と関連した測定結果、そして、(ii)マッチしている一対の格納された異型目的と関連した有資格者のマッチしている片方のユーザに特有の異型目的と関連した有資格者。
【００７３】
ある種の実施形態では、購入品を推薦される一つ以上は、以下を有する：ユーザの一つ以上の推奨されたレシピから成るカスタム食事プログラム、そこにおいて、指示は、以下にプロセッサを生じさせる：ユーザのための遺伝子タイピング・データに基づいて、ユーザのための食事のガイドラインおよび／または味覚選択を代表するユーザの食事のプロフィールを決定する、ユーザ食事のプロフィールに基づいてカスタムメイドの食事計画を決定する。
【００７４】
ある種の実施形態では、食事のプロフィールは、以下を有する：それらの遺伝子タイピング・データに基づいてユーザと関連するように、プロセッサによって、特殊な一般の食餌療法［例えば、ユーザがいずれを従わせなければならないか（例えば、英数字ストリング（例えば「菜食主義者」、「絶対菜食主義者」、「乳製品を含まなくて」「ｐｅｓｃａｔａｒｉａｎ」）は、「グルテンを含まなくて」「ｐａｌｅｏ」、「低糖」、などを「ラクトース解放する」）］を、確認する一組のユーザに特有の食事のタグおよび／またはアレルゲン［例えば、ユーザが回避しなければならない（例えば、英数字ストリング（例えば「酪農」、「南京豆」、「ナット」、「グルテン」、など）ために］は、決定された以下の通りそして、指示は、プロセッサに以下でカスタムメイドの食事計画を測定させる：複数の所定の食事プログラムから成っていて、一つ以上の製法の所定のセットから各々成っている食事データベースにアクセスすることそこにおいて、特殊な一般の食餌療法（例えば、食事プログラムがいずれを従わせるか）および／またはアレルゲンを、確認する一つ以上のプログラムに特有の食事のタグと、各食事プログラムは関係している（例えば、それは食事プログラムの一つ以上の製法に存在する、例えば、それは、食事プログラムのすべての製法には無い）、そして、食事データベースの範囲内で食事のプロフィールのユーザに特有の食事のタグを食事プログラムのプログラム食事のタグと適合させること。
【００７５】
ある種の実施形態では、食事のプロフィールは、以下を有する：それらの遺伝子タイピング・データに基づいてユーザと関連するように、決定される特殊な一般の食餌療法（例えば、ユーザがいずれを従わせなければならないか）および／またはアレルゲン（例えば、ユーザが回避しなければならないために）を、確認する一組のユーザに特有の食事のタグ以下の通りそして、指示は、プロセッサに以下でカスタムメイドの食事計画を測定させる：複数の格納された製法から成る食事データベースにアクセスすること、そこにおいて、特殊な一般の食餌療法（例えば、格納された製法がいずれを従わせるか）および／またはアレルゲンを、確認する一つ以上の製法に特有の食事のタグと、各格納された製法は関係している（例えば、それは格納された製法に存在する、例えば、それは、格納された製法には無い）、そして、格納された製法のサブセットを決定するために食事データベースの範囲内で食事のプロフィールのユーザに特有の食事のタグを格納された製法の製法に特有の食事のタグと適合させること、そして、格納された製法のサブセットから、一つ以上を選択することは、カスタム食事プログラムの製法を推奨した。
【００７６】
ある種の実施形態では、食事のプロフィールは、以下を有する：それらの遺伝子タイピング・データに基づいてユーザと関連するように、決定される特殊な一般の食餌療法（例えば、ユーザがいずれを従わせなければならないか）および／またはアレルゲン（例えば、ユーザが回避しなければならないために）を、確認する一組のユーザに特有の食事のタグ以下の通りそして、指示は、プロセッサに以下でカスタムメイドの食事計画を測定させる：(A)複数の格納された製法から成る食事データベースにアクセスして、各々は、格納された製法で使用する複数の成分を確認している成分リストから成る製法を格納した、そして、(B)成分リストに基づいて格納された製法（それ）が成り立つと、複数の格納された製法の一つ以上の製法のサブセットの各々のために、決定すること(i)ユーザに特有の食事のタグの一つ以上だけ確認される一つ以上の一般の食事に、格納された製法は、従うおよび／または(ii)格納された製法は、ユーザに特有の食事タグの一つ以上だけ確認されるいかなるアレルゲンも含まない、そして、(C)ステップ（Ｂ）で決定される格納された製法のサブセットから選択して、ステップ（Ｂ）で決定ものに応答して、一つ以上は、カスタムメイドの食事計画の製法を推奨した。
【００７７】
ある種の実施形態では、ユーザ（例えば、ユーザのモバイルコンピューティング装置上のプレゼンテーションのための）に対するプレゼンテーションのために、指示は、プロセッサにカスタムメイドの食事計画の製法を推薦される一つ以上の表現のグラフィック解釈が生じさせる（例えば、以下のいずれかのグラフィック翻訳を引き起こして、製法を推薦される一つ以上の各々のために：(i)製法の表題、(ii)製法によって、できる皿の画像、(iii)製法の要素のリスト、(iv)製法の調理手順）。
【００７８】
ある種の実施形態では、カスタムメイドの食事計画は、以下を有する：一つ以上の特定のレストランの識別および／またはユーザが推奨された製法（例えば、製法情報を食事データベースの記憶に提供する参加しているレストランおよび／または参加している食品デリバリ・サービス）の少なくとも一つの製法を得ることができる食品デリバリ・サービス。
【００７９】
ある種の実施形態では、購入品を推薦される一つ以上は、以下を有する：一つ以上から成るカスタム適合性プログラムはトレーニング・クラスを推奨した。そして、それぞれは一つ以上の特定のＳＮＰの一つ以上の特定の異型および／または有資格者と関係している。
【００８０】
ある種の実施形態では、購入品を推薦される一つ以上は、以下を有する：一つ以上の推奨されたトレーニング・クラスから成るユーザのためのカスタム適合性プログラム、そこにおいて、指示は、以下にプロセッサを生じさせる：遺伝子タイピングに基づいて、ユーザのためのデータ、ユーザが強調しなければならなくておよび／またはそれらの固有の適合性ニーズに基づいてそれを回避しなければならない特定のタイプの運動を、代表するユーザの体育学プロフィールおよび／または特定のタイプの損傷に対する素因を決定する、そして、ユーザ体育学プロフィールに基づいてトレーニング・クラスを推薦される一つ以上を決定する。
【００８１】
ある種の実施形態では、体育学プロフィールは、以下を有する：特定のトレーニング分類を確認する一組のユーザに特有の適合性タグ（例えば、それは、ユーザに推薦される、例えば、ユーザが回避しなければならないために）（例えば、「ＨＩＩＴ」（「好気性」）のような英数字ストリング、「ｃａｒｄｉｏ」、「高輝度」、「柔軟性」）それらの遺伝子タイピング・データに基づいてユーザと関連するように決定されたこと、（プロセッサによる）そして、指示は、プロセッサに一つ以上が以下によって、クラスをトレーニングに推薦したと決定させる：トレーニング・クラスが該当する特定の分類を確認する一つ以上のプログラムに特有の適合性タグと、各々複数の格納されたトレーニング・クラスから成るトレーニング・クラス・データベースにアクセスすることは、関連した、そして、データベースの範囲内で体育学プロフィールのユーザに特有の適合性タグをトレーニング・クラスのプログラムに特有の適合性タグと適合させること。
【００８２】
ある種の実施形態では、ユーザ（例えば、ユーザのモバイルコンピューティング装置上のプレゼンテーションのための）に対するプレゼンテーションのために、インストラクションは、プロセッサにトレーニング・クラスと関連した付加的情報の表現のグラフィック解釈が生じさせる（例えば、種類が提供される一つ以上の時間、例えば、クラスが提供される一つ以上の位置（例えば、特定のジムのうち）、例えば、クラスのコスト、例えば、クラスの契約をする関連）。
【００８３】
ある種の実施形態では、プロセッサにより実行されるときに、指示は以下にプロセッサを生じさせる：ユーザの移動健康装置により記録される（および／またはアクセス）移動健康データを受信する、そして、自動的に、ものを確認する、さもなければ、より推奨された購入品はユーザおよび受け取ったもののための遺伝子タイピング・データに移動健康データの基礎をおいた。
【００８４】
ある種の実施形態では、購入品を推薦される一つ以上は、一つ以上の移動健康装置（および／または移動健康装置に作用している一つ以上のソフトウェア・アプリ）から成る。
【００８５】
ある種の実施形態では、購入品を推薦される一つ以上は、以下を有する：第一の推奨された購入（例えば、食事プログラム、適合性プログラム、脳波フィードバック・プログラムまたは行動のプログラム）、そして、第１のと関連した一つ以上の移動健康装置（および／または移動健康装置に操作可能な一つ以上のソフトウェア・アプリ）は、購入を推奨した、（例えば、それは、第１の推奨された購入のユーザによる使用を容易にする）。
【００８６】
別の態様においては、購入勧告オブジェクトを作成する方法を、本発明は、目的とする、上記の方法は、以下の新規事項を備える。
【００８７】
(a)コンピュータのプロセッサによって、それらの遺伝子タイピング・データ（例えば、遺伝子の特定の異型をもつ個人用に）に基づいて個人用に推奨される推奨された購入（例えば、補助食品、プログラムおよび／または移動健康装置）に、対応する購入勧告目的の作成のためのグラフィック・ユーザ・インターフェース・エレメント（例えば、ウィジェット）を示すこと、そこにおいて、購入勧告目的は、推奨された購入を記載する（例えば、確認する）一つ以上のアイコンおよび／または英数字ストリングから成る、(b)グラフィック・ユーザ・インターフェース・エレメント（購入勧告目的）を経た、プロセッサによって、受信、(c)プロセッサによって、グラフィック・ユーザ・インターフェース・エレメントを介して受けて、推奨された購入が推奨される１人以上のゲノム有権者（例えば、遺伝子、ＳＮＰ、異型）に、対応するゲノム・オブジェクト（例えば、遺伝子目的、ＳＮＰ目的、異型目的）を、一つ以上の開発者選択は、格納した、(d)プロセッサによって、購入勧告目的を一つ以上と関連させることは、ゲノム・オブジェクトを格納した、そして、(e)プロセッサによって、購入勧告目的と更に更新することおよび／または検索（例えば、購入勧告目的を個人に表示する際の）の一つ以上の格納されたゲノム・オブジェクトの間に購入勧告目的および関連を格納すること。
【００８８】
ある種の実施形態では、購入勧告オブジェクトは、以下を含む：推奨された購入（例えば、アプリで、または、外部のウェブ・ページ上の）を購入するための関連。
【００８９】
ある種の実施形態では、推奨された購入は、一つ以上の栄養補助食品および／または栄養剤から成る。
【００９０】
ある種の実施形態では、推奨された購入品は、以下を含む：食事プログラムからなる群から選択される部材、適合性プログラム、脳波フィードバック・プログラム、行動のプログラム（例えば、焦点プログラム、ＡＤＨＤ援助プログラム）、そして、個別的治療。
【００９１】
ある種の実施形態では、推奨された購入は、個人（例えば、移動健康装置によって、追跡可能な健康データ）のための彼または彼女の遺伝子タイピング・データおよび健康データに基づいて個人用に推奨される。
【００９２】
別の態様においては、本発明は、購入勧告を個人遺伝子のプロフィール製品に連結するシステムに向けられる、上記のシステムは、以下の新規事項を備える。
【００９３】
プロセッサ、そして、その上に格納される指示を有する非一時的コンピュータ可読媒体、そこにおいて、プロセッサにより実行されるときに、指示は以下にプロセッサを生じさせる：推奨された購入（遺伝子の特定の異型をもつ個人用に推奨される）に、対応する購入勧告目的の作成のためのグラフィック・ユーザ・インターフェース・エレメント（例えば、ウィジェット）を示すそこにおいて、購入勧告目的は、推奨された購入を記載する（例えば、確認する）一つ以上のアイコンおよび／または英数字ストリングから成る、グラフィック・ユーザ・インターフェース・エレメントを介して、購入勧告目的を受信する、グラフィック・ユーザ・インターフェース・エレメントを介して、推奨された購入が推奨される１人以上のゲノム有権者（例えば、遺伝子、ＳＮＰ、異型）に、対応する一つ以上の格納されたゲノム・オブジェクト（例えば、遺伝子目的、ＳＮＰ目的、異型目的）の開発者選択を受信する、購入勧告目的を一つ以上の格納されたゲノム・オブジェクトと関連させる、そして、購入勧告目的と更に更新することおよび／または検索（例えば、購入勧告目的を個人に表示する際の）の一つ以上の格納されたゲノム・オブジェクトの間に購入勧告目的および関連を格納する。
【００９４】
ある種の実施形態では、購入勧告オブジェクトは、以下を含む：推奨された購入（例えば、アプリで、または、外部のウェブ・ページ上の）を購入するための関連。
【００９５】
ある種の実施形態では、推奨された購入は、一つ以上の栄養補助食品および／または栄養剤から成る。
【００９６】
ある種の実施形態では、推奨された購入品は、以下を含む：食事プログラムからなる群から選択される部材、適合性プログラム、脳波フィードバック・プログラム、行動のプログラム（例えば、焦点プログラム、ＡＤＨＤ援助プログラム）、そして、個別的治療。
【００９７】
ある種の実施形態では、推奨された購入は、個人（例えば、移動健康装置によって、追跡可能な健康データ）のための彼または彼女の遺伝子タイピング・データおよび健康データに基づいて個人用に推奨される。
【００９８】
別の態様においては、本発明は、個人の遺伝子のプロフィールの評価に基づいて遺伝的に手直しされた通知を個人の一つ以上の移動健康装置に自動的に提供する方法に向けられる、上記の方法は、以下の新規事項を備える。
【００９９】
コンピュータのプロセッサによって、遺伝子タイピング・データ（例えば、個人遺伝子のプロフィール評価）を受信する（および／または接近している）ことは、ユーザ（例えば、一つ以上のＳＮＰ（一つ以上の遺伝子と関連した各ＳＮＰ）の一つ以上の遺伝子タイピング測定値）の生体試料に対応する以下の通りプロセッサによって、フィードバック勧告を自動的に決定すること（例えば、身体活動レベルを低下させる勧告、例えば推奨された身体活動レベル、例えば推奨された数の熟慮セッション）ユーザ（例えば個人遺伝子のプロフィール評価）のための遺伝子タイピング・データに基づいて、そして、引き起こすこと、プロセッサによって、作成、ユーザに対するプレゼンテーションが、（例えばユーザ移動健康装置上のプレゼンテーションのために、例えばユーザ・コンピュータ上のプレゼンテーションのために）、通知（例えば、一つ以上のアイコンから成る視覚的にされた通知および／または英数字ストリングは、移動健康装置をユーザに表示した、例えば聴覚器官通知（例えば警報、例えばオーディオメッセージ）、例えば触覚キュー（例えば振動）（例えば視覚的にされた通知のいかなる組合せも、聴覚器官通知および触覚キュー）フィードバック勧告に対応すること。
【０１００】
ある種の実施形態では、方法は、以下を含む：受ける（および／または接近している）こと（例えばネットワークを介して、例えば雲記憶装置から）、プロセッサ、ユーザの一つ以上の移動健康装置からの移動健康データ、一つ以上の移動健康装置により記録される一つ以上の測定値から成る移動健康データによって、そして、プロセッサによって、ユーザ（例えば個人遺伝子のプロフィール評価）および受信移動健康データのための遺伝子タイピング・データに基づいてフィードバック勧告を自動的に決定すること。
【０１０１】
ある種の実施形態では、移動健康データは、以下からなる群から選択される一つ以上の測定値を占める：(i)時間にわたる平均および／または総カロリー摂取量、(ii)ブドウ糖測定、(iii)身体活動レベルの測定基準（例えば、時間にわたってとられる平均および／または総数の処置、例えば記録されたトレーニング）、そして、(iv)脳波測定（例えばＥＥＧ測定）。
【０１０２】
別の態様においては、本発明は、個人の遺伝子のプロフィールの評価に基づいて遺伝的に手直しされた通知を個人の一つ以上の移動健康装置に自動的に提供するシステムに向けられる、上記のシステムは、以下の新規事項を備える。
【０１０３】
プロセッサ、そして、その上に格納される指示を有する非一時的コンピュータ可読媒体、そこにおいて、プロセッサにより実行されるときに、指示は以下にプロセッサを生じさせる：ユーザ（例えば、一つ以上のＳＮＰ（一つ以上の遺伝子と関連した各ＳＮＰ）の一つ以上の遺伝子タイピング測定値）の生体試料に対応する遺伝子タイピング・データ（例えば、個人遺伝子のプロフィール評価）を（および／または接近する）受信する、自動的に、フィードバック勧告を決定する（例えば、身体活動レベルを低下させる勧告、例えば推奨された身体活動レベル、例えば推奨された数の熟慮セッション）ユーザ（例えば個人遺伝子のプロフィール評価）のための遺伝子タイピング・データに基づいて、そして、ユーザに対するプレゼンテーションのために、作成を生じる（例えばユーザ移動健康装置上のプレゼンテーションのために、例えばユーザ・コンピュータ上のプレゼンテーションのために）、通知（例えば、一つ以上のアイコンから成る視覚的にされた通知および／または英数字ストリングは、移動健康装置をユーザに表示した、例えば聴覚器官通知（例えば警報、例えばオーディオメッセージ）、例えば触覚キュー（例えば振動）（例えば視覚的にされた通知のいかなる組合せも、聴覚器官通知および触覚キュー）フィードバック勧告に対応すること。
【０１０４】
ある種の実施形態では、指示は、以下にプロセッサを更に生じさせる：受ける（および／またはアクセス）（例えばネットワークを介して、例えば雲記憶装置から）ユーザ（一つ以上の移動健康装置により記録される一つ以上の測定値から成る移動健康データ）の一つ以上の移動健康装置からの移動健康データ、そして、自動的に、ユーザ（例えば個人遺伝子のプロフィール評価）および受信移動健康データのための遺伝子タイピング・データに基づいて、フィードバック勧告を決定する。
【０１０５】
ある種の実施形態では、移動健康データは、以下からなる群から選択される一つ以上の測定値を占める：(i)時間にわたる平均および／または総カロリー摂取量、(ii)ブドウ糖測定、(iii)身体活動レベルの測定基準（例えば、時間にわたってとられる平均および／または総数の処置、例えば記録されたトレーニング）、そして、(iv)脳波測定（例えばＥＥＧ測定）。
【０１０６】
別の態様においては、本発明は、グラフィカル・ユーザ・インタフェース（ＧＵＩ）（さまざまな参加している小売商への訪問に基づく報酬としてのそれらの個人遺伝子のプロフィール評価の部分）を介してユーザにグラフィック翻訳およびプレゼンテーションを自動的に確認して、提供する方法に向けられる、上記の方法は、以下の新規事項を備える。
【０１０７】
(a)受信する（例えば、および／または接近すること）、コンピュータのプロセッサによって、ユーザの徴候に対応するデータが特定の参加している小売商に訪問すること（例えば、ユーザが特定の参加している小売商の物理的なストアにおいて、ある警報、例えば、ユーザが特定の参加している小売商で購入をしている警報、例えば、ユーザが特定の参加している小売商で購入をした警報）、(b)プロセッサによって、複数のマーチャント識別子（それぞれは特定の参加している小売商を同定する）から成る貿易データベースにアクセスすることそこにおいて、各マーチャント識別子は一つ以上のロックがかからないセットと関係している。そして、それぞれは一つ以上のＳＮＰおよび／または遺伝子の識別子から成る、(c)プロセッサによって、貿易データベースの範囲内で特定の参加している小売商をマーチャント識別子と合わせること、(d)プロセッサによって、一つ以上のロックがかからないセットの少なくとも１つを選択することは、マッチしているマーチャント識別子と関連した、(e)プロセッサによって、ユーザ（例えば、個人遺伝子のプロフィール評価）のための遺伝子タイピング・データにアクセスすること、そこにおいて、：遺伝子タイピング・データは、ユーザのための複数のＳＮＰの遺伝子タイピング測定値の結果を備える。
【０１０８】
少なくとも一部の結果は、まず最初に係止される、そして、少なくとも一部の初めに係止された結果は、選択されたロックがかからないセットに対応する、そして、(f)プロセッサによって、選択されたロックがかからないセットに対応する初めに係止された結果の部分を解錠する（例えば、そして、解錠することの後、ユーザに解錠すること通知書を交付すること）。
【０１０９】
ある種の実施形態では、ユーザ（例えば、ユーザ・モバイルコンピューティング装置上のプレゼンテーションのための）に対するプレゼンテーションのために、方法は、プロセッサによって、ロックがかかってない結果のグラフ図のグラフィック表現が生じることを含む。
【０１１０】
ある種の実施形態では、方法は、プロセッサによって、ユーザに取引通知書を交付することを含む（例えば、電子メール、例えば、テキストメッセージ、例えば、プッシュ通知）、特定の参加している小売商の識別および特定の参加している小売商を同定するマーチャント識別子と関連した一つ以上のロックがかからないセットの識別から成る取引通知。
【０１１１】
ある種の実施形態では、方法は、以下を含む：プロセッサによって、ユーザ（例えば、ユーザの多機能電話からのＧＰＳデータに基づく）の位置を確認するユーザ位置データを受信すること、ユーザ位置データを使用してプロセッサによって、決定するあるユーザ（例えば、所定の距離の中で）特定の参加している小売商の物理的な位置（例えば、ストア）、そして、それを決定することに応答して、プロセッサ（ユーザに対する取引通知）によって、出て、ユーザは、特定の参加している小売商の物理的な位置に近接している。
【０１１２】
ある種の実施形態では、少なくとも特定の参加している小売商にマッチしているマーチャント識別子と関連した一つ以上のロックがかからないセットの部分（例えば、一つ以上）の各々はセットを解錠するための条件セットと関係している。そして、ユーザ、少なくとも一つのロックがかからないセットから成る、の通知、解錠するための関連する基準に、プロセッサによって、方法は出ることを含む。
【０１１３】
ある種の実施形態では、特定の参加している小売商へのユーザ訪問の徴候に対応するデータが選択されたロックがかからないセットと関連した条件セットを満たすと確定することを、ステップ（ｄ）は、含む。
【０１１４】
別の態様においては、本発明は、つくる方法を目的として、貿易データベースにおいて、参加している小売商と関連した遺伝子のプロフィール評価報酬を保存している、上記の方法は、以下の新規事項を備える。
【０１１５】
(a)コンピュータのプロセッサによって、遺伝子のプロフィール評価報酬の作成のためのグラフィック・ユーザ・インターフェース・エレメント（例えば、ウィジェット）を示すことは、特定の参加している小売商と関連した、(b)受けること、（ＧＵＩ要素（特定の参加している小売商を同定するマーチャント識別子）を介して、プロセッサによる）(c)プロセッサによって、ＧＵＩ要素を介して受信する、一つ以上のＳＮＰの一組の識別子の中で選択、そして、または、懸賞金で解錠される一部の遺伝子タイピング・データ結果を確認するロックがかからないセットを作製する遺伝子、(d)プロセッサによって、マーチャント識別子をつくられたロックがかからないセットと関連させること、そして、(e)プロセッサ、マーチャント識別子および貿易データベースのロックがかからないセットとの共同によって、格納する更に更新しておよび／または接近することの例えば、データを解錠するために、（）。
【０１１６】
ある種の実施形態では、方法は、以下を含む：受けること、（ＧＵＩ要素（結果を解錠するための条件セット）を介して、プロセッサによる）プロセッサによって、条件セットをロックがかからないセットと関連させること、そして、プロセッサによって、ロックがかからないセットとの関連を貿易データベースに格納すること。
【０１１７】
別の態様においては、本発明は、グラフィカル・ユーザ・インタフェース（ＧＵＩ）（さまざまな参加している小売商への訪問に基づく報酬としてのそれらの個人遺伝子のプロフィール評価の部分）を介してユーザにグラフィック翻訳およびプレゼンテーションを自動的に確認して、提供するシステムに向けられる、上記のシステムは、以下の新規事項を備える。
【０１１８】
コンピュータのプロセッサ、そして、その上に格納される指示を有するメモリ、そこにおいて、プロセッサにより実行されるときに、指示は以下にプロセッサを生じさせる：(a)受信する（例えば、および／またはアクセス）、ユーザの徴候に対応するデータは、特定の参加している小売商に訪問する（例えば、ユーザが特定の参加している小売商の物理的なストアにおいて、ある警報、例えば、ユーザが特定の参加している小売商で購入をしている警報、例えば、ユーザが特定の参加している小売商で購入をした警報）、(b)複数のマーチャント識別子（それぞれは特定の参加している小売商を同定する）から成る貿易データベースにアクセスするそこにおいて、各マーチャント識別子は一つ以上のロックがかからないセットと関係している。そして、それぞれは一つ以上のＳＮＰおよび／または遺伝子の識別子から成る、(c)貿易データベースの範囲内で特定の参加している小売商をマーチャント識別子と合わせる、(d)マッチしているマーチャント識別子と関連した一つ以上のロックがかからないセットの少なくとも１つを選択する、(e)ユーザ（例えば、個人遺伝子のプロフィール評価）のためのアクセス遺伝子タイピング・データ、そこにおいて、：遺伝子タイピング・データは、ユーザのための複数のＳＮＰの遺伝子タイピング測定値の結果を備える。
【０１１９】
少なくとも一部の結果は、まず最初に係止される、そして、少なくとも一部の初めに係止された結果は、選択されたロックがかからないセットに対応する、そして、(f)選択されたロックがかからないセットに対応する初めに係止された結果の部分を解錠する（例えば、そして、解錠することの後、解錠することの通知をユーザに出す）。
【０１２０】
ある種の実施形態では、ユーザ（例えば、ユーザ・モバイルコンピューティング装置上のプレゼンテーションのための）に対するプレゼンテーションのために、指示は、プロセッサにロックがかかってない結果のグラフ図のグラフィック表現が生じさせる。
【０１２１】
ある種の実施形態では、指示は、プロセッサにユーザに取引通知書を交付させる（例えば、電子メール、例えば、テキストメッセージ、例えば、プッシュ通知）、特定の参加している小売商の識別および特定の参加している小売商を同定するマーチャント識別子と関連した一つ以上のロックがかからないセットの識別から成る取引通知。
【０１２２】
ある種の実施形態では、指示は、以下にプロセッサを生じさせる：ユーザ（例えば、ユーザの多機能電話からのＧＰＳデータに基づく）の位置を確認するユーザ位置データを受信する、ユーザ位置データを使用して決定する、あるユーザ（例えば、所定の距離の中で）特定の参加している小売商の物理的な位置（例えば、ストア）、そして、ユーザが特定の参加している小売商の物理的な位置に近接していると決定することに応答して、ユーザに取引通知書を交付する。
【０１２３】
ある種の実施形態では、少なくとも特定の参加している小売商にマッチしているマーチャント識別子と関連した一つ以上のロックがかからないセットの部分（例えば、一つ以上）の各々はセットを解錠するための条件セットと関係している。そして、指示はプロセッサにユーザに、少なくとも一つのロックがかからないセットのために、解錠するための関連する基準から成っている通知書を交付させる。
【０１２４】
ある種の実施形態では、ステップ（ｄ）で、指示は、プロセッサに特定の参加している小売商へのユーザ訪問の徴候に対応するデータが選択されたロックがかからないセットと関連した条件セットを満たすと決定させる。
【０１２５】
別の態様においては、本発明は、つくるシステムを目的として、貿易データベースにおいて、参加している小売商と関連した遺伝子のプロフィール評価報酬を保存している、上記のシステムは、以下の新規事項を備える。
【０１２６】
コンピュータのプロセッサ、そして、その上に格納される指示を有するメモリ、そこにおいて、プロセッサにより実行されるときに、指示は以下にプロセッサを生じさせる：(a)コンピュータのプロセッサによって、遺伝子のプロフィール評価報酬の作成のためのグラフィック・ユーザ・インターフェース・エレメント（例えば、ウィジェット）を示すことは、特定の参加している小売商と関連した、(b)受けること、（ＧＵＩ要素（特定の参加している小売商を同定するマーチャント識別子）を介して、プロセッサによる）(c)プロセッサによって、ＧＵＩ要素を介して受信する、一つ以上のＳＮＰの一組の識別子の中で選択、そして、または、懸賞金で解錠される一部の遺伝子タイピング・データ結果を確認するロックがかからないセットを作製する遺伝子、(d)プロセッサによって、マーチャント識別子をつくられたロックがかからないセットと関連させること、そして、(e)プロセッサ、マーチャント識別子および貿易データベースのロックがかからないセットとの共同によって、格納する更に更新しておよび／または接近することの例えば、データを解錠するために、（）。
【０１２７】
ある種の実施形態では、指示は、以下にプロセッサを生じさせる：ＧＵＩ要素を介して、結果を解錠するための条件セットを受ける、条件セットをロックがかからないセットと関連させる、そして、ロックがかからないセットとの関連を貿易データベースに格納する。
【０１２８】
定義現在の開示が、より容易に理解されるために、本願明細書において、用いられる特定の条件は、下で定められる。
【０１２９】
以下の条件および他の条件のための付加的な定義は、仕様の全体にわたって記載されることができる。
【０１３０】
この応用例では、使用「または」特に明記しない限り手段「および／または」。
【０１３１】
本明細書で使用する「成り立つ」、そして、用語のバリエーション、例えば、「成る」、そして、「成る」、他の添加物、構成要素、整数またはステップを除外する目的とする。
【０１３２】
本出願発明において、用いられているように、条件が、等価物として、「あたりを」、そして、「ほぼ」使われる。
【０１３３】
ａｂｏｕｔ／ａｐｐｒｏｘｉｍａｔｅｌｙの有無にかかわらないこの用途で使用するいかなる数字も、関連した技術の当業者によって、認められるいかなる通常の変動もカバーするはずである。
【０１３４】
遺伝子タイピング・データ：本明細書中で使用する場合、「遺伝子タイピング・データ」という用語は、遺伝子型の測定値から得られるデータを意味する。
【０１３５】
それがそうである特定のヌクレオチド（また、「ベース」と呼ばれる）を、生体試料に実行される遺伝子型の測定値は、確認する／生体試料から引き抜かれる遺伝物質の一つ以上の特定位置に組み込む。
【０１３６】
したがって、特定の個人のための遺伝子タイピング測定値は、個人からの生体試料に実行される測定値である。そして、いずれが、それらのゲノムの範囲内で一つ以上の特定の位置に存在する特定のヌクレオチドを確認するか。
【０１３７】
ある種の実施形態では、遺伝子タイピング・データは、個人の表現型を記載する。
【０１３８】
遺伝子タイピング・データは、特定の遺伝子（例えば、個人の遺伝子配列（例えば、ＤＮＡ配列）の部分）、ＳＮＰまたはＳＮＰの異型の測定値でもよい。
【０１３９】
例えば、個人のための特定のＳＮＰの遺伝子タイピング測定は、個人が有するそのＳＮＰの特定の異型を確認する。
【０１４０】
個人のための特定の遺伝子の遺伝子タイピング測定は、個人のための遺伝子の範囲内でおよび／またはそれに近接して一つ以上の位置に存在する特定のヌクレオチドを確認する。
【０１４１】
例えば、特定の遺伝子の遺伝子タイピング測定値は、特定の遺伝子と関連した一つ以上のＳＮＰの特定の異型を確認できる。
【０１４２】
ある種の実施形態では、遺伝子タイピング・データは、多重遺伝子パネルから得られる。
【０１４３】
ある種の実施形態では、特定のＳＮＰの一つ以上の特定の異型を検出する分析法（例えば、ＴａｑＭａｎ＝分析）から、遺伝子タイピング・データは、得られる。
【０１４４】
ある種の実施形態では、遺伝子タイピング・データは、遺伝子の塩基配列決定測定値から得られる。
【０１４５】
ある種の実施形態では、遺伝子タイピング・データは、個人によって、購入または要請に応答して発生する。
【０１４６】
ある種の実施形態では、遺伝子タイピング・データは、一部の遺伝子型（例えば、個人の）のためのデータから成る。
【０１４７】
ある種の実施形態では、遺伝子タイピング・データは、遺伝子型（例えば、個人の）のすべての利用できる測定値を占める。
【０１４８】
補助食品：本願明細書において、ユーザのように、以下の少なくとも１つをするためにユーザにより摂取されて、消費されて、および／または、塗布される製品を、「補助食品」という用語は指す：ｗｅｌｌｂｅｉｎｇすることを強化するか、パフォーマンスを高めるかまたは、機能する。そして、慢性の状態の影響に反対に作用する。
【０１４９】
補助食品は、ビタミン、総合ビタミン剤、ミネラル、栄養補助食品、ハーブ、植物性薬品、濃縮物、代謝物質、抽出物、アミノ酸、店頭薬物、処方薬、局在製品または健康／治療計画でもよいかまたはプログラムしてもよい。
【０１５０】
ある種の実施形態では、補助食品は、しばらくの間ユーザによって、繰り返されている基礎（例えば、日々であるか二回日々の）にとられることになっている。
【０１５１】
期間は、所定の停止期間のない進行中の基礎でもよい。
【０１５２】
ある種の実施形態では、補助食品は、ユーザが登録できるかまたはアクセスを購入できるプログラムまたは療法である。
【０１５３】
例えば、補助食品は、行動のプログラム（例えば焦点プログラムまたは個人的なことと取られた適合性計画（例えば、家庭の運動に用いられる）でもよい。
【０１５４】
異型：本明細書中で使用する場合、「条件異型」とは、人口の遺伝物質で起こっている特定のＳＮＰの特定のバリエーションを意味する。
【０１５５】
ある種の実施形態では、異型は、個人の遺伝物質（例えば個人の父のＤＮＡに対応する）の第１のコピーの第１の対立遺伝子および個人の遺伝物質（例えば個人の母性ＤＮＡに対応する）（偏方二十四面体微生物（例えば人間）に起こる）の２回目のコピーの第２の対立遺伝子の特定の組み合わせである。
【０１５６】
有資格者：本明細書中で使用する場合、「有資格者」という用語は、所与のＳＮＰの特定の異型の分類（例えばラベル）を意味する。
【０１５７】
所与の異型と関連した有資格者は、その異型の特定の分類（例えばラベル）である。
【０１５８】
例えば、所与の異型は、考えられる有資格者の所定のセットの特定の有資格者と関係していてもよい。
【０１５９】
例えば、所与の異型は、「適応する」のような一群のレーベルから選任される有資格者と関係していてもよくて、「正常で」もよいおよび、「才能があっ」てもよい。
【０１６０】
ある種の実施形態では、所与のＳＮＰの所与の異型のために、有資格者は、基づかれる所与の異型の分類に対応する(i)集団（例えば、異型が共有地（例えばもしも）である場合、異型はまれである）内の所与の異型の中で有病率および／または(ii)異型を伴う健康関連の特徴。
【０１６１】
例えば、一般の異型は、「通常の」有資格者と関係していてもよい。
【０１６２】
不利な表現型（例えば高いコレステロールの性質）を与えるまれな異型有資格者と関係していてもよい、「適応する」（例えばまれなおよび不利であると分類される）。
【０１６３】
有利な表現型（例えばコレステロールを降ろす傾向）を与えるまれな異型は、「贈られる」（例えばそれに応じて、異型はまれなおよび有利であると分類される）有資格者と関係していてもよい。
【０１６４】
異型目的：本明細書において、「異型目的」という用語は、データ構造を指す（例えば、それが表すために用いてある）物理的なＳＮＰの特定の異型および／または所与のゲノム（例えば、人間のゲノム）の範囲内の遺伝子。
【０１６５】
ＳＮＰは反対する：本明細書において、「ＳＮＰ目的」という用語はデータ構造を指す（例えば、それが表すために用いてある）特定の単一のヌクレオチド多形性（ＳＮＰ）。
【０１６６】
ある種の実施形態では、ＳＮＰオブジェクトは、以下を含む：ＳＮＰ目的が一致する特定のＳＮＰを確認するＳＮＰ参照。
【０１６７】
ＳＮＰ参照は、英数字コード（例えば電子的に格納されることができるマークまたはレーベルを確認しているＳＮＰまたはその他の認められた名前）でもよい。
【０１６８】
ＳＮＰ参照は、英数字コード（例えば全国ＢｉｏｔｅｃｈｎｏｌｏｇｙＩｎｆｏｒｍａｔｉｏｎ（ＮＣＢＩ）データベース参照番号センター）でもよい。
【０１６９】
遺伝子目的：本明細書において、「遺伝子目的」という用語は、データ構造を指す（例えば、それが表すために用いてある）所与のゲノム（例えばヒトゲノム）の範囲内の特定の物理的な遺伝子。
【０１７０】
カテゴリ：本明細書において、「カテゴリ」という用語は、データ構造を指す（例えば、それが表すために用いてある）特定の健康関連の特徴または特徴。
【０１７１】
製品、遺伝子のプロフィール製品、個人遺伝子のプロフィール製品：本明細書において、用語「製品」（「遺伝子のプロフィール製品」および「個人遺伝子のプロフィール製品」）データ構造に関連する（例えば、それが表すために用いてある）健康関連の特徴の一般のクラスおよび／または特徴。
【０１７２】
ある種の実施形態では、健康関連の特徴の一般の種類に関連した健康関連の特徴および特徴に対応する一つ以上のカテゴリおよび製品が一致する特徴と、製品は、関係している。
【０１７３】
個人遺伝子のプロフィール評価：本明細書において、「個人遺伝子のプロフィール評価」という用語は、データ構造（例えば、データ構造の階層）を指す（例えば、それが表すために用いてある）健康関連の特徴の一つ以上の一般のクラスのためのユーザの表現型および／または特徴。
【０１７４】
ある種の実施形態では、ユーザの遺伝子タイピング・データを予め製の（すなわち、格納された）一般的な個人遺伝子のプロフィール製品と関連させることによって、ユーザの個人遺伝子のプロフィール評価は、発生する。
【０１７５】
ある種の実施形態では、ユーザの個人遺伝子のプロフィール評価は、コンピュータ（例えば、多機能電話）上の評価グラフィカル・ユーザ・インタフェース（「評価ＧＵＩ」）を使用して見られる。
【０１７６】
開発者：本明細書において、人、会社またはデータ構造を作成するためにグラフィカル・ユーザ・インタフェースを使用する組織化を、「開発者」という用語は、指す。
【０１７７】
ある種の実施形態では、開発者も製品存在に対応する評価に応答する生体試料が購入したかまたは個人が利用できるようにした遺伝子型。
【０１７８】
ユーザ：本明細書中で使用する場合、「ユーザ」という用語は、ゲノムに関する情報を見るために評価グラフィカル・ユーザ・インタフェースを使用する人を意味する。
【０１７９】
ユーザは、個人遺伝子のプロフィール評価が形成されるためにｇｅｎｏｔｙｐｅｄである一つ以上の生体試料を供給できる。
【０１８０】
ユーザは、個人遺伝子のプロフィール評価を見るために、一つ以上の製品へのアクセスを購入できるかまたはされることができる。
【０１８１】
ユーザの個人遺伝子のプロフィール評価に基づくグラフィカル・ユーザ・インタフェースで設けられている購入勧告のリストから、ユーザは、一つ以上の補助食品を購入できる。
【０１８２】
条件「ユーザ」および「個人」が、取り換えられて本願明細書において、使われる。
【０１８３】
グラフィック制御要素：本明細書中で使用する場合、「グラフィック制御要素」という用語は、ユーザおよび／または個々の入力を提供するために用いることができるグラフィック・ユーザ・インターフェース・エレメントの要素を意味する。
【０１８４】
グラフィック制御要素は、テキストボックス、ｄｒｏｐｄｏｗｎリスト、ラジオボタン、データフィールド、チェックボックス、ボタン（例えば、選択可能なアイコン）、リストボックスまたはスライダでもよい。
【０１８５】
関連させる、Ａｓｓｏｃｉａｔｅｄ：本明細書において、用語は、そして、「関連されて」、構造が第２のデータ構造に関連している第１のデータのような「結びついて」、２つのデータ構造の間の関連または電子的に格納される（例えばコンピュータ・メモリの）データ・エレメントのコンピュータ代表を指す。
【０１８６】
以下を提供する：本明細書において、「データを提供する」ことのような、用語は、「備える」異なるソフトウェア・アプリケーション、モジュール、システムおよび／またはデータベースの間にデータを通過する方法に関連する。
【０１８７】
ある種の実施形態では、ソフトウェア・アプリケーションの間に、または、同じソフトウェア・アプリケーションの異なるモジュールの間にデータを移送するために、データを提供することは、方法によって、命令実行から成る。
【０１８８】
特定の実施例において、ソフトウェア・アプリケーションは、ファイルの形でデータを他のアプリケーションに提供できる。
【０１８９】
特定の実施例において、アプリケーションは、データを同じプロセッサ上の他のアプリケーションに提供できる。
【０１９０】
特定の実施例において、標準プロトコルは、データを異なる資源上のアプリケーションに提供するために用いることができる。
【０１９１】
特定の実施例において、そのモジュールに対する引数を通過することによって、ソフトウェア・アプリケーションのモジュールは、データを他のモジュールに提供できる。
【０１９２】
移動健康装置：本明細書中で使用する場合、「移動健康装置」という用語は、データ（例えばそれらが物理的な健康に関して実行する動作についての生物学的／物理的な測定値ならびにアクティビティデータ）を記録するために、ユーザが使用する様々なモバイル機器のいずれか一つを意味する。
【０１９３】
移動健康装置により記録されるデータは、本明細書において、「移動健康データ」と称される。
【０１９４】
ある種の実施形態では、身体活動（例えば特定の期間にわたってとられる平均または総数の処置）、記録されたトレーニング（例えば移動健康装置に作用しているソフトウェア・アプリをモニタしている適合性により記録されるように）、睡眠質データおよび脳波データ（例えばＥＥＧ測定値）について、移動健康データは、重量、グルコースレベル、記録されたカロリー摂取量ならびにデータのような測定値を含む。
【０１９５】
ある種の実施形態では、移動健康装置はネットワーク接続される装置である。そうすると、所与の移動健康装置により記録される移動健康データはネットワークの上のプロセッサ（例えば他のコンピュータの）によって、アクセスされることができておよび／または受け取られることが可能である。
【０１９６】
ある種の実施形態では、移動健康装置は、アクティビティ・トラッキングデバイス（例えば運動、ステップ、パルス繰り返し数、睡眠、摂食または他のアクティビティをモニタする装置）、携帯電話（例えば多機能電話）、タブレット型コンピュータ、脳活動監視装置（例えば、監視精神的焦点、敏捷性、精神的ストレス、緩和、睡眠、等の装置）、被接続家庭用装置（例えばネットワーク接続したスケール）を含む。
【図面の簡単な説明】
【０１９７】
限定のためにでない、図面は、図示目的のために本願明細書において、発表される。
【０１９８】
本発明の前述の、そして他の、目的、態様、特徴および利点は、より明らかになって、添付の図面に関連してとられる以下の説明を参照することによって、よりよく理解されることができる、そこにおいて、：
【図１】本発明の実施例によれば、図１は、個人遺伝子のプロフィール製品の異なるデータ構造の間に関連を例示しているブロック図である、
【図２】本発明の実施例によれば、図２は、個人遺伝子のプロフィール製品の組織的階層を示しているブロック図である、
【図３】本発明の実施例によれば、図３は、個人遺伝子のプロフィール評価をつくる方法を示しているブロック図である、
【図４】本発明の実施例によれば、図４は、遺伝子タイピング・データから成る一部のテキストファイルである、
【図５】図５は、本発明の実施例に従ってグラフィカル・ユーザ・インタフェース（ＧＵＩ）（個人の遺伝子のプロフィールの評価に基づく購入勧告）を介してユーザにグラフィック翻訳およびプレゼンテーションを自動的に確認して、提供する方法のブロック図である、
【図６】本発明の実施例によれば、図６は、補助食品購入勧告を個人遺伝子のプロフィール製品に連結する方法のブロック図である、
【図７】本発明の実施例によれば、図７は、本願明細書において、記載されている方法および装置に用いられる実施例ネットワーク環境のブロック図である、
【図８】そして、本発明の実施例用に、図８は、実施例コンピュータおよび実施例モバイルコンピューティング装置のブロック図である。
【図９】本発明の実施例によれば、図９は、それらの遺伝子のプロフィールの評価をユーザに示すための一部のグラフィカル・ユーザ・インタフェースの画面ショットである。
【図１０】本発明の実施例によれば、図１０は、それらの遺伝子のプロフィールの評価をユーザに示すための一部のグラフィカル・ユーザ・インタフェースの画面ショットである。
【図１１Ａ】本発明の実施例によれば、図１１Ａは、特定の遺伝子および測定結果の説明と関連した特定のＳＮＰのための特定の測定結果を示す図を示しているそれらの遺伝子の側面図の評価をユーザに示すための一部のグラフィカル・ユーザ・インタフェースの画面ショットである。
【図１１Ｂ】本発明の実施例によれば、図１１Ｂは、特定の遺伝子と関連した特定のＳＮＰのための特定の測定結果の説明を表示する図を示しているそれらの遺伝子の側面図の評価をユーザに示すための一部のグラフィカル・ユーザ・インタフェースの画面ショットである。
【図１２Ａ】図１２Ａは、実施例に従ってグラフィカル・ユーザ・インタフェース（ＧＵＩ）（さまざまな参加している小売商への訪問に基づくそれらの個人遺伝子のプロフィール評価の部分）を介してユーザにグラフィック翻訳およびプレゼンテーションを自動的に確認して、提供する方法のブロック・フロー図である。
【図１２Ｂ】図１２Ｂはつくる方法のブロック・フロー図である。そして、実施例によれば、貿易データベースにおいて、遺伝子のプロフィール評価報酬を格納することは参加している小売商と関連した。
【図１３】図１３は、決定して、ユーザに対するプレゼンテーションのために、ユーザのための遺伝子タイピング・データに基づいてフィードバック通知書を作成する方法のブロック・フロー図である。
【発明を実施するための形態】
【０１９９】
現在の開示の特徴および効果は、図面を参照しながら、以下に述べる詳細な説明からより明らかになる、そこにおいて、参照符号の様に、全体に対応要素を確認する。
【０２００】
図において、一般に参照番号の様に、同一の、機能的に同等のおよび／または、構造的に類似の要素を示す。
【０２０１】
システム、アーキテクチャ、装置、方法および請求された本発明の処理がバリエーションを含む、そして、改作が本願明細書において、記載されている実施例から情報を使用して発達したと考えられる。
【０２０２】
この説明により考察されるように、本願明細書において、記載されているシステム、アーキテクチャ、装置、方法および方法の適合および／または修正を、実行できる。
【０２０３】
説明の全体にわたって、そこにおいて、物品、装置、システムおよびアーキテクチャは、特定の成分を有するか、含むかまたは成ると、言われる、または、プロセスおよび方法が記載されている所で、特定のステップを含む、または、それから成る、それを有するとして、それは考察される、加えて、物品、装置、システムおよび基本的に詳述された構成要素から成るか、または成る。そして、基本的に詳述された処理ステップから成るか、または成る本発明によって、プロセスおよび方法がある本発明の構造が、ある。
【０２０４】
本発明が操作可能なままの限り、ステップの順序または特定の動作を実行する順序が重要でないことを理解すべきである。
【０２０５】
さらに、二つ以上のステップまたは動きは、同時に行われることができる。
【０２０６】
請求項のいずれかに関する従来技術が本願明細書において、現れたので、いかなる刊行の本願明細書（例えば、Ｂａｃｋｇｒｏｕｎｄ部の）においても記載は刊行がサーブするという承認でない。
【０２０７】
Ｂａｃｋｇｒｏｕｎｄセクションは、明確にするため発表されて、いかなる請求項に関する従来技術の説明としても意味されない。
【０２０８】
強調されるように、文書は本願明細書に引用したものとする。
【０２０９】
特定の用語の意味におけるいかなる矛盾もある所で、上のＤｅｆｉｎｉｔｉｏｎセクションに示される意味は制御である。
【０２１０】
ヘッダは、読者の便宜のために提供されて、請求された内容に関して制限することを目的としない。
【０２１１】
ユーザの個人遺伝子のプロフィールに基づいて購入品（例えば、アプリの購入品）をユーザに自動的に確認して、推薦するためのシステム及び方法が、本願明細書において、示す。
【０２１２】
ある種の実施形態では、ユーザが彼または彼女の個人的なことと取られた遺伝子のプロフィール試験結果に確実に接近する同じソフトウェア・アプリケーション（例えば、多機能電話アプリまたは他のコンピューティング装置アプリケーション）で、この種の購入品の提案は、都合よく提示される。
【０２１３】
また、ユーザの個人遺伝子のプロフィールに基づいて推奨された購入品の提出のためのアプリをカスタマイズするコンピュータアプリケーション開発者ためのシステムと方法は、本願明細書において、提示される。
【０２１４】
ある種の実施形態では、ユーザの個人遺伝子のプロフィールは、ユーザ（例えば、多機能電話アプリを介して）に、プレゼンテーションに対して視覚的に請求される。
【０２１５】
プロフィールは、健康関連の特徴および特徴の一つ以上の異なる製品に限られていることができて、および／またはそれに従って構成されることができる。
【０２１６】
（ｉ）栄養的な特徴（例えば、個人の体が異なる食品および栄養分を加工する方法）を、製品の例は、含む。
【０２１７】
(ii)皮膚健康、(iii)体育学、そして、(iv)個人挙動傾向（例えば、感情移入、中毒の危険度および応力および痛みに対する抵抗力）。
【０２１８】
伝えられた製品の特定のユーザの個人遺伝子のプロフィール結果に応じて、ユーザのプロフィール結果を考慮して、補助食品は、推奨された購入としてユーザにプレゼンテーションのために確認されることができる。
【０２１９】
ある種の実施形態では、それらの特定の遺伝子の構造のため個人のために関連する補助食品の識別の根拠として、データが個人により提供される生体試料から決定した遺伝子タイピングが、用いられる。
【０２２０】
異なる個人は、特定のＳＮＰ（一つ以上の特定の遺伝子と関連した各ＳＮＰ）の異なる異型を有する。
【０２２１】
所与の遺伝子に対応する所与のＳＮＰのために、個人が有する特定の異型は、特定の健康関連の特徴に影響する。
【０２２２】
例えば、重くなることへの個人の傾向、特定のビタミン、長命（例えば、それらが熟成する率）、共同のおよび筋肉健康、耐久性および乏しい体重を処理するそれらの能力および皮膚健康に、これらの健康関連の特徴は、関連があってもよい。
【０２２３】
ある種の実施形態では、補助食品の推奨は、各個人の特定の健康関連の表現型に基づいて、個人になされる。
【０２２４】
個人の一まとまりの遺伝子タイピング・データ（例えば、生物学的特徴に対応する）は、個人遺伝子のプロフィール評価において、格納されることができて、構成されることができる。
【０２２５】
個人遺伝子のプロフィール評価は、遺伝子およびＳＮＰに対応する関連した下部構造を結びつける複雑なデータ構造である。
【０２２６】
彼または彼女の表現型に関する情報を見て、進むために、ユーザによって、用いる評価ＧＵＩにデータを読み込むために、個人遺伝子のプロフィール評価は、用いる。
【０２２７】
ユーザは補助食品の購入推奨に接近することもできる。そして、ユーザのための評価ＧＵＩに埋め込まれる評価ＧＵＩまたは外部リンクを用いてユーザの健康関連の特徴に基づいて推奨される。
【０２２８】
個人遺伝子のプロフィール評価の蓄積および提出図１に変化して、特定の実施例で、個人にそれらの個人遺伝子のプロフィール評価だけを提供しなくて、また、組織化されたおよび直観的な傾向のそれらの遺伝物質に存在する特定のＳＮＰ異型により影響される特定の特徴および特徴に関連した情報を伝達するために、本願明細書において、記載されているシステム及び方法は、データ構造の直観的な階層的な組織から成るフレームワークを提供する。
【０２２９】
各特定のＳＮＰが影響する特定の特徴に基づいて、フレームワークは、特定のＳＮＰ、生物学的特徴と特徴の格納関係（例えば関連）およびこの種の特徴および特徴の一般の種類を提供する。
【０２３０】
中で、特定の実施例（以下製品と記載するデータ構造の第１の（例えば、トップレベル）種類）は、健康関連の特徴および特徴の異なる一般の種類を表すために用いる。
【０２３１】
ある種の実施形態では、命じられる（例えば、個人により購入される）特定の評価に、製品データ構造は、対応する、そこにおいて、個人がそれを有する遺伝子および／またはＳＮＰのユニークなバージョンは健康関連の特徴の特定の一般の種類に影響する。そして、対応する製品が表す特徴は確認される（例えば、遺伝子タイピング測定値を経た）。
【０２３２】
ある種の実施形態では、各製品は名前を有する（例えば、製品データ構造は以下を含む：名前（例えば名前を表しているテキスト・データ）、それは、製品に関連する便利なおよび、忘れがたい方法を提供する。
【０２３３】
例えば、個人の体が異なる食品および栄養分を加工する方法に対応する特徴の種類を表すために、特定の製品１１２（例えば、「ＦＵＥＬ＝」に名づけた）は、用いる。
【０２３４】
他の製品１１４（例えば、「ＡＵＲＡ＝」に名づけた）は、皮膚健康に対応する特徴の種類を表すために用いる。
【０２３５】
他の製品１１６（例えば、「ＦＩＴＣＯＤＥ＝」に名づけた）は、体育学に対応する特徴の種類を表すために用いる。
【０２３６】
他の製品１１８（例えば、「ＳＵＰＥＲＨＥＲＯ＝」に名づけた）は、物理的および知的なパフォーマンスに対応する特徴の種類を表すために用いる。
【０２３７】
ある種の実施形態では、製品の名前は、特定の評価が売りに出される名前と同様である。
【０２３８】
例えば、評価ＦＵＥＬ＝、ＦＩＴＣＯＤＥ＝、ＡＵＲＡ＝およびＳＵＰＥＲＨＥＲＯ＝は、ボストン・マサチューセッツ州のＯｒｇｉ３ｎ社により販売される。
【０２３９】
ある種の実施形態では、各製品は、カテゴリと呼ばれるデータ構造の第２の種類の一つ以上と次々に関係している。
【０２４０】
ある種の実施形態では、各カテゴリは、特定の健康関連の特徴または特徴に（例えば食品感度、食品故障、空腹感および重量、ビタミン、皮膚ｕｖ感度、耐久性、代謝、共同の健康、筋力、知能）対応する。
【０２４１】
ある種の実施形態では、特定の製品が一致する（例えば製品が表す健康関連の特徴または特徴の一般の種類）、健康関連の特徴または特徴の一般の種類に、関連がある異なる健康関連の特徴または特徴に、特定の製品が各々関連するカテゴリは、対応する。
【０２４２】
特定の実施例において、製品と同様に各カテゴリが名前を有すること（例えば、カテゴリデータ構造は、以下を含む：名前（例えば名前を表しているテキスト・データ）、それは、カテゴリに関連する便利なおよび、忘れがたい方法を提供する。
【０２４３】
次に、各カテゴリは、一つ以上のＳＮＰ目的（特定のＳＮＰに対応する各ＳＮＰ目的）と関係している。
【０２４４】
特定のカテゴリが一致する特徴または特徴に関する特定の健康関連の特徴に、影響する特定のＳＮＰに、特定のカテゴリと関連した各ＳＮＰ目的は、対応する。
【０２４５】
それがＳＮＰ目的が成るＳＮＰ参照を経て一致する特定のＳＮＰを、各ＳＮＰ目的は、確認できる。
【０２４６】
ＳＮＰ参照は、英数字コード（例えば電子的に格納されることができるマークまたはレーベルを確認しているＳＮＰまたはその他の認められた名前）でもよい。
【０２４７】
ＳＮＰ参照は、英数字コード（例えば全国ＢｉｏｔｅｃｈｎｏｌｏｇｙＩｎｆｏｒｍａｔｉｏｎ（ＮＣＢＩ）データベース参照番号センター）でもよい。
【０２４８】
例えば、図１で模式的なものは、製品、カテゴリおよび各々と関係しているＳＮＰ目的の連続の実施例を示す。
【０２４９】
付随する遺伝子オブジェクト（以下において、後述する）も、示される。
【０２５０】
異なる製品およびカテゴリはそれらの特定の名前により確認される。そして、各々が各々が成るそれぞれのＳＮＰ参照により確認されると、ＳＮＰは反対する。
【０２５１】
図１の実施例において、ＳＮＰ参照は、ＮＣＢＩデータベース参照番号である。
【０２５２】
「ＦＵＥＬ＝」製品１１２は、カテゴリ（例えば「食品Ｓｅｎｓｉｔｉｖｉｔｙ」１２２、「食品Ｂｒｅａｋｄｏｗｎ」１２４、「空腹感およびＷｅｉｇｈｔ」１２６および「ビタミン」１２８）と関係している。
【０２５３】
特徴に影響する特定のＳＮＰに対応するいくつかのＳＮＰ目的は、異なるタイプの食品に個人の感度に関して、それに応じて、１２２が見せられる「食品Ｓｅｎｓｉｔｉｖｉｔｙ」カテゴリと関係している。
【０２５４】
図１において、ＳＮＰ目的を異なるカテゴリに接続している線は、一つ以上の異なるカテゴリを有する各特定のＳＮＰ目的の関連を示す。
【０２５５】
関連は、直接的な関連または間接的な関連（すなわち、示されない中間のデータ構造との相互の関連による）でもよい。
【０２５６】
例えば、ＳＮＰ目的１３２はｒｓ６７１ＳＮＰに対応する。そして、それは個人がアルコールを加工する方法に影響する。
【０２５７】
特に、個人が有するｒｓ６７１ＳＮＰの特定の異型に応じて、個人は、通常アルコールを加工できるか、またはアルコールを加工して、おそらく、アルコールの消費（例えば消えること、頭痛、疲労および病気）から生じている副作用を受けるそれらの能力において、損なわれることができる。
【０２５８】
したがって、それらが消費する（例えば、例えば社会的設定において、規則的な基礎上の）アルコールの量を心にとめて忘れないことによって、それらが所有するｒｓ６７１ＳＮＰの特定の異型についての知識を個人に提供することによって、それらがそれに応じて、例えばそれらの挙動を修正できることができる。
【０２５９】
食品感度に影響するＳＮＰに対応する他のＳＮＰ目的は、特徴を関連させて、それに応じて、２２２が見せられる「食品Ｓｅｎｓｉｔｉｖｉｔｙ」カテゴリと関係している。
【０２６０】
例えば、ＳＮＰ目的１４４はカフェイン代謝に影響するｒｓ７６２５５１ＳＮＰに対応する、ＳＮＰ目的１４６はラクトース不耐性に影響するｒｓ４９８８２３５ＳＮＰに対応する。そして、ハーブ・コリアンダ（例えば個人が有するこのＳＮＰの特定の異型に依存して、それらはコリアンダを良い感じの味見またはビターとして認めることもできて、味覚において、石鹸好むこともできる）に対する嫌悪に、影響するｒｓ７２９２１００１ＳＮＰに、ＳＮＰ目的１４８は対応する。
【０２６１】
特定の実施例において、複数のＳＮＰは特定の特徴と関係している。そして、したがって、それらが一致するＳＮＰ目的は集められることが可能である。
【０２６２】
例えば、３つのＳＮＰＳ＝ｒｓ７１３５９８（ＳＮＰ目的１５０ａに対応する）、ｒｓ１０２４６９３９（ＳＮＰ目的１５０ｂに対応する）およびｒｓ１７２６８６６（ＳＮＰ目的１５０ｃに対応する）で、ある、＝は、激しい味の食品（例えばキャベツ、ブロッコリ、カリフラワー、ケール、ｂｒｕｓｓｅｌ芽およびコラード・グリーン）および、それに応じて、この種の食品のそれらの享受または嫌悪に個人の感受性に影響する。
【０２６３】
個人の遺伝物質の範囲内の指定位置またはそれの近くの（例えば、特定の遺伝子（例えば、ＳＮＰ）の影響書換えが上流の５ｋｂ以内に発生する場合がある促進剤領域に、ＳＮＰは起こる場合がある、または、特定の遺伝子の下流に、例えば、ＳＮＰは上流の１００ｋｂ以内に発生する場合があるかまたは上流の５００ｋｂ以内に特定の遺伝子（例えば、ＳＮＰ）の下流に発生する場合があるかまたは上流の１Ｍｂ以内に、または、特定の遺伝子の下流に特定の遺伝子（例えば、ＳＮＰ）の下流に発生する場合がある）遺伝子に、ＳＮＰは、対応する。
【０２６４】
したがって、特定の実施例において、図１に示すように、各ＳＮＰ目的は、それが特定の遺伝子に対応する遺伝子目的にかかわるかまたは、近くであるＳＮＰ目的が一致するＳＮＰが、存在する。
【０２６５】
例えば、ｒｓ６７１ＳＮＰは、ＡＬＤＨ２遺伝子の範囲内で位置に対応する、ｒｓ７６２５５１ＳＮＰはＣＹＰ１Ａ２遺伝子の範囲内で位置に対応する、ｒｓ４９８８２３５ＳＮＰはＭＣＭ６遺伝子の範囲内で発生する。そして、ｒｓ７２９２１００１ＳＮＰはＯＲ１０Ａ２遺伝子の範囲内で発生する。
【０２６６】
したがって、ＳＮＰ目的１４２（ｒｓ６７１ＳＮＰに対応する）は、遺伝子目的１６２（ＡＬＤＨ２遺伝子に対応する）と関係している。
【０２６７】
同様に、遺伝子目的１６２（ＣＹＰ１Ａ２遺伝子に対応する）（目的１４６（ｒｓ４９８８２３５ＳＮＰに対応する）が遺伝子目的１６６（ＭＣＭ６遺伝子に対応する）に関連しているＳＮＰ）と、ＳＮＰ目的１４４（ｒｓ７６２５５１ＳＮＰに対応する）は関係している。そして、ＳＮＰ目的１４８（ｒｓ７２９２１００１ＳＮＰに対応する）は遺伝子目的１６８（ＯＲ１０Ａ２遺伝子に対応する）と関係している。
【０２６８】
興味がある近くの特定の遺伝子で、このことにより遺伝子の発現と関連した特徴に影響するＳＮＰに、他のＳＮＰ目的は、対応する。
【０２６９】
例えば、ｒｓ１２６９６３０４は、ＴＥＲＣ遺伝子の下流に１．５ｋｂあるＳＮＰで、ＴＥＲＣ遺伝子と関連した生物学的老化に影響する。
【０２７０】
したがって、１つの実施例で、ＳＮＰがそうであるｒｓ１２６９６３０４に対応するＳＮＰ目的は、ＴＥＲＣ遺伝子に対応する遺伝子目的を結びつけた。
【０２７１】
ある種の実施形態では、興味がある複数のＳＮＰは、単一の遺伝子の範囲内で発生する。
【０２７２】
例えば、３つのＳＮＰは苦々しい味覚に関した−ｒｓ７１３５９８、ｒｓ１０２４６９３９およびｒｓ１７２６８６６＝はＴＡＳ２Ｒ３８遺伝子の範囲内で発生する。
【０２７３】
したがって、ＳＮＰ目的１５０ａ、１５０ｂ（そして、１５０ｃ（それはｒｓ７１３５９８に対応する）ｒｓ１０２４６９３９およびｒｓ１７２６８６６ＳＮＰ）の全ては、それぞれ、ＴＡＳ２Ｒ３８遺伝子に対応する遺伝子目的１７０と関係している。
【０２７４】
ある種の実施形態では、異なる製品は、健康関連の特徴および特徴の異なる一般の種類に対応する。
【０２７５】
例えば、製品は、特定の器官（例えば、製品１１４は、「ＡＵＲＡ＝」という名の、皮膚健康に関連がある）または特定の習慣（動作または身体の機能）に基づいてもよい。
【０２７６】
例えば、食品は生物学的特徴を関連させた、そして、特徴は単一の製品または複数の製品によって、カバーされることができる。
【０２７７】
単一の製品または複数の製品は、学習および脳機能特徴および特徴に基づいてもよい。
【０２７８】
単一の製品または複数の製品は、体育学（例えば、心血管強さ、機敏さ、柔軟性、筋力）に基づいてもよい。
【０２７９】
例えば、図１に示すように、他の製品１１６（例えば「ＦＩＴＣＯＤＥ＝」という名の）は、体育学関連の特徴の一般の種類に関して、それに応じて、耐久性１３０（「耐久性」）と関連したカテゴリ、代謝１３２（「代謝」）、事実上以下のエクササイズ１３４（「Ｒｅｃｏｖｅｒｙを行使する」）および心血管適合性を回復する個人の能力および骨格の筋肉構造１３６（「動力Ｐｅｒｆｏｒｍａｎｃｅ」）を含む。
【０２８０】
ある種の実施形態では、特定のＳＮＰ目的は、二つ以上のカテゴリと関係している。
【０２８１】
例えば、ｒｓ１７７８２３１３ＳＮＰは、ＦＴＯ遺伝子で起こって、個人の食欲に影響する。
【０２８２】
したがって、図１に示すように、ｒｓ１７７８２３１３ＳＮＰに対応するＳＮＰ目的１５２は、「ＦＵＥＬ＝」製品の両方の「空腹感およびＷｅｉｇｈｔ」カテゴリ１２６および「ＦＩＴＣＯＤＥ＝」製品の「代謝」カテゴリ１３２と関係している。
【０２８３】
ＳＮＰ目的１５２は遺伝子目的１７２とも関係している。そして、ｒｓ１７７８２３１３ＳＮＰがＦＴＯ遺伝子で起こるという事実を反映する。
【０２８４】
ある種の実施形態では、ｒｓ１７７８２３１３ＳＮＰ目的と同様に、特定のＳＮＰ目的が関連する第１のカテゴリおよび第２のカテゴリの各々は、異なる製品と関係している。
【０２８５】
ある種の実施形態では、特定のＳＮＰ目的は第１のカテゴリおよび第２のカテゴリと関係している。そして、第１のカテゴリおよび第２のカテゴリは同じ製品と関係している。
【０２８６】
例えば、ＩＬ―６遺伝子（したがって、ＳＮＰ目的１５４は遺伝子目的１７４と関係している。そして、それはＩＬ―６遺伝子に対応する）のｒｓ１８００７９５ＳＮＰに対応するＳＮＰ目的１５４は「運動Ｒｅｃｏｖｅｒｙ」カテゴリ１３４および「力Ｐｅｒｆｏｒｍａｎｃｅ」カテゴリ１３６と関係している。そして、その両方は「ＦＩＴＣＯＤＥ＝」製品１１６と関係している。
【０２８７】
そのほかに、特定の実施例で、カテゴリは、二つ以上の製品と関係している。
【０２８８】
例えば、「力Ｐｅｒｆｏｒｍａｎｃｅ」カテゴリ１３６は「ＦＩＴＣＯＤＥ＝」製品１１６（「ＳＵＰＥＲＨＥＲＯ＝」製品１１８と同様に）と関係している。そして、それは物理的および知的なパフォーマンスに関連した特徴の一般の種類の評価を提供する。
【０２８９】
特定の実施例において、製品、カテゴリ、ＳＮＰ目的、遺伝子目的および異なるオブジェクト・データ構造の階層的な組織は、複数の個人から引かれる遺伝子タイピング測定値からの個々の個人遺伝子のプロフィール評価の両方の迅速な作成および個人の個人遺伝子のプロフィール評価の提出を容易にする可撓性テンプレートとして役立つ。
【０２９０】
特に、それらの個人ゲノムが健康関連の特徴の異なる一般の種類に影響する方法および各異なる製品が一致する特徴に対する洞察を得るために、個人は、異なる製品に対応する評価を購入できる。
【０２９１】
したがって、一つ以上の製品の各々と関係している各カテゴリと関連した特定の単一塩基多型ごとに、一つ以上の製品に対応する個人の個人遺伝子のプロフィール評価は、個人が有する特定のＳＮＰの特定の異型の識別から成る。
【０２９２】
概して、個人（例えば血液サンプル、例えばチーク綿サンプル、例えば唾液サンプル、例えば毛髪サンプル（例えば毛包細胞）からとられる生体試料に実行される一つ以上の遺伝子タイピング測定を経て、識別は、得られる。
【０２９３】
ある種の実施形態では、個人は、第１の製品に対応する第１の評価を購入することができて、生体試料を遺伝子タイピングに提供できる。
【０２９４】
個人の生体試料を、格納できる（例えば低温的に冷凍された）。
【０２９５】
しばらくして、個人は他の製品に対応する付加的な評価を購入するほうを選択できる。そして、新製品と関係している付加的なＳＮＰの付加的な遺伝子タイピング測定値のための記憶から、個人の前に格納された生体試料はとられることが可能である。
【０２９６】
そのうえ、特定の実施例で、付加的な新製品は時間とともにつくられることが可能である。そして、新製品に対応する新規な評価が個人に提供されて、それにより購入される。
【０２９７】
ある種の実施形態では、異なる特定の健康関連の特徴上の新規なおよび／または既存のＳＮＰの影響に関連した新情報が説明されるように、新しいＳＮＰ目的および遺伝子オブジェクトを、作成できる。そして、それらと新規または既存のカテゴリまたは製品の間の新しい関連が定められる。
【０２９８】
ある種の実施形態では、個人の既存の個人遺伝子のプロフィール評価は、新情報を反映するために、自動的に更新される。
【０２９９】
ある種の実施形態では、上記のフレームワークに基づいて、個々の個人遺伝子のプロフィール評価（例えば一つ以上の異なる製品に対応する）の作成および提出を容易にするために、後で個人の遺伝子タイピング・データと関係しているデータ構造の一般的な階層として、本願明細書において、記載されている製品、カテゴリ、ＳＮＰ目的および遺伝子目的データ構造は、作成されて、関連する。
【０３００】
図２は、実施例遺伝子のプロフィール製品のデータ構造２００の階層のブロック線図である。
【０３０１】
ある種の実施形態では、個人により購入されることができておよび／またはアクセスされることができる一つ以上の製品を定める図２に従って、開発者は、データ構造の一つ以上の一般的な階層を構築して、格納する。
【０３０２】
それらが独特のどれのための個人情報でも含まなくて、その代わりに遺伝子、ＳＮＰおよび製品によって、含まれる生物学的特徴および／または特徴への関連がある異型のコレクションを定めるという点で、データ構造の階層は非専売薬である。
【０３０３】
図の提出を単純化するために図２のｓｕｂ―データ構造と関係していることを、各タイプの典型的なデータ構造は、示す。
【０３０４】
関連が図２に示される関連と整合している場合、データ構造が階層のいかなる数の他のデータ構造に関連できるものと理解される。
【０３０５】
例えば、カテゴリ２２０ｃが一つ以上の遺伝子目的および／またはＳＮＰ目的と関係してもよい間、カテゴリ２２０ｂは遺伝子目的２３０ａ―ｂと関係していることを示す、しかし、いずれの種類の関連は示されない。
【０３０６】
いくつかの実施形態では、関連したタイプの他の構造の間に関連を形成せずに、データ構造を、作成できる。
【０３０７】
例えば、例えば製品またはカテゴリ開発（例えば、その範囲がまだユーザで測定されなかったので、カテゴリ２２０ａにはまだ関連がない）の間、目的を計画するために、非関連であるか部分的に付随するデータ構造を、作成できる。
【０３０８】
例えば、遺伝子目的および／またはＳＮＰ目的が一つ以上のカテゴリと後で関係している。その結果、すぐに使えるフォーマットのデータを保持するために関連した遺伝子目的またはＳＮＰ目的と関係していることが遺伝子タイピング・データができるために、非関連であるか部分的に付随するデータ構造を、作成できる。
【０３０９】
図２を、ここで参照する。製品２１０は、３つのカテゴリ２２０ａ―ｃおよび付加的情報２２２を含む。
【０３１０】
付加的情報２２２は、製品の名前、製品と関連したアイコンおよび／または製品の説明でもよい。
【０３１１】
カテゴリ２２０ｂは、２と、遺伝子目的２３０ａ―ｂと、１と、ＳＮＰと、目的と、２４０と、付加的情報２３２とを備える。
【０３１２】
付加的情報２３２は、以下を有することができる：カテゴリの名前、カテゴリと関連した背景画像、カテゴリと関連したアイコン、カテゴリ順序識別子および／またはカテゴリの説明。
【０３１３】
ＳＮＰ目的２４０は、遺伝子目的２７０と関係している。
【０３１４】
遺伝子目的２３０ａは、３つのＳＮＰ目的２４２ａ―ｃに関連する。
【０３１５】
ＳＮＰ目的（例えば２２０ｂがＳＮＰ目的２４０に関連しているカテゴリ）に、カテゴリは、直接関連できるまたは、それらは、ＳＮＰ目的２４２ａのような間接的に関連できる―ｃが、遺伝子オブジェクト２３０ａ．を介してカテゴリ２２０ｂに関連する特定の遺伝子のすべてのＳＮＰ目的が特定のカテゴリに関連する場合、間接的に関連を形成する能力によって、特定の遺伝子目的と関連したすべてのＳＮＰ目的が単一の関連を形成することによって、カテゴリと関係していることができる。
【０３１６】
ものだけまたは特定の遺伝子目的のＳＮＰ目的のサブセットだけがカテゴリに関連する場合、関連を特定のＳＮＰ目的と関連した遺伝子目的と関連した他の全てのＳＮＰ目的により形成することのないカテゴリと関係していることが、直接関連を形成する能力によって、特定のＳＮＰ目的ができる。
【０３１７】
遺伝子目的２３０ａは、付加的情報２４４とも関係している。
【０３１８】
一致するユニークな遺伝子識別子のような遺伝子が２３０ａ、特定の物理的な遺伝子および対応する遺伝子に関する図形情報に反対するという情報から成る一つ以上のデータ構造から、付加的情報２４４は、成ることができる。
【０３１９】
遺伝子識別子は、英数字コード（例えば電子的に格納されることができるマークまたはレーベルを確認している遺伝子またはその他の認められた名前）でもよい。
【０３２０】
付加的情報は、単一のデータ構造または複数のデータ構造として格納されることができる。
【０３２１】
ＳＮＰ目的２４２ｂは、ＳＮＰ参照２５０および付加的情報２５４と関係している。
【０３２２】
ＳＮＰ参照２５０は一致するＳＮＰのユニーク識別子である。そして、ＳＮＰは特定の物理的なＳＮＰに反対する。
【０３２３】
ＳＮＰ参照は、英数字コード（例えば電子的に格納されることができるマークまたはレーベルを確認している遺伝子またはその他の認められた名前）でもよい。
【０３２４】
ＳＮＰ参照は、英数字コード（例えば全国ＢｉｏｔｅｃｈｎｏｌｏｇｙＩｎｆｏｒｍａｔｉｏｎ（ＮＣＢＩ）データベース参照番号センター）でもよい。
【０３２５】
付加的情報２５４は、対応するＳＮＰに関する他の図形情報を有する一つ以上のデータ構造から成ることができる。
【０３２６】
特定のＳＮＰの異型は、データ・エレメント（例えば測定結果および有資格者）のさまざまな組合せを用いた対応するＳＮＰオブジェクトの範囲内で表されることができる。
【０３２７】
例えば、英数字コード（特定の異型に対応する特定の対立遺伝子を確認する）のような測定結果（それは識別子である）によって、ＳＮＰの特定の異型を、確認できる。
【０３２８】
例えば、個人がそれらの遺伝物質の各コピーのｒｓ７６２５５１位置でシトシン（Ｃ）を有するｒｓ７６２５５１ＳＮＰの第１の異型を、ストリング「ＣＣ」のような測定結果は、確認する。
【０３２９】
個人が１つのコピーのＣおよびｒｓ７６２５５１位置のその他のアデニン（Ａ）を有するｒｓ７６２５５１ＳＮＰの第２の異型を、ストリング「ＡＣ」のような測定結果は、確認する。
【０３３０】
個人がそれらの遺伝物質の各コピーのｒｓ７６２５５１位置でＡを有するｒｓ７６２５５１ＳＮＰの第２の異型を、ストリング「ＡＡ」のような測定結果は、確認する。
【０３３１】
有資格者は、異型の分類を確認する識別子である（例えば英数字コード）、そこにおいて、分類は、集団内の異型、異型を伴う健康関連の特徴および／または他の関連した分類ベースの有病率に基づいてもよい。
【０３３２】
有資格者は、異型を特徴づける語または短いフレーズでもよい。
【０３３３】
例えば、「適応する」まれでおよび／または不利である異型を特徴づけるために用いてもよい、一般的でおよび／または有利でもある異型も不利な点も特徴づけるために、「通常の」ものは、用いることができる、そして、「才能がある」ものは、まれでおよび／または有利である異型を特徴づけるために用いることができる。
【０３３４】
付加的情報は、特定の異型を記載するために、ＳＮＰ目的の範囲内で含まれることもできる。
【０３３５】
ある種の実施形態では、測定結果および有資格者である、確認して、分類する、それぞれ、同じ異型はＳＮＰ目的と関連した異型目的を形成するために各々を伴う。
【０３３６】
例えば、異型目的２５２ａは、測定結果２６０（有資格者２６２）から成る。
【０３３７】
また、２５２ａがそうである異型目的は、付加的情報２６４を備える。
【０３３８】
付加的情報２６４は、異型の説明を備える。
【０３３９】
例えば、付加的情報は、以下を有する：異型をもつ個人が異型オブジェクト２５２ａ証拠物または異型の有病率の説明によって、代表した特定の健康関連の表現型の説明。
【０３４０】
ＳＮＰ目的は、それが一致する特定のＳＮＰの各異型を表すために、異型目的と関係していてもよい。
【０３４１】
例えば、ＳＮＰ目的は、３つの異型目的２５２ａ―ｃと関係している。
【０３４２】
ある種の実施形態では、個人の個人遺伝子のプロフィール評価を生成するのに用いられる一般的な階層として、上で本願明細書において、記載されているデータ構造は、格納される。
【０３４３】
製品（例えば、図２において、視覚化されるように）の範囲内で、遺伝子、ＳＮＰおよび異型に対応する一まとまりのデータ構造は、一つ以上のカテゴリに組織されることができる。
【０３４４】
ノーブランド製品に個人の遺伝子タイピング・データとデータを読み込むかまたは関連させることによって、それらにそれらの特定のゲノムに関する特定の情報を提供するために、製品は、特定の個人に個人用にされることができる。
【０３４５】
ある種の実施形態では、個人が彼（女）の遺伝子のプロフィールの評価を見る評価グラフィカル・ユーザ・インタフェース（「評価ＧＵＩ」）にデータを読み込むために、個人遺伝子のプロフィール評価は、用いる。
【０３４６】
このようにして、個人が有する（例えば、製品およびカテゴリの階層において、構成される）、ＳＮＰの特定の異型を個人に示すことによって、彼（女）の個人遺伝子のプロフィール評価を視覚化する評価ＧＵＩを、個人は、見ることができる。
【０３４７】
ある種の実施形態では、個人に与えるために、評価ＧＵＩにデータを読み込むために、遺伝子タイピング・データは、個人の個人遺伝子のプロフィール評価に加えられなければならないかまたは関連しなければならない。
【０３４８】
図３は、遺伝子タイピング・データを個人の個人遺伝子のプロフィール評価に加える典型的な方法３００のブロック線図である。
【０３４９】
ステップ３１０において、コンピュータのプロセッサは、遺伝子タイピング・データを受信する。
【０３５０】
ステップ３２０において、データおよびＳＮＰがＳＮＰに対応する反対する遺伝子タイピングまたは近くで遺伝子において、測定される遺伝子に対応する遺伝子目的をプロセッサが確認すること（例えば、遺伝子の範囲内で発生しているかまたは近くで発生しているＳＮＰである遺伝子（例えば遺伝子の書換えに影響する促進剤領域の中で）（例えば上流で、または、例えば、例えば上流の１００ｋｂ以内に、または、遺伝子の下流に、遺伝子の下流に上流で、または、遺伝子の下流に５００ｋｂの範囲内の５ｋｂ（例えば上流で、または、遺伝子の下流に１Ｍｂ以内に）以内に）。
【０３５１】
ある種の実施形態では、各列がユニークなＳＮＰに対応するテキストファイルのデータの表として、遺伝子タイピング・データは、格納される。
【０３５２】
ステップ３３０において、確認されたＳＮＰ目的の特定の異型およびその合同予選は、遺伝子タイピング測定値からデータに基づいて決定される。
【０３５３】
例えば、特定の異型の測定結果に対応するデータは、各列の終わりの一つ以上の柱として格納されることができる。
【０３５４】
ステップ３４０において、データは、個人の個人遺伝子のプロフィール評価に格納される。
【０３５５】
方法３００に従って、ステップ３４０で、データはデータ構造の（以前一般的な）階層に格納されることができる、または、データはデータの間に関連とともに別に格納されることができる。そして、確認された遺伝子目的およびＳＮＰは反対する。
【０３５６】
いずれにせよ、格納されたデータ（そして、いかなる生成されたおよび格納された関連も）は、個人のための個人遺伝子のプロフィール評価を定める。
【０３５７】
ステップ３５０において、遺伝子タイピング・データのすべてのデータが格納されたかどうか、プロセッサは、決定する。
【０３５８】
すべてのデータが個人の個人遺伝子のプロフィール評価に格納されたわけではない場合、方法はステップ３２０に戻る。
【０３５９】
すべてのデータが格納された場合、方法は３６０を終える。
【０３６０】
いくつかの実施形態では、遺伝子タイピング・データのデータの列がちょうど処理された列の下にあるかどうか決定することによって、非格納されたデータが存在するかどうか、プロセッサは、決定する。
【０３６１】
図４は、方法３００に従って個人の個人遺伝子のプロフィール評価に加えられることが可能である典型的な遺伝子タイピング・データ４００を示す。
【０３６２】
遺伝子タイピング・データは、ユーザにより保存されるテキストファイルという形をとることができる、そこにおいて、テキストファイルは、手動で発生するかまたは遺伝子タイピング測定（例えばＴａｑＭａｎＴＭＳＮＰ遺伝子タイピング分析）を実行するための器材から出る出力としてある。
【０３６３】
図４は、単一の生体試料（「ＲＯＮＥＮ１４７」）から、６列の遺伝子タイピング・データから成る。
【０３６４】
各列は、異なるＳＮＰのためのデータに対応する。
【０３６５】
遺伝子タイピング・データ４００の各ＳＮＰは、少なくとも遺伝子識別子４１０およびＳＮＰ参照４２０により確認される。
【０３６６】
遺伝子識別子は、ＳＮＰが関連する遺伝子を確認する。
【０３６７】
ある種の実施形態では、複数の（例えば二つ以上）、遺伝子はＳＮＰと関係している（例えば、ＳＮＰは近くで発生する場合がある二つ以上の遺伝子、そして、関連する遺伝子の各々と関係している影響表現型）、そして、したがって、二つ以上の対応する遺伝子識別子はリストされる。
【０３６８】
遺伝子タイピング・データの各ＳＮＰは、対立遺伝子測定値４３０により確認される対応する異型を有する。
【０３６９】
個人の個人遺伝子のプロフィール評価にデータを読み込むために、所与のＳＮＰのための測定値「対立遺伝子１」および「対立遺伝子２は」所与のＳＮＰに対応するＳＮＰ目的の異型と関連した測定結果と比較されてもよい。
【０３７０】
個人の個人遺伝子のプロフィール評価にデータを読み込むために用いる図４の遺伝子タイピング・データは、個人の一つ以上の生体試料から発生する。
【０３７１】
しかしながら、個人の個人遺伝子のプロフィール評価にデータを読み込む際に使用する一つ以上の生体試料は、異なる人間または人間以外の動物からとられることもできる。
【０３７２】
いくつかの実施形態では、遺伝子タイピング・データは、人間以外の動物の一つ以上の生体試料から発生する。
【０３７３】
例えば、より良好な看護を提供する際に支援するためにペットの表現型に関する情報を理解するために、個人は、彼または彼女のペットの生体試料を供給できる。
【０３７４】
動物は、ペットでもよいかまたは、個人によって、看護を受ける動物でもよい。
【０３７５】
例えば、個人は、獣医師または動物を看護することを任されている動物園の管理人でもよい。
【０３７６】
いくつかの実施形態では、個人が保護者である区の一つ以上の生体試料から、遺伝子タイピング・データは、発生する。
【０３７７】
例えば、親は、彼（女）がｃｈｉｌｄｒｅａｒｉｎｇすることを改善するために、それらの子供のための遺伝子タイピング・データに、一つ以上の生体試料を供給できる。
【０３７８】
遺伝子タイピング・データに基づく購入勧告個人が有する（および／または他の遺伝子タイピング・データ）さまざまな異なるＳＮＰ異型に基づいて、特定の補助食品またはそれらの組み合わせは、その個人に役立ってもよい。
【０３７９】
例えば、個人が彼または彼女を体重増加（例えば、ＡＤＩＰＯＱ遺伝子のＳＮＰの特定の異型）の傾向があるようにするＳＮＰの特定の異型を有する場合、その個人が体重増加および肥満を管理するかまたは防止するのを助ける補助食品をとることは貴重だろう。
【０３８０】
例えば、個人が彼または彼女にβカロチンをレチノールに変換する低下した能力を有させるＳＮＰの特定の異型を有する場合、その個人はビタミンＡ補助剤を飲むことから利益を得ることができる。
【０３８１】
同様に、個人が長命、共同の健康、筋肉回復、耐久性および乏しい体重に影響して、健康の外皮をはぐ特定のＳＮＰ異型を有するかどうかに応じて、個人に利益を与える異なる補助食品を、確認できる。
【０３８２】
個人の個人遺伝子のプロフィール評価に格納される遺伝子タイピング測定結果に基づいて、個人に特定の利点であるさまざまな関連した補助食品を、確認できる。
【０３８３】
ある種の実施形態では、個人によって、それらの個人遺伝子のプロフィール評価を見るために用いる同じＧＵＩを使用している個人に、確認された補助食品を、提供できる（例えば示される）。
【０３８４】
ある種の実施形態では、異なるＧＵＩは、個人により確認された補助食品を見るために用いる。
【０３８５】
図５を、ここで参照する。方法５００は、ユーザの特定の健康関連の表現型に基づいて推奨された購入品をもつユーザを紹介する典型的な方法である。
【０３８６】
ステップ５０２において、ユーザの遺伝子タイピング・データは、受け取られる（例えば、コンピュータのプロセッサによって、）。
【０３８７】
ステップ５０４において、一つ以上の推奨された購入品は、遺伝子タイピング・データに基づいて自動的に確認される。
【０３８８】
ある種の実施形態では、推奨された購入オブジェクト（すなわち、推奨された購入品に対応するデータ構造）は、開発者により作成されて、対応するゲノム構成要素（例えば、遺伝子、ＳＮＰおよび／または異型）に、対応する推奨された購入品の関連に基づいて、ユーザの個人遺伝子のプロフィール評価のデータ構造（例えば、遺伝子目的、ＳＮＰ目的および／または異型目的）にかかわる。
【０３８９】
このように、自動識別は、それらの格納された関連の一つ以上を呼ぶかまたは確認することから成ることができる。
【０３９０】
いくつかの実施形態では、ユーザの個人遺伝子のプロフィール評価からデータから成る問合わせを用いたすべての可能性がある推奨された購入品のデータベースを検索することによって、推奨された購入品は、確認される。
【０３９１】
例えば、特定の可能性が購入品を推薦されることを表す購入勧告目的は、購入勧告データベースに格納されることができる。
【０３９２】
購入勧告データベースに格納される各購入勧告目的は、一つ以上の格納された異型目的と関係している。
【０３９３】
特定の購入勧告目的により表される購入を推薦される可能性が推奨されるさまざまなＳＮＰの特定の異型を、特定の購入勧告目的と関連した格納された異型目的は、表す。
【０３９４】
例えば、ビタミンＡ補助食品を表している購入勧告目的は、個人にβカロチンをレチノールに変換する低下した能力を有させるＳＮＰの特定の異型を表す格納された異型目的と関係していることがありえた。
【０３９５】
それから、それらに有益である特定の推奨された購入品を確認するために購入勧告データベースを問い合わせるために、ユーザの遺伝子タイピング・データ（例えば、それらの個人遺伝子のプロフィール評価に格納されるように）は、用いることができる。
【０３９６】
特に、ユーザの遺伝子タイピング・データは、それらのゲノムに存在するさまざまなＳＮＰの特定の異型を決定するためにユーザから生体試料に実行される遺伝子タイピング測定の結果を表す。
【０３９７】
これらの結果は複数のユーザに特有の異型オブジェクトを介して遺伝子タイピング・データにおいて、代表されることができる。そして、ユーザがそれらのゲノムにおいて、有する特定のＳＮＰの特定の異型を、それぞれは表す。
【０３９８】
したがって、ユーザに特有の異型目的は、格納された異型目的と合うことができる。
【０３９９】
それらが関連する測定結果および／または有資格者に基づいて、異型目的は、マッチされることができる。
【０４００】
ユーザに遺伝子タイピング・データの特定の異型目的に合うものを見つける格納された異型目的と関係している購入勧告目的は、購入品を推薦される一組の可能性を決定するために、このように確認されることができる。
【０４０１】
それから、購入品を推薦される可能性の決定されたセットから、一つ以上の推奨された購入品を、選択できる。
【０４０２】
ある種の実施形態では、すべての潜在的推奨された購入品を、選択できる。
【０４０３】
ある種の実施形態では、特定の推奨された購入が他と矛盾するかどうか、購入品を推薦される一つ以上の可能性の決定されたセットから購入品を推薦される一つ以上を選択するために、付加的な基準、例えばユーザ評価、コスト、ユーザに対する有効性は用いることができる。
【０４０４】
ステップ５０８において、購入品を推薦される確認された一つ以上は、ユーザにグラフ図（例えば、表示）に対して請求される。
【０４０５】
グラフ図は評価ＧＵＩの範囲内で表示のための一つ以上のアイコンおよび／またはテキストを含むことができる、または、それは以下を含むことができる：ユーザが購入勧告を見るための別々のＧＵＩにアクセスするように選択する関連（例えば、ボタン、ハイパーリンク、選択可能なアイコン）。
【０４０６】
ある種の実施形態では、ユーザは、直接評価ＧＵＩを使用している購入勧告を購入できる。
【０４０７】
例えば、特定の実施例で、上記の通りに、特定の購入勧告は、特定のＳＮＰの特定の異型とのその関連に基づいて確認される。
【０４０８】
したがって、それが確認された遺伝子タイピング・データ結果の表示部分と、それを視覚的に関連させる方法で、評価ＧＵＩの範囲内で、特定の購入勧告に対応するディスプレイのアイコンおよび／またはテキストを、表示できる。
【０４０９】
例えば、ユーザにそれらの遺伝子タイピング測定値の結果を示すために、それが関連する（例えば、遺伝子の名前またはそれの短い説明）特定のＳＮＰおよび／または遺伝子を、確認するグラフィックスおよび／またはテキストを、評価ＧＵＩの図は、含むことができる。
【０４１０】
ユーザが有する特定のＳＮＰおよび／または異型に基づいて決定される有資格者の特定の変種を、確認するグラフィックスおよび／またはテキストを、評価ＧＵＩの図は、含むこともできる。
【０４１１】
ユーザにそれらがゲノムにおいて、有する特定のＳＮＰおよびそれらの健康に対するいかなる重要な意味のも特定の異型を伝達するのに、この種のグラフィックスまたはテキストは、それに応じて役立つ。
【０４１２】
評価ＧＵＩ一覧の実施例は、図９、図１０、図１１Ａおよび図１１Ｂに示される。
【０４１３】
特定のＳＮＰに関するグラフィックスおよび／またはテキストに、特定のＳＮＰとのその関連に基づいて確認される特定の推奨された購入は、それに応じて、視覚的に付随する方法で示されることができる。
【０４１４】
例えば、特定の推奨された購入に対応するアイコンまたはテキストは、特定のＳＮＰに関連したグラフィックスおよび／またはテキストに隣接して表示されることができる。
【０４１５】
ある種の実施形態では、選択可能なボタンが特定の推奨された購入に対応しなって、特定の小売商の所定のウェブサイトへのリンク（例えば、ウェブリンク）によって、選択可能なものを結びつけることによって、ユーザによる特定の推奨された購入の購入は、容易になる。
【０４１６】
このように、選択可能なボタンのユーザ選択は、それが一致する特定の推奨された購入品のそれらの購入を開始する。
【０４１７】
ある種の実施形態では、ユーザは、自動的に商人サイトに提供されることができるそれらの情報のセットを格納できる。
【０４１８】
例えば、それらは、応対および支払情報（例えば、クレジット・カード情報）を安全なデータベースに格納できる。
【０４１９】
特定の推奨された購入を購入するための選択可能なボタンのそれらの選択に応じて、本願明細書において、記載されているシステム及び方法は、ユーザ情報にアクセスして、自動的にそれを商人サイトに提供する。
【０４２０】
ある種の実施形態では、購入のために必要なすべての情報は格納されて、自動的に商人サイトに提供される。そうすると、選択可能なボタン（例えば、更なるユーザ相互作用は必要とされない）の中で、ユーザ購入はクリック一つで完了できる。
【０４２１】
任意のステップ５０６において、一つ以上の推奨された購入品は、遺伝子タイピングに基づいて個人化される。
【０４２２】
ある種の実施形態では、少なくとも、ユーザに提供される推奨された購入品のいくつかは、ユーザにｐｅｒｓｏｎａｌｉｚｅａｂｌｅである（例えば、個人化される）プログラムまたは治療法である。
【０４２３】
ステップ５０２において、受け取られる遺伝子タイピング・データに基づいて、この種の推奨された購入品を、個人化できる。
【０４２４】
例えば、一般にユーザの遺伝子型に基づくユーザに推薦される適合性プログラムは、一つ以上の特定の遺伝子型に基づいてユーザに更にカスタマイズされることができる。
【０４２５】
より詳しくは、再び例えば、適合性プログラムはユーザのいくつかの特徴に基づいて推奨されることができる、しかし、ユーザを共同の炎症および／または痛みを経験することにより影響されやすくするユーザの特定の表現型に基づいて、適合性プログラムの特定の特定の課題を、置換できる。
【０４２６】
付加的な実施例として、遺伝子タイピング・データから決定されるように、ユーザが砂糖感度を有することを示唆する健康関連の表現型に基づいてユーザに推薦される食事プログラムはユーザのラクトース不耐性に基づいて酪農製品をプログラムから除外するために変更されることができる。
【０４２７】
ある種の実施形態では、それらの遺伝子タイピング・データに基づいて作成される食事の側面図を使用しているユーザのために、カスタム食事プログラムを、決定できる。
【０４２８】
ユーザの食事のプロフィールは、ユーザのためのガイドラインおよび／または味覚選択を表して、以下を有する：一般の食事および／またはアレルゲンを確認する一組のユーザに特有の食事タグ（例えば、英数字ストリング）。
【０４２９】
例えば、食事は、「乳製品を含まなくて」「ラクトース自由に」、「グルテンを含まなくて」この種の「菜食主義の」（「絶対菜食主義の」）「ｐｅｓｃａｔａｒｉａｎ」（「低コレステロール」）にタグを付ける。そして、ユーザ遺伝子タイピング・データに基づいて、推奨されるさまざまな食事を確認するために、「ｐａｌｅｏ」、「低糖」、などは用いてもよい。
【０４３０】
例えば、ユーザの遺伝子タイピング・データがそれらがアレルギのことを示す結果になるアレルゲンを確認するために、「酪農」、「南京豆」、「ナット」、「グルテン」、などのような食事のタグは、用いることができる。
【０４３１】
それらを分類するさまざまな異なるＳＮＰおよび／または有資格者の特定の変種とのそれらの関連に基づいて、食事のタグは、ユーザ遺伝子タイピング・データから決定されることができる。
【０４３２】
例えば、ＦＡＤＳ１、ＫＣＴＤＩＯおよびＰＰＡＲｇを伴うＳＮＰは、コレステロールおよびファット記憶レベルに影響する。
【０４３３】
したがって、異型の存在および／またはユーザの遺伝子タイピング・データのこれらの遺伝子と関連したいかなるＳＮＰのための有資格者に基づいても、「低コレステロール」のようなタグは、ユーザの決定された食事のプロフィールに加えられることが可能である。
【０４３４】
多様な食事のタグ、そして、それらと異型目的間の関連または有資格者、確認しておよび／または分類する、それぞれ、さまざまなＳＮＰの特定の可能性がある異型を、格納できる、遺伝子タイピング・データから（ｉ）ユーザに特有の異型目的および／またはユーザに特有の有資格者の間にオートメーション化して合うことを経て食事の側面が食事のタグで占有されることができる。そして、(ii)格納された異型目的および／または格納された有資格者。
【０４３５】
一旦決定されると、ユーザ食事のプロフィールが、使うことができるユーザに推薦される食事プログラムおよび特定の製法を確認する。
【０４３６】
例えば、特定の実施例（複数の所定の食事プログラムから成る食事データベース）で、各々は、一つ以上のプログラムに特有の食事のタグと関連した。
【０４３７】
ユーザに推薦される食事データベースに食事格納されたプログラムを確認するために、ユーザの食事のプロフィールのユーザに特有の食事のタグは、プログラムに特有の食事のタグと合うことができる。
【０４３８】
ユーザがそれらの健康を改善する食事を続けるために選択できる複数の製法を、確認された食事プログラムは、含むことができる。
【０４３９】
ある種の実施形態では、食事データベースは、以下を有する：複数の製法、各のを有する一つ以上の製法に特有の食事のタグと関係している。
【０４４０】
ユーザに推薦される食事データベースに格納される製法を確認するために、ユーザの食事のプロフィールのユーザに特有の食事のタグは、製法に特有の食事のタグと合うことができる。
【０４４１】
推奨された製法の一つ以上は選択されることができて、自動的に、結合されることができる。そして、ユーザのカスタムメイドの食事平面図を作成する。
【０４４２】
ある種の実施形態では、食事データベースは、問い合わせられることが可能であるさまざまな製法のための成分リストから成る。
【０４４３】
特定の製法の成分リストに基づいて、特定の製法がユーザに特有の食事のタグにより確認される食事の一つ以上にかなっておよび／または一つ以上のユーザに特有の食事のタグにより確認されるいかなるアレルゲンも含まないか否か、本願明細書において、記載されているシステム及び方法は、決定できる。
【０４４４】
製法に特有の食事のタグを問い合わせることの代わりに、または、それと結合して、製法の成分リストを問い合わせることのこの接近が、用いられることが可能である。
【０４４５】
ある種の実施形態では、それが成るさまざまな製法、例えば製法の表題およびそれらの画像に関する情報を、カスタムメイドの食事計画は、含む。
【０４４６】
ある種の実施形態では、製法および／またはそれらの画像の表題は、視覚的に描かれる。
【０４４７】
ある種の実施形態では、カスタムメイドの食事計画は、以下を有する：ユーザが成分リストを得るために予約できるウェブサイトの識別および／またはそれが成る製法の一つ以上のための料理の手順。
【０４４８】
ある種の実施形態では、成分リストおよび／または一つ以上の製法のための料理の手順に対応するグラフィックスまたはテキストは、ユーザにプレゼンテーションに対して視覚的に請求される。
【０４４９】
ある種の実施形態では、カスタムメイドの食事計画は、以下を有する：一つ以上の特定のレストランの識別および／またはユーザが推奨された製法（例えば、製法情報を食事データベースの記憶に提供する参加しているレストランおよび／または参加している食品デリバリ・サービス）の少なくとも一つの製法を得ることができる食品デリバリ・サービス。
【０４５０】
ある種の実施形態では、カスタム適合性プログラムは、確認されて、ユーザに推薦される。
【０４５１】
ある種の実施形態では、カスタム適合性プログラムは、一つ以上の推奨されたトレーニング・クラスを含む（例えば、ユーザ領域において、提供される、例えば、提供されたそばに参加している小売商（例えば、ジム）、それは、それらの遺伝子タイピング・データに基づくユーザに推薦されるものと確認される。
【０４５２】
トレーニング・クラスの識別は、トレーニング・クラス・データベースに格納されることができる。
【０４５３】
クラスがそうであってもよい各トレーニングは、それを一つ以上の異型目的および／または有資格者と関連させた表しておよび／または分類する、それぞれ、特定のＳＮＰの特定の異型。
【０４５４】
それらの遺伝子タイピング・データのユーザに特有の異なる目的または有資格者は、関連したトレーニング・クラスを確認するために、格納された異型目的および／または有資格者と合うことができる。
【０４５５】
例えば、ＣＯＬ５ａ１遺伝子と関連したＳＮＰは、共同の強さおよび柔軟性に影響する。
【０４５６】
ＣＯＬ５ａ１遺伝子と関連したＳＮＰＳの特定の異型によって、運動の特定タイプの間、個人が減少した柔軟性、高血圧および損傷の危険度の傾向がありなる。
【０４５７】
したがって、例えば、伸びている低い衝撃を提供する特定のトレーニング・クラスおよび柔軟性エクササイズはこれらの異型に対応する異型目的および／または有資格者と関係していてもよい。そうすると、それらはそれらから利益を得るユーザに推薦されることができる。
【０４５８】
ある種の実施形態では、体育学プロフィール（上記した食事のプロフィールと類似の）は、それらの遺伝子タイピング・データに基づいてユーザのために決定されることができる。
【０４５９】
体育学プロフィールは、以下を有することができる：特定のトレーニング分類を確認する一組のユーザに特有の適合性タグ（例えば、それは、ユーザに推薦される、例えば、ユーザが回避しなければならないために）（例えば、「ＨＩＩＴ」（「好気性」）のような英数字ストリング、「ｃａｒｄｉｏ」、「高輝度」、「柔軟性」、など）、プロセッサによって、決定する関連する、（例えば、有益な）それらの遺伝子タイピング・データに基づくユーザ。
【０４６０】
それから、ユーザに特有の適合性タグは、複数のトレーニング・クラス（一つ以上のプログラムに特有の適合性タグに関連した各々）から成るトレーニング・クラス・データベースを問い合わせるために用いることができる。
【０４６１】
ユーザに特有の適合性タグをプログラムに特有の適合性タグと合わせることによって、関連したトレーニング・クラスは、マッチされたプログラムに特有の適合性タグに、それらの付随物を介して確認されることができる。
【０４６２】
一旦確認されると、トレーニング・クラスを推薦される一つ以上はユーザにプレゼンテーションのために提供されることができる。
【０４６３】
ある種の実施形態では、推奨されたトレーニング・クラスに対応するグラフィックスまたはテキストは、ユーザにプレゼンテーションに対して視覚的に請求される。
【０４６４】
ある種の実施形態では、グラフィックスまたはテキストを表している付加的情報は、推奨されたトレーニング・クラスと関連した（例えば、種類が提供される一つ以上の時間、例えば、クラスが提供される一つ以上の位置（例えば、特定のジムのうち）、例えば、クラスのコスト、例えば、クラスの契約をする関連）、ユーザにプレゼンテーションに対して視覚的に請求される。
【０４６５】
ある種の実施形態では、推奨されたトレーニング・クラスを提供するユーザの近くのジムの位置は確認される。そして、例えばユーザの位置データ（例えば、ＧＰＳ位置）に基づいて、例えばそれらのモバイルコンピューティング装置によって、設けられている、（例えば、携帯電話、例えば、ｓｍａｒｔｗａｔｃｈ）。
【０４６６】
ある種の実施形態では、ユーザにとって、近くのジム、近くのジムに対する方向、などの位置を示す地図を提供するために推奨されたトレーニング・クラスを提供しているジムの確認された位置と結合して、ユーザのための位置データが、使われる。
【０４６７】
例えば、近くのジム、地図、方向、などのリストは、ユーザのモバイルコンピューティング装置に表示されることができる。
【０４６８】
個人遺伝子のプロフィールが確認された特徴を伴うＳＮＰ異型に基づく所で、製品の一つまたは組合せは一つ以上の確認された特徴（例えば、ルックアップ表または他のマッピングの参照を経た）に従って自動的に推奨されることができる。
【０４６９】
次の部分は、個人遺伝子のプロフィールの一部でありえる実施例遺伝形質（例えば、ユーザの生体試料から決定される付随する、確認されたＳＮＰ異型で知られる）である。
【０４７０】
下で確認される実施例遺伝形質のために、実施例１にて説明したように、対応する遺伝子は、下記の表１にリストされる。
【０４７１】
それに応じて、表１にリストされる遺伝子と関連したＳＮＰ異型は、記載されている（例えば、遺伝形質と関連した遺伝子の発現に影響することによって、）遺伝形質に影響する。
【０４７２】
異型が含むＳＮＰに基づいて（例えば、少なくとも一部の）、確認されることができる重量管理と関連した重量管理Ｇｅｎｅｔｉｃ特徴（例えば、体重再増加、食品報酬、完全であると感じること、食欲、肥満、空腹感、甘い歯、脂肪酸感度、年齢関連の代謝、脂質代謝、ファット処理能力、十分に感覚、単不飽和脂肪および砂糖感度）。
【０４７３】
ある種の実施形態では、これらの特徴の一つ以上に関するユーザの個人遺伝子のプロフィール結果に基づいて、システムは、任意のアプリの購入（例えば、補助食品パックをカスタマイズした）として、ユーザに示されることができる以下の補助食品の一つ以上を自動的に確認する：マンゴスチン藤黄、ＣＬＡ、キイチゴ・ケトン類、緑茶抽出物、緑のコーヒー豆抽出物、炭水化物および脂肪遮断抗体、ｔｏｎａｌｉｎ、フード状態および／または食事代わり。
【０４７４】
ビタミンの個人の必要と関連した日々の支持Ｇｅｎｅｔｉｃ特徴および／または効果的に、ビタミン（それはＳＮＰ異型に基づいて（例えば、少なくとも一部の）確認されることができる）を利用する個人の能力は、例えば、βカロチン（ビタミンＡ）、ビタミンＢ１２、ビタミンＤ、葉酸濃度、ビタミンＢ６、ビタミンＥおよびビタミンＣを含んでいるそれらを含む。
【０４７５】
ある種の実施形態では、これらの特徴の一つ以上に関するユーザの個人遺伝子のプロフィール結果に基づいて、システムは、任意のアプリの購入（例えば、補助食品パックをカスタマイズした）として、ユーザに示されることができる以下の補助食品の一つ以上を自動的に確認する：総合ビタミン剤、Ｂ複合体、葉酸およびＳａｍ―Ｅ、ビタミンＡ、ビタミンＣ、ビタミンＤおよび／または長命を伴うビタミンＥ．ＬｏｎｇｅｖｉｔｙＧｅｎｅｔｉｃ特徴は、例えば、個人のＳＮＰ変種に基づいて確認されることができる。
【０４７６】
ある種の実施形態では、ユーザの個人遺伝子のプロフィール結果に基づいて、システムは、任意のアプリの購入としてユーザに示されることができる以下の補助食品の一つ以上を自動的に確認する：オキサロ酢酸エステル、クルクミン、ウコン、ｒｈｏｄｉｏｌａ、カルニチンおよび／またはＮ―アセチルシステイン。
【０４７７】
運動から回復する個人の共同の健康および能力と関連した共同の健康および運動回復Ｇｅｎｅｔｉｃ特徴は、例えば、共同の強さおよび柔軟性、共同の健康および損傷、筋力、筋仕事率、心肺容量、運動回復、強さ建築および血流調節を含む。
【０４７８】
ある種の実施形態では、これらの特徴の一つ以上に関するユーザの個人遺伝子のプロフィール結果に基づいて、システムは以下の補助食品の一つ以上を自動的に確認する。そして、それは任意のアプリの購入としてユーザに示されることができる：共有の健康追加（グルコサミン・コンドロイチン、魚油、ＭＳＭおよび／またはコラーゲン）および／または筋肉回復補助食品（分岐チェーン・アミノ酸（ＢＣＡＡ）、グルタミンおよび／または乳漿タンパク質粉）。
【０４７９】
個人の耐久性および乏しい体重と関連した耐久性および希薄な体重Ｇｅｎｅｔｉｃ特徴は、例えば、心拍出量、酸素容量、ＶＯ２最大、筋肉機能、エネルギー出力、筋肉効率、心肺容量、血流調節、乏しい体重および筋肉質量を含む。
【０４８０】
ある種の実施形態では、これらの特徴の一つ以上に関するユーザの個人遺伝子のプロフィール結果に基づいて、システムは以下の補助食品の一つ以上を自動的に確認する。そして、それは任意のアプリの購入としてユーザに示されることができる：クレアチン、カフェイン、βアラニン、リン酸ナトリウム、ＮＯ２（アルギニン）および／または前トレーニング補助食品。
【０４８１】
例えば、個人の皮膚健康を伴う特徴が含む皮膚健康Ｇｅｎｅｔｉｃは、感度、皮膚保護、皮膚更新、肌色、皮膚保護、皮膚健康、光線老化および皮膚水和を日にさらす。
【０４８２】
ある種の実施形態では、これらの特徴の一つ以上に関するユーザの個人遺伝子のプロフィール結果に基づいて、システムは以下の補助食品の一つ以上を自動的に確認する。そして、それは任意のアプリの購入としてユーザに示されることができる：ビオチン、ビタミンＥ、シダ・エキス（太陽保護）、サクラソウ、クロフサスグリ油、コラーゲンおよび／または植物セラミド。
【０４８３】
上記例のいずれかのために、特定の実施例で、推奨された補助食品の特定の製剤は、自動的に確認されることもできて、ユーザの個人遺伝子のプロフィール結果に基づいて、ユーザに提出されることもできる。
【０４８４】
ある種の実施形態では、システムは、ユーザの個人遺伝子のプロフィール結果に基づいて、ユーザに翻訳およびプレゼンテーションのための一つ以上の推奨された食事プログラム（例えば、食品デリバリ・サービスを経た）を自動的に確認する。
【０４８５】
ある種の実施形態では、システムは、ユーザの個人遺伝子のプロフィール結果に基づいて、ユーザに翻訳およびプレゼンテーションのための一つ以上の推奨された適合性プログラム、脳波フィードバック・プログラム（例えば、ストレス解消のための）および／または行動のプログラム（例えば、焦点プログラム、ＡＤＨＤ援助、改良された知力プログラム、ＭＣＩ防止プログラムおよび／またはアルツハイマーの防止プログラム）を自動的に確認する。
【０４８６】
購入勧告を個人遺伝子のプロフィール製品に連結することある種の実施形態では、補助食品の購入推奨は、決定されて、購入勧告作成後端（例えば、作成グラフィカル・ユーザ・インタフェース）を使用している開発者により入力される一組の格納された購入勧告から、ユーザに示される。
【０４８７】
開発者は、一組の購入勧告目的（すなわち、勧告を購入するために一致するデータ構造）をそれらの購入勧告がユーザに作られることが可能であるために、手動で、または、自動的にアップロードすることができる。
【０４８８】
例えば、開発者は、重量管理に対応するＳＮＰの異型の範囲のための補助食品の一組の購入推奨をアップロードすることができる。
【０４８９】
この例では、それが含むそれらの個人遺伝子のプロフィール評価をユーザが見る、個人的な重量管理遺伝子的なプロフィール製品、それから、有する特定の異型に対応する開発者によって、アップロードされるのを、それらは、セットからの購入勧告が見ることができる。
【０４９０】
いくつかの実施形態では、それがユーザの個人遺伝子のプロフィール評価に基づいて問い合わせられることが可能であるように、セットはインデックスを付けられて、格納される。
【０４９１】
いくつかの実施形態では、個人遺伝子のプロフィール製品の目的と関連した付加的情報は、以下を有する：購入勧告（複数のための）（例えば、そこにおいて、購入勧告目的は、選択可能な関連を定める）。
【０４９２】
ある種の実施形態では、ユーザの個人遺伝子のプロフィール評価がユーザの遺伝子タイピング・データおよび一般的なデータ構造階層から形成されるときに、関連した合同購入勧告がユーザの個人遺伝子のプロフィール評価と自動的に関係している（間接的に）ような一般的なデータ構造階層と、購入勧告目的は、関係している。
【０４９３】
ある種の実施形態では、開発者は、新しい購入勧告オブジェクトを作成して、それらをグラフィカル・ユーザ・インタフェースを用いた個人遺伝子のプロフィール製品の既存の目的と関連させる。
【０４９４】
図６を、ここで参照する。方法６００は、個人遺伝子のプロフィール製品の格納された目的と関連した購入勧告オブジェクトを作成する典型的な方法である。
【０４９５】
ステップ６０２において、購入勧告オブジェクトを作成するためのグラフィック・ユーザ・インターフェース・エレメントによって、開発者は、紹介される。
【０４９６】
購入勧告目的に含まれるグラフィック・ユーザ・インターフェース・エレメントに、開発者は、データを入力する。
【０４９７】
一つ以上の格納されたゲノム・オブジェクトを作成されている購入勧告オブジェクトと関係しているように選択することが、グラフィック・ユーザ・インターフェース・エレメントの一部は、開発者ができる。
【０４９８】
格納されたゲノム・オブジェクトは、個人遺伝子のプロフィール製品（例えば、上記の通りの）を定めるデータ構造の階層のいかなるデータ構造でもある。
【０４９９】
ステップ６０４において、コンピュータのプロセッサは、開発者ならびに開発者により行われる一つ以上の格納されたゲノム・オブジェクトの選択によって、データ入力を含んでいる購入勧告目的を受信する。
【０５００】
ステップ６０６において、プロセッサは、一つ以上の格納されたゲノム・オブジェクトを購入勧告目的と関連させる。
【０５０１】
ステップ６０８において、プロセッサは、購入勧告目的および更に更新することまたは検索のための関連を保存する例えば、購入勧告を有する評価ＧＵＩにデータを読み込むために、（）。
【０５０２】
購入勧告オブジェクトを作成するための開発者に提供されるグラフィック・ユーザ・インターフェース・エレメントは、購入勧告目的に対応する購入勧告に関連した入力データに使用する一つ以上のグラフィック制御要素を備える。
【０５０３】
例えば、購入勧告をユーザに表示する際に使用する購入勧告、図形テキストおよび情報、ハイパーリンク（購入勧告が別々のウェブインターフェースまたはＧＵＩ上のユーザに提供される場合）およびアイコンの名前または表題を入力するために、グラフィック制御要素を、提供できる。
【０５０４】
ある種の実施形態では、前に作成された購入勧告オブジェクトを選択して、格納されたゲノム・オブジェクト（例えば、新しい調査またはガイドラインに基づいて特定の遺伝子型または健康関連の表現型の購入推奨を更新するための）とそれを関連させるために、グラフィック・ユーザ・インターフェース・エレメントは、開発者に一つ以上のグラフィック制御要素（例えば、ドロップダウンリスト）を与える。
【０５０５】
購入勧告目的は、個人遺伝子のプロフィール製品のいかなる格納された目的とも関係していてもよい。
【０５０６】
ある種の実施形態では、購入勧告目的は異型目的と最も頻繁に関係している。−その理由は、次のことにある。特定の購入勧告はＳＮＰの特定の異型をもつユーザの用途にだけ、適切である。
【０５０７】
例えば、関節の痛みに対応するＳＮＰのための中性の異型をもつユーザは、高い関節の痛みまたは関節の痛みの高まった可能性を経験しない。
【０５０８】
それ故、反炎症補助食品の購入勧告目的をこの関節の痛みＳＮＰ目的と関連させることは、この特定のユーザに反炎症補助食品の不必要な購入推奨を受け入れさせる。
【０５０９】
これに対して、ユーザ「適応する」、資格のある異型（例えば、関節の痛みまたは高い関節炎のより高い罹病性を有する）は、この種の補助食品勧告から利益を得る。
【０５１０】
ある種の実施形態では、ユーザのいずれかが有する特定の異型に関係なく購入勧告の補助食品が全てまたは大部分のユーザに有益であると考えられている場合、購入勧告目的はＳＮＰ目的、遺伝子目的、カテゴリまたは製品と関係している。
【０５１１】
ある種の実施形態では、ユーザが他のＳＮＰの特定の異型を有する場合、通常、ユーザの図から隠されるＳＮＰの異型をもつユーザに示される購入勧告が生じる開発者から、購入勧告目的は、データ入力から成ることができる。
【０５１２】
ユーザは、他の全ての遺伝子タイピング・データを遠ざけることができて、それらが所有する特定の健康関連の特徴に基づいて、購入勧告を受け入れることができる。
【０５１３】
しかしながら、異なる健康関連の特徴のため、ユーザは、推奨されている補助食品が与えるのと同じその購入勧告を受け入れることができないかまたは異なる健康関連の特徴に基づいて負の効果を与える可能性を増加させることができない。
【０５１４】
例えば、ユーザの表現型が容易にユーザを筋肉質量を造らせる場合、表現型も糖に影響されるユーザに作るユーザのもの以外の、開発者によるデータ入力に基づいて、補助食品が糖分が高いので、通常設けられている筋肉―大量の―建設補助食品の購入推奨はユーザに示されることができない、そして、ユーザは砂糖感度を有する。
【０５１５】
移動健康装置を有する相互作用ある種の実施形態では、本願明細書において、記載されているシステム及び方法は、ユーザの一つ以上の移動健康装置を有する相互作用を提供する。
【０５１６】
移動健康装置は、ユーザについて健康データを記録するために用いることができる。
【０５１７】
移動健康装置（例えば、移動健康データ）を介して記録されるデータは、以下を含む：ユーザが実行する動作についてのデータと同様に、身体活動レベルおよび食事のようなユーザ（例えばそれらの重量、グルコースレベル、脳活動（例えばＥＥＧを介して測定されるように）、など）の生物学的／物理的な測定値の範囲。
【０５１８】
装置、例えばネットワーク接続したスケールおよび着用できる脳活動監視装置、例えばＥＥＧ信号を録音できる着用できる装置を介して、生物学的／物理的な測定を、実行できる。
【０５１９】
アクティビティ・トラッキングデバイスのような移動健康装置および動作（例えばさまざまな異なるアプリを経たトレーニング、睡眠および食事）についてデータを記録して、調査することが、ユーザができる多機能電話で、身体活動を、測定できる。
【０５２０】
所与の移動健康装置は、一つ以上の生物学的／物理的な測定値および／またはアクティビティ測定値を記録できる。
【０５２１】
移動健康データは、オートメーション化した方法で、および／または移動健康装置を有するユーザ相互作用に関連して記録されることができる。
【０５２２】
ユーザについての移動健康データは、受け取られることができておよび／または本願明細書において、記載されているシステム及び方法によって、アクセスされることができて、ユーザに対する購入勧告を提供しておよび／または更新しておよび／またはそれらの動作についてフィードバックをユーザに提供するために、ユーザの遺伝子タイピング・データ（例えば個人遺伝子のプロフィール評価）と結合して利用できる。
【０５２３】
例えば、識別プロセスの遺伝子タイピング・データに加えて移動健康データを組み込むことによって、遺伝子タイピング・データに基づいてユーザに対する購入勧告を確認するために上記の方法のいずれか、増やされることができる。
【０５２４】
例えば、ユーザの遺伝子タイピング・データがそれらが肥満の傾向があることを示す場合、それらの移動健康データ（例えば活動モニタまたは多機能電話を介して記録される）がそれらが低い身体活動レベルを有することを示すと共に、適合性プログラムに対応する購入勧告を、確認できる。
【０５２５】
ある種の実施形態では、ユーザの動作についてのフィードバックは、移動荒野データおよびそれらの遺伝子タイピング・データに基づいて設けられている。
【０５２６】
例えば、適合性モニタ、例えば活動モニタ、例えばトレーニングを追う多機能電話アプリからの移動健康データは、ユーザの個人遺伝子のプロフィール評価と結合して受け取られることができておよび／またはアクセスされることができて、分析されることができる。
【０５２７】
それらが動作を修正する場合、それらに知らせるユーザに合わせてフィードバックを調整するために、この種の分析は、用いることができる。
【０５２８】
例えば、ユーザの個人遺伝子のプロフィール評価は共同の損傷に対するユーザの感染性に関する情報を提供できる。そして、移動健康データはアクセスされることができて、共同の損傷のそれらの危険度を制限するためにフィードバックをユーザに提供するためにモニタされることができる。
【０５２９】
例えば、ＧＤＦ５遺伝子は、共同の健康に影響する。
【０５３０】
ユーザが有するＧＤＦ５遺伝子の特定の異型に応じて、それらは、共同の損傷をしやすくてもよい。
【０５３１】
移動健康データ（例えばアクティビティ・トラッキングデバイスまたは多機能電話アプリを介して記録されるデータ）は、ユーザのアクティビティ・レベルを決定するためにアクセスされる。
【０５３２】
それから、損傷を回避するためにそれらのアクティビティ・レベルを変更することがそれらができるために、ユーザのアクティビティ・レベルおよびユーザが有するＧＤＦ５遺伝子の異型に基づくフィードバックは、ユーザに提供される。
【０５３３】
例えば、ＧＤＦ５遺伝子の変形ごとに、特定の日にとられる多くの処置のための異なる閾値は決定される。そして、ユーザのための移動健康データがユーザがステップの閾値数を超えたことを示す場合、それらのアクティビティ・レベルを低下させるためにそれらに知らせるユーザに、通知書は送付される。
【０５３４】
他の例では、フィードバックは、ユーザのアクティビティ・レベルおよびユーザを特に損傷または損傷の特殊に影響されやすくすることができる異型の組合せに基づいてもよい。
【０５３５】
例えば、ユーザをまた、高い耐久性を表す異型を有する共同の損傷をしやすくする異型をもつユーザは特に損傷をしやすくてもよい。−その理由は、次のことにある。ユーザはより圧力の損傷を引き起こしているレベルに彼自身または露出しそうでもよい。
【０５３６】
図１３に変化して、特定の実施例で、ユーザに提供されるフィードバックは、ユーザに購入勧告に従って一つ以上の動作を実行すると思い出させる通知という形をとる。
【０５３７】
図１３に示される実施例プロセス１３００において、ステップ１３０２遺伝子タイピングで、ユーザのためのデータは、受け取られる。
【０５３８】
他のステップ１３０４において、フィードバック勧告は、受信遺伝子タイピング・データに基づいて自動的に決定される。
【０５３９】
一旦フィードバック勧告が決定されると、他のステップ１３０６で、フィードバック勧告に対応する通知書はユーザにプレゼンテーションのために作成される。
【０５４０】
例えば、ユーザの個人遺伝子のプロフィール評価のさまざまな遺伝子は、行動の特徴、例えば懸念レベルおよび応力反応、例えばＲＧＳ２遺伝子影響懸念および危険状態反応に影響する。
【０５４１】
それらを懸念および問題点を管理している応力の傾向があるようにするこれらの遺伝子の異型を有するユーザは、定期的な熟慮から利益を得ることができる。
【０５４２】
したがって、それらの遺伝子タイピング・データに基づいてユーザのために確認される購入勧告は、以下を有することができる：着用できる移動健康装置（例えば、ヘッドバンドを検出している脳活動）の助けを借りてモニタされた熟慮セッションを経てそれらの脳活動を管理するために、ユーザが働く脳波フィードバック・プログラム。
【０５４３】
着用できる装置により記録される移動健康データは、以下を有することができる：時間のリストおよび熟慮セッション（各セッションの間の脳波記録（例えばＥＥＧ信号）と同様に）の長さ。
【０５４４】
個人が実行する（例えば特定の週の間に）熟慮セッションおよび個人が有する特定の行動の遺伝子（例えばＲＧＳ２遺伝子）の特定の異型の数および期間に基づいて、それらは、それらに熟慮セッションの適切な数を実行すると思い出させている送付された通知書でありえる。
【０５４５】
脳波記録に対応する移動健康データはモニタされることもできる。そして、例えば、特にストレスを受けている（例えばアクセスされた脳波記録の分析により示されるように）ようにユーザがみえる場合、それらは更なる熟慮セッションを実行するように指示されることができる。
【０５４６】
ある種の実施形態では、フィードバックは、通知の形でユーザに提供される。
【０５４７】
通知書は、ユーザに提出されることができる（例えば、ユーザの移動健康装置またはユーザ（移動健康装置と異なる）のコンピュータを介して）。
【０５４８】
例えば、直接データを記録するために用いた移動健康装置上の、または、異なる装置（例えばユーザ（例えばそれらの多機能電話）の装置を計算している携帯）上のユーザに、移動健康データを使用して決定されるフィードバックは、示されることができる。
【０５４９】
ある種の実施形態では、フィードバックを提示する通知は、一つ以上のアイコンおよび／または英数字ストリングから成る視覚的にされた通知である。
【０５５０】
ある種の実施形態では、通知は、以下を有する：聴覚器官通知（例えば警報またはオーディオメッセージ）。
【０５５１】
特定の実施例において、通知は、触覚キュー（例えば振動）から成る。
【０５５２】
ある種の実施形態では、視覚的にされた通知、聴覚器官通知および触覚キューのいかなる組合せも、ユーザ・コンピュータを介して設けられていることができる。
【０５５３】
ある種の実施形態では、ユーザのために確認される推奨された購入品は、他の推奨された購入に関連がある一つ以上の移動健康装置を含む。
【０５５４】
例えば、所与のユーザのためにある場合、適合性プログラムに対応する推奨された購入（１）は確認される、または、より移動健康装置（例えば適合性プログラムを支持するユーザの能力を促進するアクティビティ・トラッカまたは特定の多機能電話アプリ）も確認される。
【０５５５】
同様に、特定の実施例で、脳波フィードバック・プログラムに対応する推奨された購入は、着用できる脳波監視および／または熟慮援助装置に対応する一つ以上の推奨された購入品にリンクされることができる。
【０５５６】
推奨された購入品は、ハードウェア、ソフトウェアまたはハードウェアおよびソフトウェアの組合せの形の製品でもよい。
【０５５７】
参加している貿易報酬による遺伝子タイピング・データを解錠することある種の実施形態では、ユーザの遺伝子タイピング・データの圧縮部分はちょうど関連した購入品を推奨することのために特定の購入品および／または小売商とでなく関係している、しかし、ｉｎｃｅｎｔｉｖｉｚｉｎｇしているユーザのプロモーションの懸賞金を構築することは特定の参加している小売商を訪ねる。
【０５５８】
例えば、ユーザが遺伝子タイピングのための生体試料を入れるときに、さまざまなＳＮＰを、測定できる。そして、結果はユーザのためのデータを遺伝子タイピングに保存した。
【０５５９】
遺伝子タイピング・データのサブセットは、解錠されると、されることができる。そして、残りが、係止されると、される、ユーザは、ロックがかかってないサブセットの範囲内でＳＮＰの遺伝子タイピング測定値の結果にアクセスするだけである。
【０５６０】
例えば、ロックがかかってないサブセットに対応する遺伝子タイピング・データについて情報伝達しているグラフィックスを表示するだけのように、評価ＧＵＩは、プログラムされることができる。
【０５６１】
ユーザにデータが係止されてあるそれらの遺伝子タイピングのその部分を運搬するために、グラフィックスまたはテキストは、なることもできる（例えば、灰色にされたアウト・グラフィックスおよび／またはテキストを経て、例えば、物理的なロック・アイコンを表しているグラフィックスを介して）。
【０５６２】
ある種の実施形態では、本願明細書において、記載されているシステム及び方法は、ユーザを許容する特定の参加している小売商で購入品を訪問しておよび／または作ることによるそれらの遺伝子タイピング・データの部分を解錠する。
【０５６３】
例えば、図１２Ａは、それらの訪問参加している小売商に基づいてユーザの遺伝子タイピング・データの部分を自動的に解錠する実施例方法１２００を示す。
【０５６４】
１つのステップ１２０２において、特定の参加している小売商にユーザ訪問を示しているデータは、受け取られる。
【０５６５】
ユーザが小売商で購入をし始めるときに、データはＧＰＳ信号のいずれか、献身的チェックイン［例えば、ユーザのモバイルコンピューティング装置上のアプリで発生するコード（例えば、クイックＲｅｓｐｏｎｓｅコード）を走査することを経て完成した］によって、発生する警報または発生する警報でもよい。
【０５６６】
他のステップ１２０４において、貿易データベースは、アクセスされる。
【０５６７】
貿易データベースは、以下を備える。
【０５６８】
複数のマーチャント識別子（それぞれは特定の参加している小売商を同定する）。
【０５６９】
各マーチャント識別子は一つ以上のロックがかからないセットと関係している。そして、ユーザが特定の参加している小売商を訪ねるときに解錠される遺伝子タイピング・データの特定の組を確認するように、それぞれは一つ以上のＳＮＰおよび／または遺伝子の識別子から成る。
【０５７０】
したがって、貿易データベースのマーチャント識別子にステップ１２０２で受け取られるデータにおいて、同定される特定の参加している小売商にマッチすることによって、特定の参加している小売商へのユーザ訪問の報酬として潜在的に解錠される一つ以上のロックがかからないセットは、確認される。
【０５７１】
異なる小売商は貿易データベースの異なるロックがかからないセットと関係していてもよい。そうすると、ユーザが訪ねる特定の参加している小売商に応じて、それらの遺伝子タイピング・データの異なる部分を、解錠できる。
【０５７２】
小売商がどんなタイプの製品を販売するかについて、異なるロックがかからないセットをもつ異なる小売商の関連はあることができる。そして、異なる健康関連の表現型に対するそれらの関係が異なる遺伝子および／またはＳＮＰにより影響される。
【０５７３】
例えば、スキンケア用品（例えばＳｅｐｈｏｒａ＝）を販売する小売商は、報酬として皮膚健康（例えば、Ｏｒｉｇ３ｎのＡＵＲＡ＝評価の一部）に関連した一組のＳＮＰおよび／または遺伝子を解錠することを提供して、それに応じて、皮膚健康に関連があるＳＮＰおよび／または遺伝子の識別子から成る第１のロックがかからないセットと関係していたいかもしれない。
【０５７４】
一方では、スポーツ装置（例えばＦｏｏｔｌｏｃｋｅｒ＝）を販売する小売商は、一組のＳＮＰおよび／または遺伝子を解錠することが報酬としての報酬（例えば、Ｏｒｉｇ３ｎのＦＩＴＣＯＤＥ＝評価の一部）として体育学を関連させたと申し出るかもしれなくて、それに応じて、体育学に関するＳＮＰおよび／または遺伝子の識別子から成る第２のロックがかからないセットと関係しているかもしれない。
【０５７５】
一部のユーザの遺伝子タイピング・データを解錠する、マッチしているマーチャント識別子と関連した一つ以上のロックがかからないセットの少なくとも１つは、そうである／選択する１２０８。
【０５７６】
ユーザのためのデータがそうである遺伝子タイピングは１２１０に接近した、そして、係止されると、以前された選択されたロックがかからないセットに対応する一部の遺伝子タイピング・データは１２１２を解錠したと、されるために変更される。
【０５７７】
一旦このように解錠されると、ユーザの遺伝子タイピング・データのこの部分はユーザにより接近されることができて、見られることが可能である。
【０５７８】
ある種の実施形態では、例えば、一部のそれらの遺伝子タイピング・データが解錠された報酬＝をそれらに通知するために、通知書は、ユーザに送付される。
【０５７９】
ある種の実施形態では、例えば、それらにさまざまな参加している小売商を知らせるために、通知がユーザに送信される。そして、それらの遺伝子タイピング・データの部分がそうでありえる取引が訪問によって、解錠して、ユーザがさまざまな参加している小売商を訪ねるのを奨励するためにどの小売商。
【０５８０】
ある種の実施形態では、それらが近くで参加している小売商であるときに、ユーザからのデータが取引通知の中で出すことが生じるために用いるＧＰＳはユーザに対する問題である。
【０５８１】
ある種の実施形態では、特定の参加している小売商を訪ねることに加えて特定の要件を満たすことを、特定のロックがかからないセットを解錠することは、ユーザが必要とする。
【０５８２】
例えば、ユーザは、ある量を費やすことを必要とするかもしれないか、または一つ以上の特定の活性化された製品を購入するかもしれない。
【０５８３】
格納されて、特定のロックがかからないセットにかかわる基準によって、特定のロックがかからないセットを解錠するためのこれらの更なる条件は、表されることができる。
【０５８４】
特定の参加している小売商へのユーザ訪問の徴候に対応するデータは、それらの訪問について付加的情報を含むことができる（例えば、費やされる総量、例えば、購入される製品のリストで、ある）、ユーザ訪問が格納された基準を満たすと決定すると、即座に、それが関連するロックがかからないセットが解錠されることができるような格納された基準に対して、それを、評価できる。
【０５８５】
ある種の実施形態では、さまざまなロックがかからないセットを解錠するための基準をそれらに知らせるために、通知書（例えば、取引通知）は、送付される。
【０５８６】
ある種の実施形態では、ユーザが上記の方法で解錠できるこの種の遺伝子のプロフィール評価懸賞金を、開発者が構築するのを、本願明細書において、記載されているシステム及び方法は、許す。
【０５８７】
図１２Ｂは、遺伝子のプロフィール評価懸賞金を構築する実施例方法１２５０を示す。
【０５８８】
開発者は、ＧＵＩ（それら（ロックがかからないセットを作製するためにマーチャント識別子および一つ以上のＳＮＰおよび／または遺伝子の選択を入力する１２５２）に示される）を使用できる。
【０５８９】
ＳＮＰおよび／または遺伝子１２５６の選択とともに、識別子がそうである小売商は、ＧＵＩを介して１２５４を受信した。
【０５９０】
ロックがかからないセットは、ＳＮＰおよび／または遺伝子の、そして、受け取ったマーチャント識別子に関連した選択から作製される。
【０５９１】
受け取ったマーチャント識別子およびつくられたロックがかからないセットとのその関連は貿易データベースに格納される。そうすると、それらは接近されることができて、さまざまな参加している小売商への訪問に基づいてユーザ遺伝子タイピング・データの部分を解錠するためにマッチされることができる。
【０５９２】
実施例１：個人遺伝子のプロフィール製品リスト本願明細書において、記載されているように、関連の中で多様な購入勧告〜（例えば、有益な）、それらのユニークな遺伝子の側面図に関して情報を提供する遺伝子タイピング測定値の結果に基づいて、特定のユーザを、同定できる。
【０５９３】
特に、本願明細書において、記載されているように、さまざまなＳＮＰは関連されて、特定の遺伝子の発現に影響できる。そして、それは、次に、さまざまな特定の遺伝形質に影響する。
【０５９４】
したがって、特定の個人のために、さまざまな異なるＳＮＰの特定の異型の測定値の結果を含む遺伝子タイピング・データに基づいて、購入勧告を、決定できる。そして、さまざまな異なる遺伝子および健康とのそれらの関連はそれらが影響する遺伝形質を関連させた。
【０５９５】
例えば図１および図２に関して、本願明細書において、記載されているように、特定のＳＮＰおよびそれらの関連する遺伝子（例えば、ＳＮＰ目的および遺伝子目的、それぞれ）の表現をカテゴリに分類するデータ構造の柔軟および直観的な階層的な配列の形での個人の個人遺伝子のプロフィール評価に、この種の情報を、格納できる。そして、それは、次に、市販遺伝子検査製品を表す製品に分類されることができる。
【０５９６】
遺伝情報の表現は米国の暫定特許２０１６年１２月２０日に出願の出願番号第６２／４３６,９４７号、２０１７年２月２８日に出願の米国特許出願番号第１５／４４５,７５２号および米国の暫定特許２０１７年４月１３日に出願の出願番号第６２／４８５,３２２号においてもこのように詳述する。そして、それぞれの内容は完全に本願明細書に引用したものとする。
【０５９７】
さまざまな特定の遺伝子の例およびそれらが影響する特定の特徴は、表１に示される。
【０５９８】
表１は、特定の市販遺伝子検査製品の例を示して、商業試験が個人が有する特定の異型を決定するために付随するＳＮＰを測定する特定の遺伝子をリストする。
【０５９９】
それらが影響する（例えば、式を介して）遺伝形質の短い説明に加えて、遺伝子は、示される。
【０６００】
商業遺伝子検査の範囲内で、表も、カテゴリに遺伝子のセットの実施例グループ化を示す。
【０６０１】
異なる商業遺伝子タイピング試験が表１に示されることを表すために記載されているように、個人の個人遺伝子のプロフィール評価は製品、カテゴリ、遺伝子目的およびＳＮＰ目的データ構造を使用しているそれらの遺伝子タイピング試験結果を格納できる、特定のカテゴリ、遺伝子および測定されたＳＮＰとともに。
【０６０２】
例えば、商業試験ＡＵＲＡ＝は、皮膚健康に対応する特徴の種類を表すために用いる。
【０６０３】
この商業試験の範囲内のカテゴリは、例えば、『皮膚Ａｇｉｎｇ』、『皮膚Ｅｌａｓｔｉｃｉｔｙ』、『外観およびＳｋｉｎＨｅａｌｔｈ』および『ＵＶＳｅｎｓｉｔｉｖｉｔｙ』を含む。
【０６０４】
カテゴリ『皮膚Ａｇｉｎｇ』は、例えば、５つの遺伝形質（例えば、ＳｕｇａｒＩｎｄｕｃｅｄＡｇｉｎｇ、ＳｋｉｎＰｒｏｔｅｃｔｉｏｎ、ＡｎｔｉｏｘｉｄａｎｔＥｎｚｙｍｅｓ、ＳｋｉｎＲｅｎｅｗａｌおよびＰｈｏｔｏＡｇｉｎｇ）から成る。そして、それぞれは特定の遺伝子と関連した特定のＳＮＰにより影響される。
【０６０５】
表１：ボストン、ＭＡおよび付随するＳＮＰが商品ごとに測定される遺伝子の特定の組のＯｒｉｇ３ｎ社により提供される６つの市販遺伝子検査製品のリストを、下記の表１は、示す。
【０６０６】
第１のリストで水平に概説されたリストは、６つの市販遺伝子検査製品＝ＡＵＲＡ＝、ＢＬＩＳＳ＝、ＦＩＴＣＯＤＥ＝、ＦＵＥＬ＝、ＳＵＰＥＲＨＥＲＯ＝、ＢＬＯＯＭ＝の名前を提供する。
【０６０７】
ＳＮＰが測定される遺伝子は、カテゴリに分類されて、異なる列に示されて、文字を印した見出し（例えば、「ａ」）ＳｋｉｎＡｇｉｎｇにより確認される」、「ｂ）ＳｋｉｎＥｌａｓｔｉｃｉｔｙ」など）。
【０６０８】
異なる付随するＳＮＰが測定される遺伝子は、各カテゴリの下で見出しで確認される。
【０６０９】
それがダッシュおよび遺伝子名（例えば、「ＡＧＥＲ」）が続いて関連する（例えば、遺伝子の発現により影響される遺伝形質）、（例えば、「砂糖ＩｎｄｕｃｅｄＡｇｉｎｇ」）遺伝形質の短い説明によって、各遺伝子は、最初に確認される。
【０６１０】
【表１−１】
2020506477.tif 000003
【０６１１】
【表１−２】
2020506477.tif 000004
【０６１２】
【表１−３】
2020506477.tif 000005
【０６１３】
【表１−４】
2020506477.tif 000006
【０６１４】
実施例２：ＡｓｓｅｓｓｍｅｎｔＧＵＩＥｘａｍｐｌｅ２の中の視聴ＰｕｒｃｈａｓｅＲｅｃｏｍｍｅｎｄａｔｉｏｎｓは、モバイルコンピューティング装置上のそれらの個人遺伝子のプロフィール評価を見るために、ユーザが使用する評価ＧＵＩの範囲内で、購入勧告がどのように見られることが可能であるかについて、示す実施例である。
【０６１５】
ユーザがそれらの個人遺伝子のプロフィール評価を見るために使用する評価ＧＵＩの図の画面ショットを、図９は、示す。
【０６１６】
図９に示される評価ＧＵＩの図は、報告表題９０２グラフィカル要素を介して、特定の商業遺伝子検査（ＡＵＲＡ＝）を確認する。
【０６１７】
ＡＵＲＡ＝試験と関連した遺伝子および／またはＳＮＰが分類される（例えば、「皮膚Ａｇｉｎｇ」、「皮膚Ｅｌａｓｔｉｃｉｔｙ」、「外観およびＳｋｉｎＨｅａｌｔｈ」、「ＵＶＳｅｎｓｉｔｉｖｉｔｙ」）異なるカテゴリに対応する選択可能なアイコンを、図も、含む。
【０６１８】
ユーザは、カテゴリに対応するアイコンを選択する（例えば、タッチスクリーン上の指プレスを介して）ことによって、特定のカテゴリにおいて、集められるＳＮＰおよび／または遺伝子のためのそれらの遺伝子の試験結果を見る。
【０６１９】
この例で示されるように、「皮膚Ａｇｉｎｇ」カテゴリに対応するアイコン９０４の選択は図１０に示される評価ＧＵＩの図にユーザを持ってくる。
【０６２０】
図は、以下を含む：一組の選択可能な制御要素１００２、１００４、１００６、１００８、１０１０（それぞれはユーザのために測定される特定のＳＮＰに対応する）。
【０６２１】
ＧＵＩがこの例で示す評価の特定の図、単一塩基多型ごとに、例えば、表現により影響される特徴の短い説明に加えてＳＮＰがある遺伝子の名前が結びついたことの、遺伝子。
【０６２２】
例えば、第１の選択可能な制御要素１００２はＡＧＥＲ遺伝子と関連したＳＮＰに対応する。そして、それは「砂糖ＩｎｄｕｃｅｄＡｇｉｎｇ」と言われる特徴に影響する。
【０６２３】
同様に、第２の選択可能な制御要素はＣＡＴＡＬＡＳＥ遺伝子と関連したＳＮＰに対応する。そして、それは「皮膚Ｐｒｏｔｅｃｔｉｏｎ」と言われる特徴に影響する。
【０６２４】
図１１に示されてそれのような評価ＧＵＩの図をあげるように、ユーザは、選択可能な制御要素のいずれかを選択できる（例えば、タッチスクリーン上の指プレスを介して）。
【０６２５】
図１１に示される特定の図は、第１の選択可能な制御要素１００２と関係していて、ユーザが第１の選択可能な制御要素を選択するときにあげられる。
【０６２６】
図１１に示される図は、あたりをユーザに詳細な情報を提供するそれらＡＧＥＲ遺伝子（それは、「砂糖ＩｎｄｕｃｅｄＡｇｉｎｇ」に影響する）と関連したＳＮＰの中で特定の異型それらが、有する。
【０６２７】
図は、ＡＧＥＲ遺伝子（例えば、「ＴＴ」、「ＡＡ」、「ＡＴ」）と関連した測定されたＳＮＰの３つの可能性がある異型のための測定結果を表しているグラフィック・インジケータを含んで、個人が見出しを有する青い強調されたインジケータを介して「あなたのＲｅｓｕｌｔ」１１０６を有する（例えば、それらの測定結果を示すことによって、）、特定の異型を示す。
【０６２８】
個人が有する特定の異型と関連した一部の説明が図の底で示されることを、ＧＵＩの説明ウインドウ１１０８ａは、示す。
【０６２９】
ユーザは、完全な説明を見るためにスクロールすることができる。
【０６３０】
図１１Ｂに示すように、説明ウインドウ１１０８ｂは、大多数のスクリーンを占めるために拡大できる。
【０６３１】
異なる説明は、異なる遺伝子と関係している異なるＳＮＰの異なる異型と関係していてもよい。
【０６３２】
さまざまな説明は、データベースの一連のテキストファイルとして格納されることができて、評価ＧＵＩにデータを読み込むために用いることができる。
【０６３３】
したがって、それらが見ている特定のＳＮＰのための特定の測定結果に関連する異なる説明を、ユーザは、見ることができる。
【０６３４】
図１１Ｂに示される説明の部分に示すように、さまざまな購入勧告は、説明に含まれることができる。
【０６３５】
例えば、図１１Ｂに示すように、説明は、以下を含むことができる：考慮する製品および食品のリストならびに回避するもの。
【０６３６】
各ＳＮＰの各測定結果が異なる説明（例えば、各々のための異なるテキストファイルはデータベースに格納されることができる）と関係していることができるので、特定の勧告は異なるＳＮＰのための異なる測定結果のために格納されることができて、示されることができる。
【０６３７】
評価ＧＵＩの１つの実施態様に保存される説明の中でセットされる実施例は、下の表２〜４に示される。
【０６３８】
各説明は、特定の遺伝子と関係している特定のＳＮＰの特定の測定結果と関係している。
【０６３９】
本願明細書において、示される表１と同様に、各特定の製品のための遺伝子がカテゴリに集められる異なる市販製品およびショーを、表２〜４は、示す。
【０６４０】
表２〜４の各々は、ボストン・マサチューセッツ州のＯｒｉｇ３ｎ社により提供される異なる市販遺伝子検査製品に対応する。
【０６４１】
各市販遺伝子検査製品は、ＳＮＰの特定の組を測定する。
【０６４２】
測定される各ＳＮＰは特定の遺伝子と関係している。そうすると、各市販遺伝子検査製品は遺伝子の特定の組を伴うＳＮＰを測定する。
【０６４３】
それが一致する遺伝子タイピング試験において、付随するＳＮＰが測定される遺伝子の特定の組を、各テーブルは、確認する。
【０６４４】
付随するＳＮＰが測定される遺伝子ごとに、特定の測定結果ごとに、測定結果と関連した説明として格納されるテキストに加えて、ＳＮＰ測定のための３つの可能性がある測定結果は、リストされる。
【０６４５】
「砂糖ＩｎｄｕｃｅｄＡｇｉｎｇ」（インデントされた太字のテキストにおいて、示される）のような、テーブルの各遺伝子は、それが関連する遺伝形質の短い説明により確認される。
【０６４６】
遺伝子ごとに、遺伝子と関連したＳＮＰのための３つの異なる測定結果と関連した説明は、示される。
【０６４７】
遺伝子はカテゴリに分類される。そして、各カテゴリが太い下線を引かれた見出し（例えば、「皮膚Ａｇｉｎｇ」）により確認される。
【０６４８】
表２：
【０６４９】
【表２−１】
2020506477.tif 000007
【０６５０】
【表２−２】
2020506477.tif 000008
【０６５１】
【表２−３】
2020506477.tif 000009
【０６５２】
【表２−４】
2020506477.tif 000010
【０６５３】
【表２−５】
2020506477.tif 000011
【０６５４】
【表２−６】
2020506477.tif 000012
【０６５５】
【表２−７】
2020506477.tif 000013
【０６５６】
【表２−８】
2020506477.tif 000014
【０６５７】
【表２−９】
2020506477.tif 000015
【０６５８】
【表２−１０】
2020506477.tif 000016
【０６５９】
【表２−１１】
2020506477.tif 000017
【０６６０】
【表２−１２】
2020506477.tif 000018
【０６６１】
表３：
【０６６２】
【表３−１】
2020506477.tif 000019
【０６６３】
【表３−２】
2020506477.tif 000020
【０６６４】
【表３−３】
2020506477.tif 000021
【０６６５】
【表３−４】
2020506477.tif 000022
【０６６６】
【表３−５】
2020506477.tif 000023
【０６６７】
【表３−６】
2020506477.tif 000024
【０６６８】
【表３−７】
2020506477.tif 000025
【０６６９】
表４：
【０６７０】
【表４−１】
2020506477.tif 000026
【０６７１】
【表４−２】
2020506477.tif 000027
【０６７２】
【表４−３】
2020506477.tif 000028
【０６７３】
【表４−４】
2020506477.tif 000029
【０６７４】
コンピュータシステムおよびネットワーク環境本願明細書において、記載されている方法および装置用に、図７は、図示するネットワーク環境７００を示す。
【０６７５】
現在図７を参照して、短い概要において、典型的なクラウド・コンピューティング環境７００のブロック図は、図と共に記載される。
【０６７６】
クラウド・コンピューティング環境７００は、一つ以上のリソースプロバイダ７０２ａ、７０２ｂ、７０２ｃ（集合的に、７０２）を含むことができる。
【０６７７】
各リソースプロバイダ７０２は、計算リソースを含むことができる。
【０６７８】
若干の実施態様において、計算リソースは、プロセス・データにいかなるハードウェアもおよび／または使用するソフトウェアを含むことができる。
【０６７９】
例えば、計算リソースは、アルゴリズム、コンピュータプログラムおよび／またはコンピュータアプリケーションを実行できるハードウェアおよび／またはソフトウェアを含むことができる。
【０６８０】
若干の実施態様において、典型的な計算リソースは、記憶および検索能力を有するアプリケーション・サーバおよび／またはデータベースを含むことができる。
【０６８１】
各リソースプロバイダ７０２は、クラウド・コンピューティング環境７００の他のいかなるリソースプロバイダ７０２にも接続していることができる。
【０６８２】
若干の実施態様において、リソースプロバイダ７０２は、コンピュータ・ネットワーク７０８を通じて接続されることができる。
【０６８３】
コンピュータ・ネットワーク７０８の上に、各リソースプロバイダ７０２は、一つ以上のコンピュータ７０４ａ、７０４ｂ、７０４ｃ（集合的に、７０４）に接続していることができる。
【０６８４】
クラウド・コンピューティング環境７００は、リソース・マネージャ７０６を含むことができる。
【０６８５】
リソース・マネージャ７０６は、リソースプロバイダ７０２およびコンピュータ・ネットワーク７０８の上のコンピュータ７０４に接続していることができる。
【０６８６】
若干の実施態様において、リソース・マネージャ７０６は、一つ以上のコンピュータ７０４に一つ以上のリソースプロバイダ７０２によって、計算リソースの提供を容易にすることができる。
【０６８７】
リソース・マネージャ７０６は、特定のコンピュータ７０４から計算リソースの要求を受け取ることができる。
【０６８８】
リソース・マネージャ７０６は、コンピュータ７０４により要求される計算リソースを提供できる一つ以上のリソースプロバイダ７０２を確認できる。
【０６８９】
リソース・マネージャ７０６は、リソースプロバイダ７０２を計算リソースを提供するように選択できる。
【０６９０】
リソース・マネージャ７０６は、リソースプロバイダ７０２と特定のコンピュータ７０４間の接続を容易にすることができる。
【０６９１】
若干の実施態様において、リソース・マネージャ７０６は、特定のリソースプロバイダ７０２と特定のコンピュータ７０４の関係を定めることができる。
【０６９２】
若干の実施態様において、リソース・マネージャ７０６は、特定のコンピュータ７０４を要請された計算リソースを有する特定のリソースプロバイダ７０２にリダイレクトすることができる。
【０６９３】
図８は、この開示に記載されている方法および装置で、用いられることが可能であるコンピュータ８００およびモバイルコンピューティング装置８５０の一例を示す。
【０６９４】
コンピュータ８００は、デジタル・コンピュータ（例えばラップトップ、デスクトップ、ワークステーション、パーソナル携帯情報機器、サーバ、ブレードサーバ、メインフレームおよび他の適切なコンピュータ）のさまざまな形を表すことを目的とする。
【０６９５】
モバイルコンピューティング装置８５０は、モバイル機器（例えばパーソナル携帯情報機器、移動電話、多機能電話および他の類似のコンピュータ）のさまざまな形を表すことを目的とする。
【０６９６】
ここで示される構成要素、それらの接続および関係およびそれらの機能は、実施例だけであるはずで、制限するはずでない。
【０６９７】
コンピュータ８００は、以下を含む：プロセッサ８０２、メモリ８０４、記憶装置８０６、メモリ８０４および複数の高速拡張ポート８１０につながっている高速のインタフェース８０８、そして、低速拡張ポート８１４および記憶装置８０６につながっている低速のインタフェース８１２。
【０６９８】
プロセッサ８０２（メモリ８０４、記憶装置８０６、高速のインタフェース８０８、高速拡張ポート８１０および低速のインタフェース８１２）の各々は、さまざまなバスを使用して相互接続して、適切な様に一般のマザーボード上に、または、他の方法で取り付けられることが可能である。
【０６９９】
プロセッサ８０２は、外部入力／出力装置（例えば高速のインタフェース８０８に連結する表示８１６）にＧＵＩのためのグラフィック情報を表示するようにというコンピュータ８００の範囲内の実行のための、メモリ８０４に保存される指示を含む、または、記憶装置８０６上の指示を処理できる。
【０７００】
他の実施では、適切な様に、複数のプロセッサおよび／または複数のバスが用いられることが可能である、複数のメモリおよびメモリのタイプとともに。
【０７０１】
また、各装置が必要な動作（例えば、サーバ列、一群のブレードサーバまたはマルチプロセッサ・システムとして）の部分を提供して、複数のコンピュータを、接続できる。
【０７０２】
かくして、用語として、本願明細書において、使われる、そこにおいて、「プロセッサ」により実行されて、複数の機能がいかなる数のコンピュータ（一つ以上）のいかなる数のプロセッサ（一つ以上）により実行される実施例をこれが含むにつれて、複数の機能は記載されている。
【０７０３】
さらにまた、そこにおいて、「プロセッサ」により実行されて、機能がいかなる数のコンピュータ（一つ以上）（例えば、分散コンピュータ・システムの）のいかなる数のプロセッサ（一つ以上）により実行される実施例をこれが含むにつれて、機能は記載されている。
【０７０４】
メモリ８０４は、コンピュータ８００の範囲内で情報を格納する。
【０７０５】
若干の実施態様において、メモリ８０４は、不安定なメモリ装置またはユニットである。
【０７０６】
若干の実施態様において、メモリ８０４は、不揮発性メモリ装置またはユニットである。
【０７０７】
メモリ８０４は、コンピュータ可読媒体（例えば磁気または光ディスク）の他の形でもよい。
【０７０８】
記憶装置８０６は、大容量記憶装置をコンピュータ８００に提供できる。
【０７０９】
いくらかの実施において、記憶装置８０６はそうであってもよい、または、コンピュータ可読媒体（例えばフロッピー（登録商標）ディスクドライブ、堅いディスク装置、光学的ディスク装置）を含む、さもなければ、記憶エリア・ネットワークまたは他の構成の装置を含む、テープデバイス、フラッシュメモリまたは他の類似の固体はメモリデバイスまたは装置の列を述べる。
【０７１０】
指示は、情報キャリヤに格納されることができる。
【０７１１】
一つ以上の処理デバイス（例えば、プロセッサ８０２）により実行されるときに、指示は一つ以上の方法（例えば上記のそれら）を実行する。
【０７１２】
指示は、一つ以上の記憶装置（例えばコンピュータ可読であるか機械読み取り可読媒体（例えば、プロセッサ８０２上のメモリ８０４、記憶装置８０６またはメモリ）により格納されることもできる。
【０７１３】
高速のインタフェース８０８はコンピュータ８００のための帯域幅集約型の動作を管理する。その一方で、低速のインタフェース８１２は下の帯域幅集約型の動作を管理する。
【０７１４】
機能のこの種の配分は、実施例だけである。
【０７１５】
若干の実施態様において、高速のインタフェース８０８はメモリ８０４（表示８１６（例えば、図形プロセッサまたはアクセラレータによる）に、そして、高速拡張ポート８１０に連結する。そして、それはさまざまな拡張カード（図示せず）を受け入れることができる。
【０７１６】
実施において、低速のインタフェース８１２は、記憶装置８０６および低速拡張ポート８１４に連結する。
【０７１７】
低速拡張ポート８１４、それは、さまざまな通信ポートを含むことができる（例えば、ＵＳＢ、ブルートゥース（登録商標）、イーサネット（登録商標）、無線イーサネット（登録商標））、ネットワーク・アダプタで、例えば一つ以上の入出力用装置（例えばキーボード、位置指示装置、スキャナまたはネットワーク装置（例えばスイッチまたはルータ）に連結できる。
【０７１８】
図に示すように、コンピュータ８００は、多くの異なる形で行うことができる。
【０７１９】
例えば、それは、標準サーバ８２０または一群のこの種のサーバの複数回として行うことができる。
【０７２０】
加えて、それは、パーソナル・コンピュータ（例えばラップトップ・コンピュータ８２２）において、行うことができる。
【０７２１】
それは、ラック・サーバシステム８２４の一部として行うこともできる。
【０７２２】
あるいは、コンピュータ８００からの構成要素は、モバイル機器（図示せず）（例えばモバイルコンピューティング装置８５０）の他の構成要素と結合されることができる。
【０７２３】
この種の装置の各々はコンピュータ８００およびモバイルコンピューティング装置８５０の一つ以上を含むことができる。そして、全システムは互いに通信している複数のコンピュータから成り立つことができる。
【０７２４】
モバイルコンピューティング装置８５０は、以下を含む：プロセッサ８５２、メモリ８６４、入出力用装置（例えば表示８５４）通信インタフェース８６６、そして、トランシーバ８６８（他の構成要素の中の）。
【０７２５】
モバイルコンピューティング装置８５０は記憶装置（例えばマイクロ・ドライブまたは他の装置）を備えていることもできる。そして、追加記憶装置を提供する。
【０７２６】
プロセッサ８５２（メモリ８６４、表示８５４、通信インタフェース８６６およびトランシーバ８６８）の各々はさまざまなバスを使用して相互接続する。そして、適切な様に、構成要素のいくつかは一般のマザーボード上に、または、他の方法で取り付けられることが可能である。
【０７２７】
プロセッサ８５２はモバイルコンピューティング装置８５０の範囲内で指示を実行できる。そして、メモリ８６４に保存される指示を含む。
【０７２８】
別々のおよび複数のアナログおよびデジタル・プロセッサを含むチップのチップセットとして、プロセッサ８５２は、行うことができる。
【０７２９】
プロセッサ８５２は、例えば、モバイルコンピューティング装置８５０（例えばユーザ・インタフェースの制御、モバイルコンピューティング装置８５０に通されるアプリケーションおよびモバイルコンピューティング装置８５０による無線通信）の他の構成要素の調整を準備できる。
【０７３０】
プロセッサ８５２は制御インターフェース８５８によるユーザと情報交換できる。そして、表示インターフェース８５６は表示８５４に接続した。
【０７３１】
表示８５４は、例えば、表示またはＯＬＥＤ（有機ＬｉｇｈｔＥｍｉｔｔｉｎｇＤｉｏｄｅ）が示すＴＦＴ（細い―フィルム―トランジスタ液晶ディスプレイ）でもよい、または、もう一方は表示技術を盗用する。
【０７３２】
表示インターフェース８５６は、ディスプレイ８５４を駆動してグラフィックおよび他の情報をユーザに示すようにさせるための適切な回路を含むことができる。
【０７３３】
制御インターフェース８５８は、ユーザから命令を受け取ることができて、提出のためのそれらをプロセッサ８５２に変換できる。
【０７３４】
加えて、他の装置を有するモバイルコンピューティング装置８５０の近い領域コミュニケーションを可能にするように、外部インタフェース８６２は、コミュニケーションにプロセッサ８５２を提供できる。
【０７３５】
外部インタフェース８６２は、例えば、若干の実施態様の金網をはったコミュニケーションのために、または、他の実施態様の無線通信のために準備できる。そして、複数のインタフェースが用いられることもできる。
【０７３６】
メモリ８６４は、モバイルコンピューティング装置８５０の範囲内で情報を格納する。
【０７３７】
メモリ８６４は、コンピュータ可読の、媒体またはメディア（不安定なメモリ装置またはユニット）の一つ以上または不揮発性メモリ装置またはユニットとして行うことができる。
【０７３８】
展開メモリ８７４は設けられていることもできて、拡張インタフェース８７２によるモバイルコンピューティング装置８５０に接続していることもできる。そして、それは、例えば、ＳＩＭＭ（ラインＭｅｍｏｒｙＭｏｄｕｌｅにおいて、独りの）カードインターフェースを含むことができる。
【０７３９】
展開メモリ８７４は、余分の記憶空間をモバイルコンピューティング装置８５０に提供できるか、またはモバイルコンピューティング装置８５０への応用または他の情報を格納することもできる。
【０７４０】
具体的には、展開メモリ８７４は、上記の方法を実行するかまたは補充するようにという指示を含むことができて、安全な情報も含むことができる。
【０７４１】
このように、例えば、展開メモリ８７４は、モバイルコンピューティング装置８５０用のセキュリティモジュールとして設けられていることができて、モバイルコンピューティング装置８５０の安全な使用ができるようにする指示によって、プログラムされることができる。
【０７４２】
加えて、例えば、安全なアプリケーションは、識別情報を非ハック可能な方法のＳＩＭＭカードに配置して、付加的情報とともに、ＳＩＭＭカードを介して設けられていることができる。
【０７４３】
後述するように、メモリは、例えば、フラッシュメモリおよび／またはＮＶＲＡＭメモリ（不揮発性ランダム・アクセス・メモリ）を含むことができる。
【０７４４】
若干の実施態様において、指示は、情報キャリヤに格納されて、一つ以上の処理デバイス（例えば、プロセッサ８５２）により実行されるときに一つ以上の方法（例えば上記のそれら）を実行する。
【０７４５】
指示は、一つ以上の記憶装置（例えば一つ以上のコンピュータ可読であるか機械読み取り可読媒体（例えば、プロセッサ８５２上のメモリ８６４、展開メモリ８７４またはメモリ）により格納されることもできる。
【０７４６】
若干の実施態様において、例えば、トランシーバ８６８または外部インタフェース８６２の上に、指示は、伝達された信号において、受け取られることが可能である。
【０７４７】
モバイルコンピューティング装置８５０は通信インタフェース８６６でワイヤレスで通信できる。そして、それは必要な場合、デジタル信号処理回路要素を含むことができる。
【０７４８】
その中に、さまざまなモードまたはプロトコル（例えばＧＳＭ（登録商標）音声通話（モービル通信のためのグローバルなシステム）、ＳＭＳ（ショートメッセージ・サービス）、ＥＭＳ（ＭｅｓｓａｇｉｎｇＳｅｒｖｉｃｅを強化した）またはＭＭＳメッセージ発信（マルチメディアのＭｅｓｓａｇｉｎｇＳｅｒｖｉｃｅ）をうけて、通信インタフェース８６６は、ＣＤＭＡ（符号分割多元接続）、ＴＤＭＡ（時分割多元接続）、ＰＤＣ（個人Ｄｉｇｉｔａｌ移動電話）、ＷＣＤＭＡ（登録商標）（広帯域のＣＤＭＡ）、ＣＤＭＡ２０００またはＧＰＲＳ（汎用パケット無線システム）を通信に提供できる。
【０７４９】
この種のコミュニケーションは、例えば、高周波を使用しているトランシーバ８６８によって、発生する場合がある。
【０７５０】
加えて、短期コミュニケーションは発生する場合がある。そして、例えばブルートゥース（登録商標）Ｗｉ―Ｆｉ＝またはその他のこの種のトランシーバ（図示せず）を使用する。
【０７５１】
加えて、ＧＰＳ（全地球位置測定システム）受信機モジュール８７０は付加的なナビゲーションおよび位置関連の無線データをモバイルコンピューティング装置８５０に提供できる。そして、モバイルコンピューティング装置８５０で動いているアプリケーションによって、適切な様に、それが使うことができる。
【０７５２】
モバイルコンピューティング装置８５０は音声符復号器８６０を使用して聞こえるように通信することもできる。そして、それはユーザから口頭の情報を受け取ることができて、それを使用可能なデジタル情報に変換できる。
【０７５３】
音声符復号器８６０は、ユーザのための聞き取れる音（例えば、例えば、モバイルコンピューティング装置８５０の送受話器において、スピーカによる）を同様に生成できる。
【０７５４】
この種の音は、音声電話から音を含むことができて、記録された音（例えば、音声メッセージ、音楽ファイルなど）を含むことができて、モバイルコンピューティング装置８５０に作用しているアプリケーションによって、発生する音を含むこともできる。
【０７５５】
図に示すように、モバイルコンピューティング装置８５０は、多くの異なる形で行うことができる。
【０７５６】
例えば、それは、移動電話８８０として行うことができる。
【０７５７】
それは、多機能電話８８２、パーソナル携帯情報機器または他の類似のモバイル機器の一部として行うこともできる。
【０７５８】
ここで記載されているシステムおよび技術のさまざまな実施態様は、デジタル電子回路、集積回路工学、特別に設計されたＡＳＩＣ（特定用途向け集積回路）、コンピュータ・ハードウェア、ファームウェア、ソフトウェアおよび／またはそれらの組み合わせで実現されることができる。
【０７５９】
少なくとも一つのプログラマブルプロセッサを含んでいるプログラム可能なシステムに、実行可能でおよび／または解釈可能である一つ以上のコンピュータプログラムに、これらのさまざまな実施は、実施を含むことができる。そして、それは、特別であるか一般の目的でもよい、受信データおよび指示に結合する。そして、データを送信すること、そして、指示、記憶装置、少なくとも一つの入力装置、そして、少なくとも一つの出力装置。
【０７６０】
これらのコンピュータプログラム（別名プログラム、ソフトウェア、ソフトウェア・アプリケーションまたはコード）は、プログラマブルプロセッサのための機械命令を含んで、高レベル手順のおよび／またはオブジェクト指向プログラミング言語で、および／またはアセンブリ／機械言語で行うことができる。
【０７６１】
本明細書において、機械命令および／またはデータをプログラマブルプロセッサに提供するために用いるいかなるコンピュータ・プログラム製品、装置および／または装置（例えば、磁気ディスク、光ディスク、メモリ、ＰｒｏｇｒａｍｍａｂｌｅＬｏｇｉｃＤｅｖｉｃｅｓ（ＰＬＤｓ）にも、条件機械読み取り可読媒体およびコンピュータ可読媒体は関連する。そして、機械読み取り可読信号として機械命令を受信する機械読み取り可読媒体を含む。
【０７６２】
用語「機械読み取り可読信号」は、機械命令および／またはデータをプログラマブルプロセッサに提供するために用いるいかなる信号もを意味する。
【０７６３】
ユーザとの交流を提供するために、情報をユーザおよびキーボードに表示するための表示装置（例えば、ＣＲＴ（陰極線管）またはＬＣＤ（液晶ディスプレイ）モニタ）を備えているコンピュータおよびユーザが入力をコンピュータに送ることができる位置指示装置（例えば、マウスまたはトラックボール）に、ここで記載されているシステムおよび技術は、行うことができる。
【０７６４】
他の種類の装置は、同様にユーザとの交流を提供するために用いることができる、例えば、ユーザに提供されるフィードバックは、感覚のフィードバック（例えば、視覚のフィードバック、聴覚器官フィードバックまたは触覚のフィードバック）のいかなる形であることもできる、そして、ユーザからの入力はいかなる形でも受け取られることが可能である。そして、音響、話し言葉または触覚の入力を含む。
【０７６５】
以下を含むコンピュータ・システムにおいて、ここで記載されているシステムおよび技術は、行うことができる：バックエンド構成要素（例えば、データサーバとして）またはそれはミドルウェア構成要素（例えば、アプリケーション・サーバ）を含む、または、フロントエンド成分（例えば、グラフィカル・ユーザ・インタフェースを有しているクライアント・コンピュータまたはここで記載されているシステムおよび技術の実施態様と、ユーザが相互作用できるウェブ・ブラウザ）またはこの種の後端、ミドルウェアまたはフロントエンド成分のいかなる組合せも、それは含む。
【０７６６】
システムのコンポーネントは、デジタル・データ通信（例えば、通信回路網）のいかなる形式または媒体によっても相互接続できる。
【０７６７】
通信回路網の例としては、以下が挙げられる。
【０７６８】
ローカル・エリア・ネットワーク（ＬＡＮ）、ワイド・エリア・ネットワーク（ＷＡＮ）およびインターネット。
【０７６９】
コンピュータ・システムは、クライアントおよびサーバを含むことができる。
【０７７０】
クライアントおよびサーバは、通常、各々とかけ離れていて、概して通信回路網によって、相互作用する。
【０７７１】
それぞれのコンピュータで動いて、各々とのクライアント・サーバー関係があるコンピュータプログラムによって、クライアントおよびサーバの関係は、起こる。
【０７７２】
本発明が特に特定の好ましい実施例に関して図と共に記載された一方、当業者によって、そのさまざまな形および細部の変更が添付の請求の範囲に記載の本発明の精神と範囲から逸脱することなくそのときになされることができることを理解すべきである。
【図１】
2020506477.tif 000030
【図２】
2020506477.tif 000031
【図３】
2020506477.tif 000032
【図４】
2020506477.tif 000033
【図５】
2020506477.tif 000034
【図６】
2020506477.tif 000035
【図７】
2020506477.tif 000036
【図８】
2020506477.tif 000037
【図９】
2020506477.tif 000038
【図１０】
2020506477.tif 000039
【図１１Ａ】
2020506477.tif 000040
【図１１Ｂ】
2020506477.tif 000041
【図１２Ａ】
2020506477.tif 000042
【図１２Ｂ】
2020506477.tif 000043
【図１３】
2020506477.tif 000044
【国際調査報告】
2020506477.tif 000045
2020506477.tif 000046